(57)【特許請求の範囲】
【請求項１】
対象サンプル内の被検物質の存在を検出する方法であって、
巨大磁気抵抗（ＧＭＲ）センサのポリマーコーティングされた表面に配置された生体分子を含むセンサを準備する工程を備え、
前記生体分子は、
前記生体分子に共有結合する開裂可能部分と、
前記生体分子の前記開裂可能部分に関連付けられる受容体と、を有し、
開裂は前記対象サンプル中の前記被検物質の存在により触媒作用を受け、前記受容体は磁性ナノ粒子と結合可能であり、
前記方法は更に、
前記対象サンプルを前記センサ上を通過させることにより、前記被検物質が存在する場合に、前記関連付けられる受容体により前記開裂可能部分を前記生体分子から開裂および除去する工程と、
前記対象サンプルを前記センサ上を通過させた後に、磁性粒子を前記センサ上を通過させる工程と、
前記磁性粒子を前記センサ上を通過させる前および後に抵抗値を読み取ることに基づいて、前記ＧＭＲセンサの抵抗変化を測定することにより、前記対象サンプル内の前記被検物質の存在を検出する工程と、を備える方法。
【請求項２】
前記ＧＭＲセンサの前記抵抗変化に基づいて、前記対象サンプル内の前記被検物質の濃度を計算する工程を更に備える、請求項１に記載の方法。
【請求項３】
前記対象サンプルを前記センサ上を通過させる工程の前に、前記センサの緩衝液洗浄を行う工程を更に備える、請求項１または請求項２に記載の方法。
【請求項４】
前記対象サンプルを前記センサ上を通過させる工程の後であって前記磁気粒子を前記センサ上を通過させる工程の前に、前記センサの緩衝液洗浄を行う工程を更に備える、請求項１から３の何れか一項に記載の方法。
【請求項５】
前記磁気粒子を前記センサ上を通過させる工程の後に、前記センサの緩衝液洗浄を行う工程を更に備える、請求項１から４の何れか一項に記載の方法。
【請求項６】
前記被検物質は、金属イオンである、請求項１から５の何れか一項に記載の方法。
【請求項７】
前記対象サンプルは、水である、請求項１から６の何れか一項に記載の方法。
【請求項８】
前記対象サンプルは、被験者の血液に由来する、請求項１から６の何れか一項に記載の方法。
【請求項９】
前記生体分子は、二本鎖ＤＮＡ（ｄｓＤＮＡ）である、請求項１から７の何れか一項に記載の方法。
【請求項１０】
前記受容体は、前記ｄｓＤＮＡの前記二本鎖のうちの１つに共有結合している、請求項９に記載の方法。
【請求項１１】
前記被検物質が金属イオンであり、前記ｄｓＤＮＡはＤＮＡザイムを含み、前記ＤＮＡザイムは前記金属イオンによって活性化される、請求項９または請求項１０に記載の方法。
【請求項１２】
前記ＧＭＲセンサの抵抗変化を測定することは、少なくとも１つの基準抵抗器を使用して前記ＧＭＲセンサの抵抗変化の位相敏感検波を行うことを含む、請求項１から１１の何れか一項に記載の方法。
【請求項１３】
複数の前記生体分子が、前記センサの前記表面に約１×１０9〜約５×１０10個／ｍｍ2の密度で付着している、請求項１から１２の何れか一項に記載の方法。
【請求項１４】
検出の感度限界は、前記被検物質の約１ナノモルから約１０ナノモルの範囲である、請求項１から１３の何れか一項に記載の方法。
【請求項１５】
前記対象サンプルを前記センサ上を通過させる工程は、約１μＬ／分から約２０μＬ／分の流量で前記対象サンプルを前記センサ上を通過させることを含む、請求項１から１４の何れか一項に記載の方法。
【請求項１６】
請求項１から１５の何れか一項に記載の方法を実行するように構成されたシステムであって、
サンプル処理サブシステムと、
ポリマーコーティングされた表面に生体分子を有するＧＭＲセンサを含むマイクロ流体ネットワークを備えるセンササブシステムと、
信号をプロセッサへと伝播させるべく、複数の接点パッドに接続された複数の配線と、
プロセッサと、
前記サンプル処理サブシステムおよび前記センササブシステムにおいて、サンプル、試薬および溶媒を移動させるための空気圧制御サブシステムと、を備えるシステム。
【発明の詳細な説明】
【技術分野】
【０００１】
関連出願の相互参照
本出願は、米国特許仮出願第６２／７１１，３９６号（出願日：２０１８年７月２７日）に基づく優先権を主張するものであり、この米国特許出願の開示は、参照により全体として本明細書に組み込まれる。
【０００２】
本開示は概して、水のサンプルおよび生物学的サンプル中の被検物質を検知するためのシステムおよび方法に関する。特に、本開示は、巨大磁気抵抗（ＧＭＲ）センサによる検出方法を使用した被検物質の検知に関する。
【背景技術】
【０００３】
ＧＭＲセンサは、小型のシステムを使用して高感度且つ低コストの同時複数分析の開発を可能にした。その結果、様々な用途に適したプラットフォームを提供できる可能性がある。しかしながら、被検物質検出の信頼性の高さについては、依然として課題がある。本開示は、この課題について解決策の例を提供する。
【発明の概要】
【０００４】
本発明のある態様において、実施形態は、対象サンプル内の被検物質の存在を検出方法に関する。方法は、巨大磁気抵抗（ＧＭＲ）センサのポリマーコーティングされた表面に配置された生体分子を含むセンサを準備する工程を備える。前記生体分子は、前記生体分子に共有結合した開裂可能部分と、前記生体分子の前記開裂可能部分に関連付けられる受容体と、を有し、開裂は前記対象サンプル中の前記被検物質の存在により触媒作用を受け、前記受容体は磁性ナノ粒子と結合可能である。前記方法は更に、前記対象サンプルを前記センサ上を通過させることにより、前記被検物質が存在する場合に、前記関連付けられる受容体により前記開裂可能部分を前記生体分子から開裂および除去する工程と、前記対象サンプルを前記センサ上を通過させた後に、磁性粒子を前記センサ上を通過させる工程と、前記磁性粒子を前記センサ上を通過させる前および後に抵抗値を読み取ることに基づいて、前記ＧＭＲセンサの抵抗変化を測定することにより、前記対象サンプル内の前記被検物質の存在を検出する工程と、を備える。
【０００５】
本発明の別の態様において、実施形態は、対象サンプル内の被検物質の存在を検出方法に関する。方法は、巨大磁気抵抗（ＧＭＲ）センサのポリマーコーティングされた表面に配置された生体分子を含むセンサを準備する工程を備える。前記生体分子は、抗原結合部位において抗体結合可能な抗原部分を含み、前記抗体は、磁性ナノ粒子と結合するように構成された前記抗原結合部位とは別の部分を有する。前記方法は更に、前記対象サンプルと前記抗体との混合物を前記センサ上を通過させる工程を備える。前記対象サンプルに前記被検物質が存在する場合、前記抗体の前記抗原結合部位は前記被検物質と結合し、それにより前記生体分子の前記抗原部分への前記抗体の結合を妨げる。前記方法は更に、前記混合物を前記センサ上を通過させた後に、磁性粒子を前記センサ上を通過させる工程と、磁性粒子を前記センサ上を通過させる前および後に抵抗値を読み取ることに基づいて、前記ＧＭＲセンサの抵抗変化を測定することにより、前記対象サンプル内の前記被検物質の存在を検出する工程と、を備える。
【０００６】
本発明の別の態様において、実施形態は、対象サンプル内の被検物質の存在を検出方法を提供する。方法は、巨大磁気抵抗（ＧＭＲ）センサのポリマーコーティングされた表面に配置された生体分子を含むセンサを準備する工程を備える。前記生体分子は検出タンパク質と結合するように構成された結合領域を備え、前記検出タンパク質は前記被検物質とも結合可能である。前記検出タンパク質が前記被検物質に結合すると、前記生体分子の前記結合領域へ前記検出タンパク質が結合するのが妨げられる。前記方法は、前記検出タンパク質を前記センサ上を通過させる工程と、前記対象サンプルを前記センサ上を通過させる工程と、前記レポータータンパク質を前記センサ上を通過させた後に、磁性粒子を前記センサ上を通過させる工程と、を更に備える。前記レポータータンパク質は、前記検出タンパク質に結合可能であり、且つ、磁気ナノ粒子と結合するように構成されている。前記方法は更に、前記レポータータンパク質を前記センサ上を通過させた後に、磁性粒子を前記センサ上を通過させる工程と、前記磁性粒子を前記センサ上を通過させる前および後に抵抗値を読み取ることに基づいて、前記ＧＭＲセンサの抵抗変化を測定することにより、前記金属イオンの存在を検出する工程と、を備える。
【０００７】
本発明の更なる別の態様において、実施形態は、対象サンプル内の被検物質の存在を検出方法を提供する。方法は、巨大磁気抵抗（ＧＭＲ）センサのポリマーコーティングされた表面に配置された生体分子を含むセンサを準備する工程を備える。前記生体分子は、関連付けられる磁気粒子を含む。前記方法は更に、前記対象サンプルを前記センサ上を通過させて、前記被検物質が存在する場合、前記生体分子から前記関連付けられる磁性粒子を除去する工程と、前記対象サンプルを前記センサ上を通過させる前および後に抵抗値を読み取ることに基づいて、前記ＧＭＲセンサの抵抗変化を測定することにより、前記対象サンプル内の前記被検物質の存在を検出する工程と、を備え、前記ＧＭＲセンサの抵抗変化を測定することは、少なくとも１つの基準抵抗器を使用して前記ＧＭＲセンサの抵抗変化の位相敏感解を求めることを含む。
【０００８】
本発明の更なる別の態様において、実施形態は、対象サンプル内の被検物質の存在を検出方法を提供する。方法は、巨大磁気抵抗（ＧＭＲ）センサのポリマーコーティングされた表面に配置された第１の生体分子を含むセンサを準備する工程を備え、前記第１の生体分子は、磁性粒子の結合部位を有する第２の生体分子のコンディショナル結合部位（ｃｏｎｄｉｔｉｏｎａｌ  ｂｉｎｄｉｎｇ  ｓｉｔｅ）を有する。前記方法は更に、前記対象サンプルを前記センサ上を通過させる工程と、前記第２の生体分子を前記センサ上を通過させる工程と、前記対象サンプルを前記センサ上を通過させた後に、磁性粒子を前記センサ上を通過させる工程と、前記磁性粒子を前記センサ上を通過させる前および後に抵抗値を読み取ることに基づいて、前記ＧＭＲセンサの抵抗変化を測定することにより、前記対象サンプル内の前記被検物質の存在を検出する工程と、を備え、前記ＧＭＲセンサの抵抗変化を測定することは、少なくとも１つの基準抵抗器を使用して前記ＧＭＲセンサの抵抗変化の位相敏感解を求めることを含む。
【０００９】
本発明の更なる別の態様において、実施形態は、対象サンプル内の被検物質の存在を検出方法を提供する。方法は、巨大磁気抵抗（ＧＭＲ）センサのポリマーコーティングされた表面に配置された第１の生体分子を含むセンサを準備する工程を備える。前記生体分子は、前記被検物質が存在する場合に磁性粒子が結合する結合部位を有し、前記方法は更に、前記対象サンプルを前記センサ上を通過させる工程と、前記対象サンプルを前記センサ上を通過させた後に、磁性粒子を前記センサ上を通過させる工程と、前記磁性粒子を前記センサ上を通過させる前および後に抵抗値を読み取ることに基づいて、前記ＧＭＲセンサの抵抗変化を測定することにより、前記対象サンプル内の前記被検物質の存在を検出する工程と、を備え、前記ＧＭＲセンサの抵抗変化を測定することは、少なくとも１つの基準抵抗器を使用して前記ＧＭＲセンサの抵抗変化の位相敏感解を求めることを含む。
【００１０】
本発明の更なる別の態様において、実施形態は、上記の方法を実行するように構成されたシステムに関する。
【００１１】
本開示の他の態様、特徴、および利点は、以下の詳細な説明、添付図面、および添付の特許請求の範囲から明らかになるであろう。
【図面の簡単な説明】
【００１２】
本開示の様々な実施形態は、図面を参照して本明細書で以下に説明される。
【００１３】
【図１】本開示の実施形態に係るシステムで使用される例示的なカートリッジ読み取り機の斜視図である。
【００１４】
【図２Ａ】本開示の実施形態に係るシステムで使用される例示的なカートリッジアセンブリの斜視図である。
【００１５】
【図２Ｂ】本明細書の実施形態に係る図２Ａのカートリッジアセンブリの分解図である。
【００１６】
【図２Ｃ】本明細書の実施形態に係る図２Ａのカートリッジアセンブリの概略図である。
【００１７】
【図２Ｄ】図２Ａのカートリッジアセンブリの断面を示しており、サンプル処理カードとその検知・通信基板との間の接続インターフェースが示されている。
【００１８】
【図３】本開示の一実施形態に係るシステムの概略図である。
【００１９】
【図４】一実施形態に係る、図３の本明細書に開示されるシステムの特徴を使用する場合に、サンプル中の被検物質の検出を実行する方法における工程を示している。
【００２０】
【図５Ａ】一実施形態に係る、複数のＧＭＲセンサを備える蛇行チャネルを示す。
【００２１】
【図５Ｂ】一実施形態に係る、ＧＭＲ検知のための基板上における複数チャネルの配置を示す。
【００２２】
【図６Ａ】一実施形態に係る、チャネル内に配置されたＧＭＲセンサと共に、直線状の長さ方向における当該チャネルの断面を示す。
【００２３】
【図６Ｂ】一実施形態に係る、ＧＭＲセンサが存在する円形のチャネル拡張部を有するチャネルの直線状の長さ方向の断面を示す。
【００２４】
【図６Ｃ】一実施形態に係る、ＧＭＲセンサが存在する正方形のチャネル拡張部を有するチャネルの直線状の長さ方向の断面を示す。
【００２５】
【図６Ｄ】一実施形態に係る、ＧＭＲセンサが存在する三角形のチャネル拡張部を有するチャネルの直線状の長さ方向の断面を示す。
【００２６】
【図６Ｅ】一実施形態に係る、蛇行チャネル内に配置されたＧＭＲセンサと共に、当該蛇行チャネルの断面を示す。
【００２７】
【図６Ｆ】一実施形態に係る、円形のチャネル拡張部内に配置されたＧＭＲセンサと共に、蛇行チャネルの断面を示す。
【００２８】
【図６Ｇ】一実施形態に係る、チャネル内に配置されたＧＭＲセンサと共に、分岐部を有する当該チャネルの断面を示す。
【００２９】
【図７】一実施形態に係る、異なるＧＭＲセンサが存在する円形のチャネル拡張部を有するチャネルの直線状の長さ方向の断面を示す。
【００３０】
【図８Ａ】一実施形態に係る、円形拡張部に組み込まれたＧＭＲセンサと共に複数のチャネルを有するＧＭＲセンサチップ、および、配線を介した接点パッドへのＧＭＲセンサの接続を示す。
【００３１】
【図８Ｂ】一実施形態に係る、円形チャネル拡張部におけるＧＭＲセンサ周辺の領域の拡大図であり、配線網を示す。
【００３２】
【図８Ｃ】一実施形態に係るスイッチの構造を示す。
【００３３】
【図９】一実施形態に係る、配線を介した接点パッドへの取り付けおよびＧＭＲと共に、円形チャネル拡張部の断面図である。
【００３４】
【図１０Ａ】一実施形態に係る、ＧＭＲセンサ上に配置された生体表面層と共に、拡張部を有さないチャネルと、その中に存在するＧＭＲとの断面図である。
【００３５】
【図１０Ｂ】一実施形態に係る、ＧＭＲセンサの基本構造および動作原理を示す。
【００３６】
【図１１Ａ】一実施形態に係る、除去型ＧＭＲ検知プロセスの構造状態図を示す。
【００３７】
【図１１Ｂ】図１１ＡのＧＭＲ検知プロセスのプロセスフロー図を示す。
【００３８】
【図１２Ａ】一実施形態に係る、付加型ＧＭＲ検知プロセスの構造状態図を示す。
【００３９】
【図１２Ｂ】図１２ＡのＧＭＲ検知プロセスのプロセスフロー図を示す。
【００４０】
【図１３Ａ】一実施形態に係る、付加型ＧＭＲ検知プロセスの別の構造状態図を示す。
【００４１】
【図１３Ｂ】図１３ＡのＧＭＲ検知プロセスのプロセスフロー図を示す。
【００４２】
【図１３Ｃ】図１３ＡのＧＭＲ検知プロセスの別のプロセスフロー図を示す。
【００４３】
【図１４Ａ】一実施形態に係る、生体表面に結合した分子が被検物質によって修飾されるＧＭＲ検知の更なるプロセスの構造状態図を示す。
【００４４】
【図１４Ｂ】図１４ＡのＧＭＲ検知プロセスのプロセスフロー図を示す。
【００４５】
【図１５Ａ】一実施形態に係る、生体表面に結合した分子が被検物質によって修飾されるＧＭＲ検知の更なるプロセスの別の構造状態図を示す。
【００４６】
【図１５Ｂ】図１５ＡのＧＭＲ検知プロセスのプロセスフロー図を示す。
【００４７】
【図１６Ａ】例示的な「サンドイッチ」抗体プロセスを使用する更なるＧＭＲ検知プロセスの構造状態図を示す。
【００４８】
【図１６Ｂ】図１６ＡのＧＭＲ検知プロセスのプロセスフロー図を示す。
【００４９】
【図１７Ａ】Ｄダイマー心臓バイオマーカを検出するためのＧＭＲセンサについて生成されたデータのプロットを示す：実線は陽性対照、破線はサンプルの実行、「＋」で示された線は陰性対照である。
【００５０】
【図１７Ｂ】Ｄダイマー心臓バイオマーカを検出するためのＧＭＲセンサを使用したＤダイマの較正曲線を示す。
【００５１】
【図１７Ｃ】トロポニン心臓バイオマーカを検出するためのＧＭＲセンサを使用して生成されたデータのグラフを示す。
【００５２】
【図１８】一実施形態に係る、ＧＭＲによる鉛イオン検出のための反応スキームを示す。
【００５３】
【図１９】一実施形態に係る、ＧＭＲによる水銀イオン検出のための反応スキームを示す。
【００５４】
【図２０】一実施形態に係る、ＧＭＲによるカドミウムイオンまたはヒ素イオン検出のための反応スキームを示す。
【発明を実施するための形態】
【００５５】
図面および以下の説明から明らかになるように、本開示は、被検物質がサンプル中に存在することを検出するのに使用されるサンプル処理システム（または本開示全体において、「システム」とも称する）に関する。一実施形態において、図３のシステム３００として示されるこのシステムは、（１）検査サンプル中のバイオマーカを検出するためのサンプル調製マイクロ流体チャネルおよび少なくとも１つの検知デバイス（またはセンサ）を有するサンプル処理システムまたは「カートリッジアセンブリ」、（２）データ処理・表示装置、または、カートリッジアセンブリの検知デバイスの検出データを処理するプロセッサもしくはコントローラを含む「カートリッジ読み取り機」および検出イベント表示用ディスプレイ、を備える。これら２つの構成要素によりシステムが構成されている。一実施形態では、これらの構成要素は変更可能な特徴を含んでもよく、例えば、１つ以上の試薬カートリッジ、廃棄物用カートリッジおよび空気圧流量コントローラのような流量制御系統を含んでもよいが、これらに限定されない。
【００５６】
一般に、被検物質、バイオマーカ等の検出をアセンブリによって行い、カートリッジ読み取り機を介して出力するために、カートリッジアセンブリでサンプルを準備するプロセスは次のように行われる。患者から採取した未加工のサンプルをカードに装填し、必要に応じてフィルタ膜でろ過した後、カード外部の空気力学によって生成された負圧によりサンプルをろ過して、分離した検査サンプル（血漿など）を得る。この分離された検査サンプルは、チャネル構造によってカード上で定量化される。サンプルはセンサ／検知デバイス上に流される前に、混合材料源（例えば、ブリスターパック、保管室、カートリッジ、ウェルなど）から供給された混合材料（例えば、試薬（乾燥試薬または含水試薬）、緩衝液および／または洗浄緩衝液、ビーズおよび／またはビーズ溶液等）との相互作用によりカード上で調製される。サンプル調製チャネルは、複数の患者サンプルを使用可能とすべく任意の数のチャネルをカード内に垂直方向に積み重ねるように設計してもよい。同様な構成をマイクロ流体装置の検出にも適用でき、複数のマイクロ流体装置を垂直方向に積み重ねてもよい。カートリッジアセンブリの一部であるサンプル調製カードは、ろ過、加熱、冷却、混合、希釈、試薬の添加、クロマトグラフィー分離およびこれらの組み合わせから選択される機能を提供する１つまたは複数の構造と、サンプルをサンプル調製カード中で移動させる手段とを備える。これらの機能に関する詳細は、以下で説明する。
【００５７】
図１は、一実施形態に係るシステム３００（図３参照）で使用されるカートリッジ読み取り機１００の一例を示している。カートリッジ読み取り機１００は、例えば、ハンドヘルドモバイル機器として使用できる程度に小型および／またはコンパクトになるように構成され得る。カートリッジ読み取り機１００は、ディスプレイ１２０を有する本体またはハウジング１１０と、カートリッジアセンブリを受容するためのカートリッジ受け部１３０とを備える。ハウジング１１０は、読み取り機１００がオペレータ操作者の手に保持された時により快適になるように、人間工学に基づいた設計を有してもよい。しかしながら、ハウジング１１０の形状および設計は特に限定されることを意図していない。
【００５８】
カートリッジ読み取り機１００は、例えば、カートリッジアセンブリ２００を当該読み取り機および／またはサンプルを入力および／または接続するようにユーザに促すのに使用されるインターフェース１４０およびディスプレイ１２０を備えてもよい一実施形態によれば、システム３００は、開示されるカートリッジアセンブリ２００と組み合わせて、センサ（ＧＭＲ）技術を利用して、検査サンプル中の複数の検出バイオマーカ、例えば、５つの心臓バイオマーカ等、に関する処理、検出、分析および結果のレポートの生成を行い、１つのプロセスの一部として更にバイオマーカの結果を表示してもよい。
【００５９】
ディスプレイ１２０は、例えば、操作者またはユーザに情報を表示するように構成される。ディスプレイ１２０は、ハウジング１１０上に一体化して設けられる（例えば、ハプティックまたは触覚フィードバック付き）ディスプレイ画面またはタッチ画面、例えば、ＬＣＤ画面もしくはＬＥＤ画面または他のフラットパネルディスプレイの形態で提供されてもよい。そして（必要に応じて）操作者がコマンドや設定を読み取り機１００に入力するのに使用可能なエンドユーザーインターフェース（ＵＩ）１４０として機能するように設計された入力面を提供する。ディスプレイ１２０の大きさは様々であってもよい。より具体的には、一実施形態では、ディスプレイ１２０は、エンドユーザーインターフェースの一部としてシステム３００のコマンドおよび／または設定を入力するためのキー、ボタン、メニューおよび／またはキーボード機能を備えたコントロールパネルを表示するように構成されてもよい。一実施形態では、制御パネルは、機能キー、開始ボタンおよび停止ボタン、戻るボタンまたは入力ボタン、および、設定ボタンを含む。これに加えて、および／またはこれに代えて、図１には示されていないが、カートリッジ読み取り機１００は、一実施形態において、これらに限定されないが、ボタンおよびキーボードを含む任意の数の物理入力デバイスを含み得る。別の実施形態では、カートリッジ読み取り機１００は、別のデバイスを介して入力を受信してもよく、例えば、直接接続もしくは有線接続（例えば、プラグアンドコードを使用してコンピュータ（ＰＣまたはＣＰＵ）またはプロセッサに接続）または無線接続を介して受信してもよい。更に別の実施形態では、ディスプレイ１２０とは、一体化された画面を意味する、外部表示システム、または、その両方を意味するものであってもよい。表示制御ユニット１２０を介して、（例えば、図３を参照して説明するカートリッジリーダ３１０からの）検査結果を、一体化されている表示部または外部ディスプレイに表示することができる。更に別の実施形態では、ユーザーインターフェース１４０は、ディスプレイ１２０とは別個に設けられてもよい。例えば、ディスプレイ１２０にタッチスクリーンＵＩが使用されない場合、他の入力装置（例えば、リモコン、キーボード、マウス、ボタン、ジョイスティック等）がユーザーインターフェース１４０として利用されて、カートリッジ読み取り機１００および／またはシステム３００に関連付けられてもよい。したがって、カートリッジ読み取り機１００への入力に使用される装置および／または方法は、特に限定されない。一実施形態では、カートリッジ読み取り機１００および／またはシステム３００の全ての機能は、ディスプレイ１２０および／または入力デバイスを介して管理されてもよく、機能としては以下を含むがこれらに限定されない：処理方法の開始（例えば、開始ボタンを介して）、分析および／もしくはカートリッジアセンブリ２００の設定の選択および／もしくは変更、空気圧に関する選択および／もしくは設定、入力を促すプロンプトの確認、検査サンプルの処理方法のステップの表示、ならびに／または、（例えば、ディスプレイ１２０および／もしくはユーザーい１４０を介して）（ＧＭＲ）センサおよび制御ユニット／カートリッジリーダにより計算された検査結果および値の表示。ディスプレイ１２０は、サンプル中の被検物質の検出に関する情報を視覚的に表示してもよい。ディスプレイ１２０は、制御ユニット／カートリッジリーダにより生成された検査結果を表示するように構成されてもよい。一実施形態では、カートリッジリーダ／コントローラによって決定／処理された検査結果に関するリアルタイムフィードバックが（検出対象の被検物質またはバイオマーカの結果として決定される測定値を検知デバイスから受信することにより）、ディスプレイ１２０に表示される。
【００６０】
必要に応じて、音声出力を提供するべく、カートリッジ読み取り機１００の一部としてスピーカ（図示せず）を設けてもよい。これらに限定されないが、音声やアラームを含む任意の複数の音を出力してもよい。カートリッジ読み取り機１００は、これに加えてまたは代えて、任意の数のコネクタ、例えば、ＬＡＮコネクタおよびＵＳＢコネクタならびに／またはそれに関連付られた他の入力／出力デバイスを備えてもよい。取外し可能なストレージもしくはドライブまたは別のシステムを含む入力デバイスおよび／または出力デバイスをカートリッジ読み取り機１００に接続するために、これらＬＡＮコネクタおよび／またはＵＳＢコネクタを使用してもよい。
【００６１】
一実施形態では、カートリッジ受け部１３０は、カートリッジアセンブリ（例えば、図２のカートリッジアセンブリ２００）が挿入され得るハウジング１１０内の（図１に示されるような）開口部であってもよい。別の実施形態では、カートリッジ受け部１３０は、その中にカートリッジアセンブリを受容するように構成されたトレイを含んでもよい。そのようなトレイは、ハウジング１１０に対して、例えば、ハウジングに設けられた開口部から出し入れするように構成され、それによってカートリッジアセンブリ２００を受容し、カートリッジアセンブリをハウジング１１０へと収容するまたは取り出すようにしてもよい。一実施形態では、トレイは、ハウジング１１０に対して解放可能に係合するように構成されたバネ式トレイであってもよい。カートリッジ読み取り機１００に関連する更なる詳細は、図３を参照して後述する。
【００６２】
前述のように、カートリッジアセンブリ２００は、カートリッジ読み取り機１００に挿入されるように設計され、そこでサンプル（例えば、血液、尿）が調製、処理、分析されるようになっている。図２Ａ〜図２Ｃは、本明細書の実施形態に係るカートリッジアセンブリ２００の例示的な実施形態を示す。開示されるカートリッジアセンブリ２００に関連するいくつかの一般的な特徴は、これらの図を参照して説明される。しかし、後でより詳細に説明するように、複数の異なるタイプのカートリッジカード、すなわちカートリッジアセンブリを、カートリッジ読み取り機１００で使用して、システム３００の一部として提供することも可能である。いくつかの実施形態では、サンプリング処理システムまたはカートリッジアセンブリ２００は、別個の複数の検査を実施するための使い捨てアセンブリの形態を取り得る。すなわち、本明細書の説明により更に理解されるように、検査されるサンプルおよび／または被検物質の種類に応じて、異なるカートリッジカード構成および／またはカートリッジアセンブリを使用してもよい。図２Ａは、本明細書の実施形態に係るカートリッジアセンブリ２００の上面斜視図である。カートリッジアセンブリ２００は、サンプル処理カード２１０、検知基板および通信基板２０２を含む（図２Ｂも参照）。一般に、サンプル処理カード２１０は、（例えば、以下で説明する注入ポート等のサンプルポートを介して）サンプルを受け取り、サンプル処理カード２１０がカートリッジ読み取り機１００に挿入されるとサンプルが処理され、サンプルが流れて調製されたサンプルが作成される。カード２１０はまた、検査サンプルを調製するのに使用されたサンプルおよび／または液体から出た廃棄物を、内部廃棄物チャンバ（図２Ａには示されていないが、以下で更に説明される）に保管してもよい。メモリチップ２７５には、例えば、カートリッジの用途、センサの較正および必要なサンプル処理に関する情報を読み書きすることができ、それらを保存するのに使用される。一実施形態では、メモリチップ２７５は、カートリッジアセンブリ２００のカード２１０に選択的に圧力を加えるための工程および設定を含む空気圧系統プロトコルを記憶するように構成される。この場合、センサ（ＧＭＲセンサチップ２８０等）に送るサンプルの調製方法を実装することになる。メモリチップは分析毎の自動化レシピを含むことから、各カートリッジアセンブリ２００が読み取り機１００に挿入される都度、誤ったカートリッジが挿入されるのを防止するのに当該メモリチップを使用してもよい。メモリチップ２７５は、各カード２１０および／またはカートリッジアセンブリ２００の製造に対するトレーサビリティ情報も含む。検知基板および通信基板２０２は、カートリッジ読み取り機１００との通信を確立および維持し、調製されたサンプルの特徴の受け取り、処理および検出を行うように構成されてもよい。基板２０２は、調製されたサンプルにおいて被検物質が検出されるように、カートリッジ読み取り機１００内のコントローラとの通信を確立する。サンプル処理カード２１０ならびに検知基板および通信基板２０２（例えば、図２Ｂを参照）を、互いに取り付けるまたは一緒に組み合せることにより、カートリッジアセンブリ２００を形成する。一実施形態では、カード２１０と基板２０２とを互いに接着するために、接着剤（例えば、図２Ｄを参照）を必要に応じて使用してもよい。一実施形態では、基板２０２は、サンプル処理カード２１０に貼り付けられた積層体であってもよい。一実施形態では、基板２０２は、サンプル処理カード２１０に積層される可撓性回路として設計されてもよい。別の実施形態では、サンプル処理カード２１０はセラミック材料から製造され、回路、センサ（センサチップ２８０）および流体チャネルがそこに形成されてもよい。これに代えて、カード２１０および基板２０２は、機械的に位置合わせされて互いに接続されてもよい。一実施形態では、図２Ａに示されるように、基板２０２の一部が、カード２１０の縁部または端部から延在してもよい。図２Ｂに示されるような別の実施形態では、基板２０２は、カード２１０と同様な外縁または小さい外縁を有するように配置されてもよいおよび／またはそのようなサイズに形成されてもよい。
【００６３】
図２Ｃは、一実施形態に係るカートリッジアセンブリ２００の特徴を概略的に示している。図示されるように、いくつかの特徴はサンプル処理カード２１０に提供され、他の特徴は基板２０２に関連付けられてもよい。一般に、（カードの本体内に）検査サンプル（例えば、血液、尿）を受け取るために、カートリッジアセンブリ２００は、カード２１０の上部に設けられてもよいサンプル注入ポート２１５を有する。必要に応じてカード２１０の一部として、フィルタ２２０（本明細書ではろ過膜とも称される）、ベントポート２２５、バルブアレイ２３０（またはバルブアレイ領域２３０）、および、空気圧制御ポート２３５を設けてもよい。カード２１０のこれらの要素を流体接続するために、連通チャネル２３３がカード２１０内に提供される。空気圧制御ポート２３５は、カートリッジアセンブリ２００の空気圧インターフェースの一部であり、カードの連通チャネル２３３に加圧流体（空気）を選択的に供給してチャネルおよび／またはバルブアレイ２３０内の流体（空気、液体、検査サンプル等）の流れを誘導する。必要に応じて、カード２１０は、バルブアレイ２３０内の複数のバルブを制御するべく、指定された連通チャネル２３３に接続され、別個に形成された複数のバルブ制御ポート５３５を備えてもよい。カード２１０はまた、連通チャネル２３３を介して流体接続される１つ以上の計量チャンバ２４０、ガス透過性膜２４５および混合チャネル２５０を備えてもよい。計量チャンバは、連通チャネル２３３を介してその中に（直接またはろ過された）少なくとも検査サンプルを受け取るように設計されている。一般に、サンプルは、ポート２１５を介してカートリッジアセンブリ２００に注入され、フィルタ（例えば、フィルタ２２０）によるろ過、計量チャンバ２４０での計量、混合チャネル２５０での混合、（必要に応じて）加熱および／または冷却が行われ、連通チャネル２３３、空気圧制御ポート２３５およびバルブアレイ２３０を介して流量の誘導および変更が行われる。例えば、流体の流れは、空気圧系統（例えば、図３に示すカートリッジ読み取り機１００の空気圧系統３３０）と接続された、内部マイクロ流体チャネル（本開示においては、連通チャネル２３３とも称される）およびバルブ、ならびに、例えば空気圧制御ポート２３５または同様の接続部を有するカード２１０上の空気圧インターフェースを使用して制御されてもよい。一実施形態では、必要に応じて行われるカード２１０内の検査サンプルおよび／または混合材料／流体の加熱は、サーミスタを備えたＰＣＢ／基板２０２の上面に設けられたワイヤトレースの形態であり得るヒータ２５９によって行われてもよい。必要に応じて行われるカード２１０内の検査サンプルおよび／または混合材料／混合流体の冷却は、一実施形態では、カートリッジアセンブリ２００（例えば、基板２０２上）に一体化されたＴＥＣモジュールを介して、または別の実施形態では、カートリッジ読み取り機１００の内部に一体化されたモジュールを介して行われてもよい。例えば、読み取り機１００に冷却モジュールが設けられている場合には、冷却が必要な時に、カートリッジアセンブリ２００に冷却モジュールを押し付けるように構成してもよい。処理はまた、カード２１０上の任意の試薬領域２６０（および／またはブリスターパック）および／またはカートリッジ読み取り機１００のハウジング１１０内の試薬カートリッジを使用して、試薬を導入する工程を必要に応じて含んでもよい。分析されるサンプルおよびカートリッジアセンブリ２００のプロセスにおいて必要となる場合に、試薬を放出または混合するようにできる。更に、処理中に連通チャネル２３３を介して試薬、溶離剤、洗浄緩衝剤、磁性ナノ粒子、ビーズ溶液またはその他の緩衝液等の材料をサンプルに導入するために、カード２１０に必要に応じてブリスターパック２６５を設けてもよい。サンプルおよび試薬からの廃棄物を貯蔵するために、一つまたは複数の内部廃棄物チャンバ（本明細書では廃棄物貯蔵用の廃棄物タンクとも称される）２７０も、カード２１０に必要に応じて設けてもよい。以下に説明するように、出力ポート２５５（センサ供給ポートまたはセンサへの入力ポートとも称される）が設けられ、検査サンプル中の被検物質を検出するべく、調製されたサンプルをカード２１０からＧＭＲセンサチップ２８０へと出力する。検査サンプルおよび１つ以上の混合材料をセンサに送達するべく、出力ポート２５５が計量チャンバに流体接続されてもよい。したがって、センサは、少なくとも１つの出力ポート２５５を介して、検査サンプルおよび１つまたは複数の混合材料を受け取るように構成されてもよい。幾つかの実施形態では、ＧＭＲセンサチップ２８０から廃棄物チャンバ２７０に流体またはサンプルを出力するために、廃棄物送達ポートまたはセンサからの出力ポートとも称される、入力ポート２５７が設けられる。廃棄物チャンバ２７０は、連通チャネル２３３を介してカード２１０の他の要素（例えば、計量チャンバ２４０、入力ポート２５７またはこれらの両方）に流体的に接続されてもよい。
【００６４】
カートリッジアセンブリ２００は、メモリチップ２７５上にデータを記憶する、読み取るおよび／または書き込む能力を有し、メモリチップ２７５はカード２１０または基板２０２に関連付けられ得る。前述のように、メモリチップ２７５を使用して、カートリッジの用途、センサ較正および（サンプル処理カード内での）必要なサンプル処理に関連する情報を保存し、調製および処理済サンプルに基づく更なる情報を受信してもよい。メモリチップ２７５は、サンプル処理カード２１０上または基板２００上に位置してもよい。
【００６５】
前述のように、本明細書の実施形態によれば、磁気抵抗センサを利用して、本明細書で開示するシステムを使用した検査サンプル内の被検物質（バイオマーカなど）を見極めることができる。以下の説明および図面では、特定のタイプの磁気抵抗センサ、すなわち巨大磁気抵抗（ＧＭＲ）センサが使用されているが、本開示はＧＭＲセンサプラットフォームに限定されないことを理解されたい。いくつかの実施形態によれば、センサは、例えば、異方性磁気抵抗（ＡＭＲ）センサおよび／または磁気トンネル接合（ＭＴＪ）センサであり得る。いくつかの実施形態では、他のタイプの磁気抵抗センサ技術を使用してもよい。説明のみを目的として、以下の記載および図では、磁気抵抗センサとしてＧＭＲセンサを使用した場合を説明している。
【００６６】
カートリッジアセンブリ２００の基板２０２は、これらに関連付けられる巨大磁気抵抗（ＧＭＲ）センサチップ２８０および電気接点パッド２９０（または電気接点部）を有し得るＰＣＢ（プリント回路基板）等の電子インターフェースおよび／または回路インターフェースであってもよい、または、これらを備えてもよい。その他の構成要素も基板２０２上に提供され得る。一実施形態では、ＧＭＲセンサチップ２８０は少なくとも基板２０２に取り付けられる。ＧＭＲセンサチップ２８０は、例えば、基板２０２上に配置されて接着剤を使用して取り付けられてもよい。一実施形態では、ＧＭＲセンサ２８０とＰＣＢ基板２０２との間の接着には、液体接着剤またはテープ接着剤を使用することができる。このような設計では、例えば、底部でＰＣＢへの接合を行い、上部で処理カードの接合を行う必要がある場合もある。ＧＭＲセンサチップ２８０を基板２０２に取り付ける他の方法として、これに限定されないが、ＧＭＲセンサをＰＣＢに摩擦嵌めし、ＧＭＲセンサチップ２８０の上部を直接サンプル処理カード２１０に接続してもよい（例えば、特に、基板２０２がサンプル処理カード２１０の（背面に）積層されるフレキシブル回路の形態で提供される場合）。ＧＭＲセンサチップ２８０は、サンプル処理カード２１０の出力ポート２５５から、調製されたサンプルを受け取るように設計されてもよい。この場合、基板上のＧＭＲセンサチップ２８０の配置は、カード２１０上の出力ポート２５５の位置に基づいて変更または修正され得る（したがって、図２Ｂに示す例に限定することを意図していない）。一実施形態では、ＧＭＲセンサチップ２８０は、基板２０２の第１の側（例えば、図２Ｂに示されるようにカード２１０の下側に面する上側）に配置されて、例えば、カード２１０の下側に出力するように構成された出力ポートから調製済サンプルを受け取ってもよい。電気接点パッド２９０は反対側の基板の第２の側に配置される（例えば、カートリッジ読み取り機１００に挿入されるように完全に組み立てられた時に、電気接点パッド２９０がカートリッジアセンブリ２００の底面側に露出するように基板２０２の底側または下側に配置される）。ＧＭＲセンサチップ２８０は、ＰＣＢ／基板２０２上の電子接続を介してその下側に設けられた電気接点パッド２９０に電気的に接続されるＧＭＲセンサチップ２８０自身の接点パッド（例えば、金属ストリップまたはピン）を備えてもよい。この場合、カートリッジアセンブリ２００がカートリッジ読み取り機１００に挿入されると、電気接点パッド２９０が電子インターフェースとして機能して電気接続を確立し、カートリッジ読み取り機１００内の電子機器（例えば、カートリッジリーダ３１０）と電気接続するように構成される。したがって、センサチップ２８０内のセンサは、電気接点パッド２９０およびＧＭＲセンサチップ２８０の接点パッドを介してカートリッジ読み取り機１００内の電子機器に接続される。
【００６７】
図２Ｄは、カード２１０と基板２０２との嵌合インターフェースまたは接続インターフェースの例示的な断面図である。より具体的には、図２Ｄは、一実施形態に係るカード２１０上の出力ポート２５５と基板２０２のＧＭＲセンサチップ２８０との間のインターフェースを示している。例えば、本明細書に開示された実施形態のいずれかに係るカード２１０の下に隣接して配置されたＰＣＢ基板２０２が示されている。基板２０２は、カード２１０の底面に取り付けられてもよい。ここではマイクロ流体チャネル４３３（これはカード２１０内の多数の連通チャネルの１つ）と称されるチャネル機能を、カード２１０の少なくとも１つの層に有し、カード２１０内で処理される検査サンプルをＧＭＲセンサ２８０へと向かわせる出力ポート２５５へと導くように設計されている。必要に応じて、カード２１０の層の間に接着剤を塗布してもよく、例えば、試薬ポート４３４Ｂを有するカードの層とチャネル４３３の層との間に接着剤４３４Ａを塗布してもよい。基板２０２は、カード２１０のチャネル４３３および出力ポート２５５に隣接して配置されたＧＭＲセンサチップ２８０を備える。
【００６８】
（図３を参照して以下で説明する磁気コイル３６０とは異なる磁場発生器３６５からの）磁場を利用して、センサの近くに位置するナノ磁性粒子を励起することができる。
【００６９】
ＧＭＲセンサは、異方性磁気抵抗（ＡＭＲ）センサまたはホール（Ｈａｌｌ）センサの感度を上回る感度を有する。この特性により、ナノメートルスケールで磁性材料からの漂遊磁場を検出することができる。例えば、センサ表面に結合した磁性ナノ粒子からの漂遊磁場は、磁性層の磁化を変化させ、ＧＭＲセンサの抵抗を変化させる。したがって、単位面積あたりのＧＭＲセンサに結合される磁性ナノ粒子数の変化は、ＧＭＲセンサの抵抗値の変化に反映され得る。
【００７０】
上記のような理由から、本明細書に記載の実施形態においてカートリッジアセンブリ２００で使用されるセンサは、ＧＭＲセンサチップ２８０である。
【００７１】
図３を参照して、システムで提供される機能の概要を説明する。特に、カートリッジ読み取り機１００とカートリッジアセンブリ２００がどのように協働してサンプル中の被検物質を検出するシステム３００を提供しているかを更に説明すべく、カートリッジ読み取り機１００のいくつかの更なる特徴が概略的に示されている。図示のように、カートリッジアセンブリ２００は、カートリッジ読み取り機１００のハウジング１１０に挿入されてもよい。一般に、カートリッジ読み取り機１００のハウジング１１０は、本明細書全体を通して「コントローラ」および／または「カートリッジリーダ」３１０とも呼ばれるプロセッサまたは制御ユニット３１０、電源３２０、空気圧系統３３０、通信ユニット３４０、（必要に応じて）診断ユニット３５０、磁場発生器３６０およびメモリ３７０（またはデータ記憶装置）、ならびに、ユーザーインターフェース１４０および／またはディスプレイ１２０を更に備えるまたは含み得る。必要に応じて、例えば、挿入されたカートリッジアセンブリ上の試薬ソースを開封するため、または、（例えば、試薬がアセンブリの特定の試薬領域に提供されていない場合）カートリッジアセンブリに試薬を導入するための試薬オープナー（例えば、図６の穿刺装置５３３）を、カートリッジ読み取り機１００の一部として設けてもよい。カートリッジアセンブリ２００がカートリッジ読み取り機１００のハウジング１１０に挿入され、電気系統および空気圧系統が接続されると、カートリッジアセンブリ２００がカートリッジメモリチップ２７５を読み取る（例えば、カートリッジ読み取り機１００内のカートリッジリーダ３１０／制御ユニットまたはＰＣＢアセンブリによって読み取られる）。そして、カートリッジアセンブリ２００のカード２１０に選択的に圧力を加えるためのステップと設定を含む空気圧系統プロトコルを決定し、センサ（例えば、ＧＭＲセンサチップ２８０）へ送達されるサンプルの調製方法を実行する。このようにアセンブリ２００に配置されたサンプルに対して、前処理、処理および分析が行われる。制御ユニットまたはカートリッジリーダ３１０は、サンプル中の被検物質を検出するプロセスの自動化に必要な入力および出力を制御してもよい。カートリッジリーダ３１０は、特に、カートリッジアセンブリ２００および空気圧系統３３０に関連する巨大磁気抵抗（ＧＭＲ）センサチップ２８０および／またはメモリチップ２７５を制御するように構成されたリアルタイムコントローラであってもよく、ユーザーインターフェースからの制御も加わり、例えば、磁場発生器３６０の駆動、および、カートリッジアセンブリ２００に関連するセンサチップおよび／またはメモリへの／からの信号の送受信を制御する。一実施形態では、カートリッジリーダ３１０は、追加のチップ、メモリ、デバイスを含み得るＰＣＢ（プリント回路基板）の形態で提供される。カートリッジリーダ３１０は、例えば、内部メモリユニット、システムオペレーションイニシャライザ、信号準備ユニット、信号処理ユニットおよび／またはデータストレージ（いずれも図示せず）と通信および／または制御するように構成されてもよい。カートリッジリーダ３１０は、通信ユニット３４０に対して信号を送受信するように構成されてもよく、それにより、（例えば、クラウドサーバとの）ネットワーク接続性およびテレメトリが確立されて、例えば、不揮発性レシピが実装されてもよい。通信ユニット３４０は概して、カートリッジ読み取り機１００が無線または有線技術を使用してデータを送受信可能にする。内蔵電池の形態の電源３２０を介してまたはそれに接続された外部電源を介して（例えば、コードおよびプラグを介して）電力を受け取るコネクタの形態で、カートリッジ読み取り機１００に電力を供給することができる。空気圧系統３３０は、サンプル処理カード２１０の内部およびサンプル処理カード２１０に沿って流体を移動および誘導することにより（例えば、空気圧接続部２３５を介して、チャネルにより、エラストマー製バルブへと導くべく接続することにより）カートリッジアセンブリ２００に入れられたサンプル（例えば、血液、尿）を処理および調製するのに使用される。空気圧系統３３０は、例えば、流体と接触するプランジャおよび／またはピストンを使用可能な、流体を移動させるためのシステムおよび／またはデバイスであり得る（以下で更に説明する）。磁場発生器３６０は、カートリッジ読み取り機１００の回路基板もしくはカートリッジアセンブリ２００に設けられる１つ以上のチップ（例えば、センサチップ２８０）と何らかの方法で一体化されるまたは読み取り機１００に取り付けられる、外部磁気コイルまたは他の磁場発生装置であり得る。磁場発生器３６０は、信号を読み取ると同時に、ＧＭＲセンサチップ２８０の近くの磁性ナノ粒子を励磁するのに使用される。幾つかの実施形態では、コイルまたはその他の磁場発生器であり得る第２の磁場発生器３６５は、カートリッジ読み取り機１００の一部としてハウジング１１０内に設けられてもよい。例えば、一実施形態では、第２の磁場発生器３６５は磁場発生器３６０とは別個の異なる発生器であってもよい。この第２の磁場発生器３６５は、サンプルの調製および処理中に、サンプル処理カード２１０の一部（例えば、上部、下部、側面）に不均一な磁場を印加できるように当該磁場を生成するように構成され得る。例えば、緩衝液および／または磁気ビーズ等の混合材料を混合材料ソースから移動させる時、および、カード内の検査サンプルを移動させる時にこのような磁場が印加される。一実施形態では、第２の磁場発生器３６５は、カートリッジ読み取り機の反対側の端部または側面（例えば、読み取り機１００のハウジング１１０の上部に位置する）に、すなわちＧＭＲ検知に使用される磁場発生器３６０から離れて設けられる。一実施形態では、第２の磁場発生器３６５は、磁場発生器３６０に対してカートリッジ読み取り機の反対側の端部に設けられる（例えば、第２の磁場発生器は読み取り機１００のハウジング１１０の上部に配置され、磁場発生器３６０は読み取り機１００の下端（例えば、カートリッジ受け部１３０の近く）に設けられる）。一実施形態では、バイオマーカ／被検物質を感知するための磁場全体は、ＧＭＲセンサチップ２８０の近くの磁性ナノ粒子からの外乱に加えて、（外部またはセンサチップと一体化した）磁場発生器３６０から印加される磁場を含む。試薬オープナは、ＧＭＲセンサチップ２８０のサンプル処理および読み取り中に試薬を導入するために必要に応じて使用される（例えば、試薬がカードの特定の試薬領域に含まれていない場合）。前述のように、ユーザーインターフェース１４０／ディスプレイ１２０により、オペレータは情報を入力し、プロセスを制御し、システムフィードバックを提供し、検査結果を（タッチスクリーン等の出力表示画面を介して）表示できる。
【００７２】
図４は、本明細書で開示されるシステム３００を使用して、サンプル中の被検物質の検出を実行するための方法４００の一般的な工程を示す。ステップ４１０において、システムが初期化される。例えば、システムの初期化には、システム３００（カートリッジ読み取り機１００を含む）の電源投入、システムの設定情報の決定、計算結果の読み取り、機能（例えば、磁気コイルとキャリア信号）がオンラインであり準備完了しているかどうかの判定等が含まれる。ステップ４１５において、全検査サンプルがカートリッジアセンブリ２００に添加または装填される（例えば、図２Ｃに示すように、サンプルが注入ポート２１５から注入される）。ステップ４１０およびステップ４１５の順序を変更してもよい。すなわち、アセンブリ２００への全検査サンプルの追加は、システムが初期化される前または後に行われてもよい。ステップ４２０において、カートリッジアセンブリ２００がカートリッジ読み取り機１００に挿入される。必要に応じて、方法４００の一部として、ユーザーインターフェース／ディスプレイ１２０を介してカートリッジ読み取り機１００および／またはシステム３００にユーザ指示を入力してもよい。次に、ステップ４２５において、制御ユニット３１０を介してサンプルの処理が開始される。処理の開始は、例えば、ユーザーインターフェース／ディスプレイ１２０および／または読み取り機１００に接続されたシステムを介して、オペレータまたはユーザによる入力を受信することを含み得る。別の実施形態では、カートリッジアセンブリ２００をカートリッジ読み取り機１００に挿入し、読み取り機内のカートリッジアセンブリ２００の存在を検出することにより（例えば、アセンブリ２００上の電気接点パッド２９０と制御ユニット３１０との電気接続、および、メモリチップ２７５からの命令の自動読み出しにより）、処理を自動的に開始することができる。調整済サンプルを生成するために、（例えば、メモリチップ２７５から取得した）空気圧制御命令を使用してステップ４２５においてサンプルの処理が行われる。上記で説明したように（および、以下で更に説明されるように）、サンプルの処理は、サンプルのタイプおよび／または読み取り機１００に挿入されたカートリッジアセンブリ２００のタイプに依存し得る。場合によっては、処理は、サンプルを調製する前に、混合、緩衝液または試薬の導入などを含む多くのステップを有する場合がある。サンプルが調製されると、調製済サンプルが、ＧＭＲセンサチップ２８０に供給される（例えば、空気圧系統３３０および制御ユニット３１０を介して、空気圧制御によりカード２１０のチャネルを通って出力ポート２５５に送達される）。ステップ４４０において、調製済サンプル中の被検物質がＧＭＲセンサチップ２８０で検出される。次に、ステップ４４５において、ＧＭＲセンサチップ２８０からの信号が、例えば、カートリッジリーダ３１０（制御ユニット；例えば、１つ以上のプロセッサを含む）を介して受信され、処理される。信号処理により、例えば、ディスプレイ１２０／ユーザーインターフェースを介して検査結果をステップ４５０において表示することができる。ステップ４５５において、検査結果が保存される。例えば、検査結果は、クラウドサーバおよび／またはカートリッジアセンブリ２００に搭載されたメモリチップ２７５に保存されてもよい。幾つかの実施形態では、流体またはサンプルは、ＧＭＲセンサチップ２８０から入力ポート２５７を通って廃棄チャンバ２７０へと送達されてもよい。その後、全ての検査が実行され検知デバイス／ＧＭＲセンサチップ２８０によって数値が読み取られた後は、カートリッジアセンブリ２００はカートリッジ読み取り機１００から取り出されてもよい。一実施形態において、カートリッジアセンブリの取り出しは自動的に実行されてもよく、例えば、カートリッジ読み取り機１００のハウジング１１０内の機構がハウジング１１０からアセンブリ２００を押し出す、またはオペレータにより（ボタンもしくは力を使用して）手動で実行されてもよい。
【００７３】
一実施形態では、本明細書に記載のシステム３００は、同日出願の国際特許出願Ｎｏ．ＰＣＴ／ＵＳ２０１９／＿＿＿＿、「ＳＹＳＴＥＭ  ＡＮＤ  ＭＥＴＨＯＤ  ＦＯＲ  ＧＭＲ−ＢＡＳＥＤ  ＤＥＴＥＣＴＩＯＮ  ＯＦ  ＢＩＯＭＡＲＫＥＲＳ（ＧＭＲによるバイオマーカの検出のためのシステムおよび方法」（代理人整理番号０２６４６２−０５０４８４６）に開示されているような空気圧制御系統を使用してもよく、上記の出願は参照により本明細書に組み込まれる。
【００７４】
一実施形態では、本明細書に記載のシステム３００は、同日出願の国際特許出願Ｎｏ．ＰＣＴ／ＵＳ２０１９／＿＿＿＿、「ＳＹＳＴＥＭ  ＡＮＤ  ＭＥＴＨＯＤ  ＦＯＲ  ＳＡＭＰＬＥ  ＰＲＥＰＡＲＡＴＩＯＮ  ＩＮ  ＧＭＲ−ＢＡＳＥＤ  ＤＥＴＥＣＴＩＯＮ  ＯＦ  ＢＩＯＭＡＲＫＥＲＳ（ＧＭＲによるバイオマーカの検出におけるサンプル調整のためのシステムおよび方法」（代理人整理番号０２６４６２−０５０４８４７）に開示されているようなカートリッジアセンブリを（例えば、サンプル調整およびセンサへの送達に）使用してもよく、上記の出願は参照により本明細書に組み込まれる。
【００７５】
一実施形態では、本明細書に記載のシステム３００は、国際特許出願Ｎｏ．ＰＣＴ／ＵＳ２０１９／＿＿＿＿、「ＳＹＳＴＥＭ  ＡＮＤ  ＭＥＴＨＯＤ  ＦＯＲ  ＳＥＮＳＩＮＧ  ＡＮＡＬＹＴＥＳ  ＩＮ  ＧＭＲ−ＢＡＳＥＤ  ＤＥＴＥＣＴＩＯＮ  ＯＦ  ＢＩＯＭＡＲＫＥＲＳ（ＧＭＲによるバイオマーカの検出における被検物質の検出システムおよび方法（代理人整理番号０２６４６２−０５０４８５０）に開示されているようにＧＭＲセンサにおいて信号を処理してもよい。例えば、上記のように、ステップ４４５において、ＧＭＲセンサチップ２８０からの信号は、例えば、カートリッジリーダ３１０を介して受信され処理される。一実施形態では、カートリッジリーダ３１０は、メモリ読み出しユニットおよびサンプル調製制御ユニットを有するサンプル調製制御部を使用して（例えば、カートリッジアセンブリ２００がカートリッジ読み取り機１００に挿入されたことを示す信号を受信し、メモリチップ２７５に保存された情報を読みだし、空気圧制御信号を生成し、生成した信号を空気圧系統３３０に送信するのに使用される）、ＧＭＲセンサチップ２８０からの結果を処理する機能を実行するように構成される。また、代理人整理番号０２６４６２−０５０４８５０の出願で詳細に説明されているように、信号処理部は、測定信号を処理して被検物質検出の検査結果を取得することをはじめ、電気素子を制御して信号を準備および収集し、検出結果を処理、表示、保存および／または外部システムへと伝達する。読み取り機１００のカートリッジリーダ３１０および信号プロセッサに関連する更なる特徴については、後により詳細に説明する。
【００７６】
図１および図２Ａ〜図２Ｄは、サンプル中の被検物質を検出するための本明細書に開示されるシステム３００の一部であるカートリッジリーダ読み取り機１００およびカートリッジアセンブリ２００の代表的な特徴を示した概略図である。図は説明のみを目的としており、これに限定することを意図したものではない。
【００７７】
図２Ｃを参照して前述したサンプル処理カード２１０およびカートリッジアセンブリ２００の特徴の説明に戻り、カートリッジアセンブリ２００内のサンプル処理カード２１０に提供される特徴の配列、配置、包含および数は、例えば、分析されている検査サンプルおよび／または実行されている検査（例えば、バイオマーカの検出、金属の検出等）に基づいてもよい。またいくつかの実施形態では、カード２１０は、カード上に幾つかの領域が存在するようにおよび／または特徴が異なる層に提供されるように配置することができる（ただし、このような層は本体と別個の層である必要はない。むしろ、深さまたは高さ（Ｚ方向）方向において互いに対して積層される）。本明細書の実施形態において、サンプル処理カード２１０は、入口、チャネル、バルブ領域等を形成するべくレーザ切断された部品によって互いに挟まれ、接続／密封されることにより形成されてもよい。他の実施形態では、サンプル処理カードの一つまたは複数の層は、レーザ切断、積層、成形等がなされてもよい、または、複数のプロセスの組み合わせによって形成されてもよい。サンプル処理カード２１０を形成する方法は、特に限定されることを意図していない。例示を目的として、いくつかの図面においては、サンプル処理カード２１０の複数の部分の互いに対する位置を示す複数層の描写を含む（例えば、上および／または下に配置される他の特徴に対するカード内の位置）。このような例は、これに限定することを意図しておらず、サンプル処理カード２１０本体内の特徴（チャネル、バルブ等）の深さまたは配置の一例を示すために提供される。
【００７８】
一般に、各カード２１０は、頭上または上から見た時に（Ｙ方向に設けられた）縦方向中心線Ａ−Ａに沿った縦方向に延在する本体２１４を有する。一実施形態では、カード２１０はそれぞれ、縦方向に延在する長さ（すなわち、中心線Ａ−Ａに沿ってまたは中心線Ａ−Ａに対して）、長さに対して横方向に延在する（例えば、Ｘ方向）幅、および、Ｚ方向または垂直方向延在する高さ（または深さまたは厚さ）によって規定される寸法を有する。非制限的な実施形態では、カード２１０の本体２１４は、実質的に長方形の構成であってもよい。一実施形態では、カートリッジ読み取り機１００のカートリッジ受け部１３０（および／または関連するトレイ）は、カード２１０を読み取り機１００のハウジングに挿入可能とすべく、サンプル処理カード２１０の寸法に対応するサイズを有する。
【００７９】
本開示の添付の図面に示されている構造的特徴は、これに限定することを意図していない。例えば、セット数、バルブ、計量チャンバ、膜、混合チャネルおよび／またはポートの数は、示されているものに限定されることを意図していない。いくつかの実施形態では、より多数のチャネルが設けられてもよい。いくつかの実施形態では、より少数のチャネルが設けられてもよい。バルブの数も特に制限されない。
【００８０】
カートリッジアセンブリ２００およびサンプル処理カード２１０は、試薬および患者血液サンプルまたは医療血液サンプルと共に使用されるものとして明細書全体にわたって説明されているが、本明細書で開示されるカートリッジは、血液と共に使用されることまたは医療行為のみでの使用に限定されないことに留意されたい。分離可能および試薬または反応物質と組み合わせ可能な別の流体を、分析のために本明細書に開示されるカートリッジで使用してもよい。唾液、尿、糞便のサンプル、上皮スワブ、眼液、口等からの生検（固体および液体の両方）、都市の飲料水、水道水、下水廃棄物、海水、湖水等の水サンプルといった、他のサンプルを使用してもよい。
【００８１】
検知マイクロ流体デバイスは、一つまたは複数のマイクロ流体チャネルと、一つまたは複数マイクロ流体チャネル内に配置された複数のセンサパッドとを備える。図５Ａには、いくつかの実施形態に係る例示的なチャネル５００が示されている。チャネル５００は構造的に蛇行しているように示されているが、幾何学的に必ずしもこれに限定されない。チャネル５００は、チャネル本体５２０内に配置された複数のＧＭＲセンサ５１０を備える。複数のＧＭＲセンサ５１０を、一の被検物質を検出するように全て同一に構成して５１０もよく、この場合、冗長性により検出を強化することができる。これに代えて、複数のＧＭＲセンサ５１０を数多くの被検物質を検出するように全て異なる構成にすることもでき、また、冗長性を持たせつつ複数の異なる構成のセンサの組み合わせにすることもできる。チャネル５００は更に、任意のサンプル、試薬、ビーズ懸濁液等がチャネル本体５２０へと入るチャネル入口５３０を有する。チャネル入口５３０における正圧下またはチャネル出口５４０における真空下により、チャネル本体５２０を通る流れが調整される。
【００８２】
図５Ｂには、ベース５５０内に配置された複数のチャネル５００が示されている。チャネル５００はそれぞれ、各ＧＭＲセンサ５１０を囲む拡張領域であるチャネル拡張部５６０を特徴としている（図５Ａ；図面を明確にするために図５Ｂには示されていない）。理論に限定されるものではないが、チャネル拡張部５６０は、ＧＭＲセンサ上を材料が通過する際により良く混合されるための手段を提供すると仮定している。ベース５５０の周囲には、チャネル拡張部５６０に配置されたＧＭＲセンサと残りの回路との間の導電部として機能する一対の接点パッド５７０が配置されている。ＧＭＲセンサ５１０は、配線（図示せず）を介して接点パッド５７０に電子的に結合されている。
【００８３】
図６Ａは、直線状のチャネル本体６２０内に複数のＧＭＲセンサ６１０を備えるチャネル６００の断面が示されている。このような実施形態では、材料が流れる方向はどちらの方向からでもよい。他の実施形態では、図６Ｂに示すように、チャネル６００は、同様の複数のＧＭＲセンサ６１０を、ほぼ円形または楕円形のチャネル拡張部６３０においてチャネル本体６２０内に組み込む。更に別の実施形態では、図６Ｃに示すように、チャネル６００は、ほぼ正方形または長方形のチャネル拡張部６３０に配置された複数のＧＭＲセンサ６１０を備えてもよい。図示されていないが、そのような正方形または長方形のチャネル拡張部は、正方形もしくは長方形の点または頂点ではなく辺がチャネル拡張部６３０の一部となるように配置することもできる。チャネル拡張部１０３０の他の構成が可能であり、例えば、図６Ｄに示されるように、チャネル６００が、三角形（または台形）形状に配置されたＧＭＲセンサ６１０を有してもよい。チャネル拡張部６３０は任意の形状を有してもよく、所望の流れおよび混合特性ならびにＧＭＲセンサ６１０上の滞留時間に応じて選択可能である。
【００８４】
図６Ｄに示されるように、チャネル６００は、蛇行経路の長さに沿って配置されたＧＭＲセンサ６１０を備える蛇行形状のチャネル本体６２０を有してもよい。幾つかの実施形態では、そのような蛇行構造は、線形チャネル６００と比較して、より多くのセンサを小さな領域に詰め込むことを可能にし得る。図６Ｆに示すように、チャネル６００は、蛇行構造の本体６２０と、ＧＭＲセンサ６１０が存在するチャネル拡張部６３０との両方を組み込むことができる。チャネル１０００の必要に応じて設けられる構造的特徴が図６Ｇに示されており、ＧＭＲセンサが配置されたチャネル６００と、分岐を有するチャネル本体６２０とが示されている。幾つかのそのような実施形態では、用途に応じて、流れの方向をいずれかの方向に調整することができる。例えば、図面の左に流れる場合、材料を２つの異なる経路に分割することが可能である。これは、例えば、２つの分岐アームに沿った異なる複数のＧＭＲセンサ６１０を使用することを意味し得る。チャネル本体６２０の幅は、分岐の前後で変化させてもよく、特定の流れ特性合わせて選択可能である。
【００８５】
図７には、チャネル本体７２０内に、異なるＧＭＲセンサ７１０ａおよびＧＭＲセンサ７１０ｂが配置されたチャネル拡張部７３０を組み込むチャネル７００が示されている。図７は、異なるＧＭＲセンサ７１０ａおよびＧＭＲセンサ７１０ｂが交互に示されているが、必ずしもこのパターンに従う必要はない。例えば、一のタイプ複数のＧＭＲセンサ７１０ａを互いに隣接して配置して一まとまりとし、同様に他のタイプの複数のＧＭＲセンサ７１０ｂを一まとまりとすることができる。図６Ｇに戻り、分岐部の別れた線に沿って異なる複数のセンサが配置されてもよい。
【００８６】
図８Ａ、図８Ｂおよび図８Ｃは、本開示の実施形態に係るカートリッジアセンブリ２００に取り付けることができるＧＭＲセンサチップ２８０の構造を概略的に示している。図８Ａに示すように、ＧＭＲセンサチップ２８０は、チップのほぼ中央に配置された少なくとも１つのチャネル８１０、８２０および８３０と、チャネル内に配置された複数のＧＭＲセンサ８８０と、ＧＭＲセンサチップの２つの対向端に配置された電気接点パッド８４０Ａ、８４０Ｂと、電気接点パッド８４０Ａ、８４０Ｂに接続された金属ワイヤ８５０、８６０、８７０Ａ、８７０Ｂ、８７０Ｃ、８９０Ａ、８９０Ｂ、８９０Ｃとを備える。
【００８７】
チャネル８１０、８２０および８３０はそれぞれ、より多くのセンサを内部に詰め込めるように蛇行形状を有してもよい。複数のチャネル拡張部８８５をチャネルに沿って配置して、複数のＧＭＲセンサを収容することができる。検査される流体は、チャネル入口８１５Ａ、８２５Ａ、８３５Ａおよびチャネル出口８１５Ｂ、８２５Ｂ、８３５Ｂを介してそれぞれチャネル８１０、８２０、８３０に流入および流出する。図８Ａには、ＧＭＲセンサ８８０が８×６個のセンサアレイ状に配置され、３つのチャネル８１０、８２０、８３０それぞれに１６個ずつのセンサが配置されているように示されている。しかしながら、検出対象物の特定の要件を満たすべく、他の組み合わせを使用可能である。
【００８８】
電気接点パッド８４０Ａ、８４０Ｂは、複数の電気接点ピンを備える。金属ワイヤ８５０、８６０、８７０Ａ、８７０Ｂ、８７０Ｃは、ＧＭＲセンサを対応する電気接点ピン８４５Ａ、８４５Ｂ、８７５に接続する。電気接点パッド８４０Ａ、８４０Ｂは、カートリッジアセンブリ２００に設けられた電気接点パッド２９０に接続されている。カートリッジアセンブリ２００がカートリッジリーダ３１０に挿入されると、ＧＭＲセンサチップ２８０とカートリッジリーダ３１０との間に電気接続が形成され、ＧＭＲセンサからカートリッジリーダ３１０へ測定信号の送信が可能になる。
【００８９】
図８Ｂは、ＧＭＲセンサの詳細を示している。例えば、ＧＭＲセンサはそれぞれ、並列に接続された５つのＧＭＲストリップで構成されてもよい。一端において、ＧＭＲセンサはそれぞれ２本のメイン金属ワイヤ（ワイヤ８５０または８６０）のうちの一方によって、２つのコモンピンのうちの一方（ピン８４５Ａまたは８４５Ｂ）に接続される。ＧＭＲセンサの他端は、別個の金属ワイヤ８７０Ａ、８７０Ｂ、８７０Ｃによって、電気接点パッド８４０Ａまたは８４０Ｂ上の別個のピン８７５に接続される。
【００９０】
図８Ａには、チャネルの１つにそれぞれ対応するチャネル入口および／またはチャネル出口の近くに配置された流体検出金属ワイヤ８９０Ａ、８９０Ｂ、８９０Ｃも示されている。流体検出機能は、それぞれの流体検出金属ワイヤに配置されたスイッチ８９５Ａ、８９５Ｂ、８９５Ｃによって実行される。図８Ｃは、スイッチ８９５Ａの構造を詳細に示している。導電性流体（例えば、プラズマ）がその上を流れたと認識されると、スイッチ８９５Ａは一方の側のワイヤ８９６Ａを他方の側のワイヤ８９６Ｂに結合し、流体検出信号を生成する。
【００９１】
図８Ａ〜図８Ｃに示されるＧＭＲセンサチップの構造および配線は本質的に例示に過ぎず、他の構造および配線が同じまたは同様の機能を達成するために実装可能であることは当業者には明らかであろう。図９には、チャネル拡張部９３０におけるチャネル９００の断面が示されている。チャネル拡張部９３０内にはＧＭＲセンサ９１０が配置され、その上に１つまたは複数の生体分子９２５が固定化されている。生体分子９２５のＧＭＲセンサ９１０への固定化は、従来の表面化学を利用して行われる（図１４に更に詳細に示されている）。生体分子９２５は、実施されている特定の分析の性質に応じて、ペプチドまたはタンパク質、ＤＮＡ、ＲＮＡ、オリゴ糖、ホルモン、抗体、糖タンパク質等であり得る。ＧＭＲセンサ９１０はそれぞれワイヤ９９５により、チャネル９００の外側に位置する接点パッド９７０に接続されている。ある実施形態では、ワイヤ９９５は、センサ底部でＧＭＲセンサ９１０に接続される。
【００９２】
図１０Ａには、ＧＭＲセンサ１０１０の位置においてチャネル拡張部が設けられていないチャネル本体１０３０を有するチャネル１０００のより詳細な断面が示されている。生体分子１０２５は、生体表面１０４５へ付着することによりセンサに対して固定化される。そのような生体表面固定化化学は、当技術分野で知られている。例えば、Ｃｈａ他、「Ｉｍｍｏｂｉｌｉｚａｔｉｏｎ  ｏｆ  ｏｒｉｅｎｔｅｄ  ｐｒｏｔｅｉｎ  ｍｏｌｅｃｕｌｅｓ  ｏｎ  ｐｏｌｙ（ｅｔｈｙｌｅｎｅ  ｇｌｙｃｏｌ）−ｃｏａｔｅｄ  Ｓｉ（１１１）  （ポリエチレングリコール被覆Ｓｉ（１１１）上の配向タンパク質分子の固定化」プロテオミクス４：１９６５−１９７６、（２００４）；Ｚｅｌｌａｎｄｅｒ他、  「Ｃｈａｒａｃｔｅｒｉｚａｔｉｏｎ  ｏｆ  Ｐｏｒｅ  Ｓｔｒｕｃｔｕｒｅ  ｉｎ  Ｂｉｏｌｏｇｉｃａｌｌｙ  Ｆｕｎｃｔｉｏｎａｌ  Ｐｏｌｙ（２−ｈｙｄｒｏｘｙｅｔｈｙｌ  ｍｅｔｈａｃｒｙｌａｔｅ）−Ｐｏｌｙ（ｅｔｈｙｌｅｎｅ  ｇｌｙｃｏｌ）  Ｄｉａｃｒｙｌａｔｅ  （ＰＨＥＭＡ−ＰＥＧＤＡ）  生物学的に機能するポリ（２−ヒドロキシエチルメタクリレート）−ポリ（エチレングリコール）ジアクリレート（ＰＨＥＭＡ−ＰＥＧＤＡ）の細孔構造の特性評価」、ＰＬＯＳ  ＯＮＥ  ９（５）：ｅ９６７０９、（２０１４）を参照されたい。幾つかの実施形態では、生体表面１０４５は、ＰＨＥＭＡで架橋されたＰＥＧポリマーを含む。幾つかの実施形態では、架橋基は以下の式（Ｉ）によって表される。
ＰＡ−ＬＧ−ＰＡ      （Ｉ）
式中、ＰＡは光もしくは金属で活性化または活性化された基であり、ＬＧは連結基である。幾つかの実施形態では、ＰＡは同じであり、他の実施形態では、それぞれのＰＡは異なる。幾つかの実施形態では、ＰＡは光活性化または金属活性化されて、Ｃ−Ｈおよび／またはＯ−Ｈ挿入が可能なナイトレン（ｎｉｔｒｅｎｅ）中間体を形成する。例えば、「Ｐｈｏｔｏｇｅｎｅｒａｔｅｄ  ｒｅａｃｔｉｖｅ  ｉｎｔｅｒｍｅｄｉａｔｅｓ  ａｎｄ  ｔｈｅｉｒ  ｐｒｏｐｅｒｔｉｅｓ（光生成反応性中間体とその特性）」、Ｌａｂｏｒａｔｏｒｙ  Ｔｅｃｈｎｉｑｕｅｓ  ｉｎ  Ｂｉｏｃｈｅｍｉｓｔｒｙ  ａｎｄ  Ｍｏｌｅｃｕｌａｒ  Ｂｉｏｌｏｇｙ  （生化学および分子生物学の実験室技術）第２章、Ｅｌｓｅｖｉｅｒ  Ｐｒｅｓｓ、１２：８−２４（１９８３）に記載されている。幾つかの実施形態において、ＰＡは、Ｃ−Ｈおよび／またはＯ−Ｈ挿入が可能なカルベン（ｃａｒｂｅｎｅ）またはカルベノイド中間体を形成するように活性化された金属である。例えば、ドイル他、「Ｃａｔａｌｙｔｉｃ  Ｃａｒｂｅｎｅ  Ｉｎｓｅｒｔｉｏｎ  ｉｎｔｏ  Ｃ−Ｈ  Ｂｏｎｄｓ（Ｃ−Ｈ結合への触媒的カルベン挿入）」Ｃｈｅｍ．  Ｒｅｖ．２：７０４−７２４（２０１０）を参照のこと。
【００９３】
幾つかの実施形態において、ＰＡはそれぞれアジド（ａｚｉｄｅ）（−Ｎ3）部分であり、光活性化によりＣ−Ｈおよび／またはＯ−Ｈ挿入可能なナイトレン中間体が生成され、それによりＰＥＧポリマーおよびＰＨＥＭＡポリマーの架橋を媒介する。幾つかの実施形態において、ＰＡはそれぞれジアゾ（ｄｉａｚｏ）（−Ｎ2）であり、金属触媒分解反応によりＣ−Ｈおよび／またはＯ−Ｈ挿入可能なカルベンまたはカルベノイド中間体が形成され、それによりＰＥＧポリマーおよびＰＨＥＭＡポリマーの架橋を媒介する。アジドおよびジアゾの調製は両方とも当技術分野で周知であり、アジドの場合、脱離基を有する適切な有機部分を用いたアジドアニオン、Ｎ3-のＳN2置換反応により容易に調製される。
【００９４】
式（Ｉ）のＬＧは、各ＰＡ部分の存在をサポートする任意の有機フラグメントであってもよい。直鎖または分岐鎖の単純なＣ2−Ｃ20炭化水素鎖であってもよい。そのような炭化水素は、任意の程度のフッ素置換を伴ってもよいフッ素化変異体を含み得る。幾つかの実施形態では、ＬＧは芳香族炭化水素を含み得る。例えば、ベンゼン、ナフタレン、ビフェニル、ビナフチル、または、芳香族構造とＣ2−Ｃ20炭化水素鎖との組み合わせを含むがこれらに限定されない。したがって、いくつかの実施形態では、ＬＧは、アルキル、アリールまたはアラルキル構造であり得る。幾つかの実施形態において、アルキル連結基は、酸素（Ｏ）またはアミン（ＮＲ）で置換された１つ以上の炭素を鎖内に有してもよく、ここでＲは、ＨまたはＣ1−Ｃ6アルキルである。
【００９５】
前述の実施形態によれば、架橋ＰＥＧ−ＰＨＥＭＡ構造は、式（ＩＩ）で表すことができる。
ＰＥＧ−Ａ−ＬＧ−Ａ−ＰＨＥＭＡ      （ＩＩ）
ＰＥＧがポリエチレングリコール部分である場合、Ａはそれぞれアジドまたはジアゾの触媒反応からの付着原子であり、すなわちＣＨ2またはＮＨであり、ＬＧは上記の連結基である。
【００９６】
図１０Ａにおいて、磁気ビーズ結合体１０１５は、生体分子１０２５または目的の分析物、例えば、抗体−分析物−磁気ビーズ結合抗体のサンドイッチ複合体のようなものと相互作用するように構成される。生体表面１０４５の下には、絶縁層１０５５が設けられている。絶縁層１０５５は、ＧＭＲセンサ１０１０と直接接触してもよく、例えば、金属酸化物層を含んでもよい。生体表面層１０４５は、絶縁層１０４５と直接接触している。ベース１０６５は、その上に設けられる各構成要素、ＧＭＲセンサ１０１０、絶縁層１０５５および生体表面層１０４５の足場として機能する。幾つかの実施形態では、ベース１０６５はシリコンウェハから作られる。
【００９７】
図１０Ｂは、ＧＭＲセンサの基本構造と原理を模式的に示している。典型的なＧＭＲセンサは、２つの磁性層１０８０Ａおよび１０８０Ｂの間に非磁性導電性中間層１０９０が挟まれた金属多層構造を有する。非磁性導電性中間層１４９０は、多くの場合、銅薄膜である。磁性層１０８０Ａおよび１０８０Ｂは、強磁性合金材料から形成されてもよい。
【００９８】
金属多層構造の電気抵抗は、磁性層１０８０Ａおよび１０８０Ｂの相対的な磁化方向に応じて変化する。平行磁化（図１０Ｂの右半分に示す）の部分は抵抗が低くなり、反平行磁化（図１０Ｂの左半分に示す）の部分は抵抗が高くなる。磁化の方向は、外部から印加される磁場によって制御可能である。このように、金属多層構造の電気抵抗の変化は外部磁場の関数となる。
【００９９】
ＧＭＲセンサは、異方性磁気抵抗（ＡＭＲ）センサまたはホール（Ｈａｌｌ）センサの感度を上回る感度を有する。この特性により、ナノメートルスケールで磁性材料からの漂遊磁場を検出することができる。例えば、センサ表面に結合した磁性ナノ粒子からの漂遊磁場は、磁性層の磁化を変化させ、ＧＭＲセンサの抵抗を変化させる。したがって、単位面積あたりのＧＭＲセンサに結合される磁性ナノ粒子数の変化は、ＧＭＲセンサの抵抗値の変化に反映され得る。
【０１００】
図１１Ａおよび図１２Ａには、ＧＭＲセンサが本明細書に記載されている様々な分析用途に従って動作する２つの例示的な基本モードが示されている。図１１Ａに例示される第１のモードでは、分析の開始時に、磁気ビーズ１１１５が生体表面１１６５を介してＧＭＲセンサ（図１１Ａ、１０１０を参照）の近くに装填される。分析中、対象の被検物質が存在すると、磁気ビーズ１１１５が生体表面１１６５から移動する（したがって、ＧＭＲセンサから移動する）。磁気ビーズがセンサ表面の近くから取り除かれることから、このモードはいわゆる除去（ｓｕｂｔｒａｃｔｉｖｅ）モードである。図１２Ａには、第２のメインモード、すなわち、付加（ａｄｄｉｔｉｖｅ）モードでの動作が示されている。このモードの分析では、対象の被検物質が存在する場合、ＧＭＲセンサ（図１０Ａ、１０１０を参照）の近くに磁気ビーズ１２１５が付加される。除去型または付加型のいずれかのモードは、センサ表面に近いビーズ（１１１５、１２１５）の数の変化に依存しており、それによってＧＭＲセンサシステムの抵抗が変化する。この抵抗の変化が測定され、対象の被検物質の濃度を定量的に決定することができる。
【０１０１】
図１１Ａには、例示的な除去型プロセスを通じたセンサ構造を示すセンサ構造図が示されている。プロセスの開始時に、システムは状態１１００ａにあり、この状態において、関連付けられた磁気ビーズ１１１５を備える複数の分子（典型的には生体分子）１１２５が、ＧＭＲセンサの生体表面１１６５上に配置されている。生体表面１１６５の上側の体積部分は、乾燥し始めるまたは溶媒が存在してもよい。乾燥している場合、検出プロセスは、例えば、緩衝液による溶媒プライミング工程を含んでもよい。被検物質が導入された後、システムは、被検物質の濃度に比例した量の磁気ビーズ１１１５が分子１１２５から除去された状態１１００ｂとなる。状態１１００ａおよび状態１１００ｂの変化は測定可能な抵抗の変化を提供し、それにより対象の被検物質の定量化が可能となる。幾つかの実施形態では、分子１１２５から被検物質により直接ビーズを取り除く単純な機構としてもよい。他の実施形態において、被検物質は分子１１２５と化学的に反応してビーズ１１１５が付着した分子の一部を切断し、それにより、ビーズ１１１５を分子１１２５の切断された部分共に放出するようにしてもよい。
【０１０２】
一実施形態では、生体表面１１６５はポリマーを含む。分子１１２５が生体表面１１６５へ共有結合するのを促進するように特定のポリマーを選択してもよい。他の実施形態において、分子１１２５は、静電相互作用を介して生体表面１１６５に結合されてもよい。例えば、生体分子を共有結合で固定するための従来の結合させる化学的構造を使用するべく、ポリマーコーティングを選択または修飾してもよい。結合させる化学的構造には、有機官能基ハンドルを含む任意の化学部分が挙げられ、特にこれらに限定されないが、アミン、アルコール、カルボン酸およびチオール基が挙げられる。共有結合させる化学的構造として、エステル、アミド、チオエステルおよびイミンの形成が含まれるが、これらに限定されない（これらは結合後、還元、すなわち還元的アミノ化される）。生体表面１１６５は、これに限定されないが、陰イオン界面活性剤、陽イオン界面活性剤および双性イオン界面活性剤を含む界面活性剤等の表面改質剤を含んでもよい。
【０１０３】
分子１１２５は、生体表面１１６５に付着可能な任意の数の受容体／リガンドを含み得る。幾つかの実施形態では、分子１１２５は様々な生体分子のいずれかを含む。生体分子にはＤＮＡ、ＲＮＡおよび遊離アミン基を含むタンパク質が含まれ、機能的ＮＨＳ基を利用してＧＭＲセンサ表面に共有結合で固定化できる。免疫測定では、被検物質に対して特異的な一次抗体（マウスのモノクローナルＩｇＧ）がＧＭＲ表面に付着する。全ての一次抗体は複数の遊離アミン基を有し、タンパク質の多くはリジンおよび／またはα−アミノ基を有する。リジンを含まない一級アミンが存在する限り、抗体はＧＭＲセンサに共有結合で固定される。センサ表面に抗体を固定するには、プリンターシステム（ｓｃｉＦＬＥＸＡＲＲＡＹＥＲ、Ｓｃｉｉｅｎｉｏｎ、ドイツ）を使用して、センサ表面に１．２ｎＬの一次抗体（ＰＢＳ緩衝液１ｍｇ／ｍＬ）を注入する。印刷された表面全てを、相対湿度約８５％、４oＣで一晩培養する。表面をブロッキング緩衝液（Ｔｒｉｓ緩衝液中に５０ｍＭエタノールアミンを含有）で３回洗浄し、同じ緩衝液を用いて３０分間さらにブロッキングする。
【０１０４】
幾つかの実施形態では、磁気ビーズ１１１５は、球状ナノ粒子を含むナノ粒子であってもよい。そのようなナノ粒子は、約２〜５０ナノメートル（ｎｍ）、約５〜２０ｎｍまたは約５〜１０ｎｍの範囲の有効径を有してもよい。幾つかの実施形態において、分子１１２５への共有結合を促進するために磁気ビーズ１１１５はコーティングされてもよい。他の実施形態では、磁気ビーズ１１１５をコーティングして、分子１１２５との静電的結合を促進してもよい。磁気ビーズ１１１５には、マルチプレックス検出スキームを容易にするために、異なる複数のタグ付けおよび／またはコーティングされてもよい。そのような実施形態では、異なるタグ付けおよび／またはコーティングは、異なる複数のＧＭＲセンサ上または複数の異なる分子空間的に組織化されてアドレス可能な信号を生成する１つのセンサ上に配置された異なる複数の分子と相互作用するように異なる複数のビーズが構成される。
【０１０５】
図１１Ｂは、図１１Ａのセンサ構造スキームに関連するプロセスフロー１１０１を示している。このプロセスは、ステップ１１２０においてサンプルをカートリッジアセンブリに注入することから開始される。次いで、ステップ１１３０において、濾過、希釈および／または化学修飾等の必要な工程を含む処理をサンプルに施す。これらの前処理工程の順序は、サンプルの性質および検出対象の被検物質に依存する。システム内における移動は空気圧で制御してもよい。ステップ１１４０は、処理済みサンプルを、対象物指定の流量でＧＭＲセンサに送達することを含む。流量は、ＧＭＲセンサ表面の化学反応速度を反映するように選択してもよい。ステップ１１５０において、ＧＭＲセンサ表面における磁気ビーズの濃度の変化が反映されたＧＭＲセンサからの読み取り値が取得される。これらの測定値により、ステップ１１６０において抵抗の変化を検出する。最後に、ステップ１１７０において、抵抗の変化に基づいて検出結果を計算する。
【０１０６】
図１２Ａには、例示的な付加型プロセスを通じたセンサ構造を示すセンサ構造図が示されている。プロセスの開始時に、システムは状態１２００ａにあり、この状態において、複数の分子（典型的には生体分子）１２２５が、ＧＭＲセンサの生体表面１２６５上に配置されている。第２の状態１２００ｂでは、複数の分子１２２５が選択されて対象の被検物質１２９０と結合する。検出対象の被検物質１２９５は、磁気ビーズ１２１５を結合するように構成されている。幾つかの実施形態では、検出対象の被検物質１２９５は、生体表面１２６５を通過する前にビーズに結合される。例えば、これは検査されるサンプルの前処理中に発生する場合がある。（他の実施形態では、図１３Ａを参照して以下で説明するように、検出対象の被検物質１２９５が最初に生体表面を通過し、次に被検物質が生体表面１２６５に結合した後、検出対象の被検物質１２９５を磁気ビーズ１２１５で修飾してもよい）。幾つかの実施形態では、所与の検出対象の被検物質１２９５は、磁性粒子１２１５と結合する前に化学修飾を必要としてもよい。幾つかの実施形態では、磁気ビーズ１２１５は、検出対象の被検物質１２９５と相互作用するように修飾されてもよい。磁気ビーズ１２１５が存在しない状態１２００ａから磁気ビーズ１２１５が生体表面１２６５に結合されている状態１２００ｂまでの測定抵抗値の変化により、被検物質の量を測ることができる。
【０１０７】
図１２Ｂは、図１２Ａのセンサ構造スキームに関連するプロセスフロー１２０１を示している。このプロセスは、ステップ１２２０においてサンプルをカートリッジアセンブリに注入することから開始される。次いで、ステップ１２３０において、濾過、希釈および／または化学修飾等の必要な工程を含む処理をサンプルに施す。これらの前処理工程の順序は、サンプルの性質および検出対象の被検物質に依存する。システム内における移動は空気圧で制御してもよい。ステップ１２４０は、処理されたサンプルを反応チャンバに送ることを含む。次いでステップ１２５０は、ビーズを反応チャンバに導入し、検出対象の被検物質を修飾することを含む。上述のように、このような修飾は反応チャンバ内ではなく、センサ表面上で直接実行されてもよい。ステップ１２６０において、修飾されたサンプルは、目標流量でＧＭＲセンサへと送られる。流量は、ＧＭＲセンサ表面の化学反応速度を反映するように選択してもよい。ステップ１２７０において、ＧＭＲセンサ表面における磁気ビーズの濃度の変化が反映されたＧＭＲセンサからの読み取り値が取得される。これらの測定値により、ステップ１２８０において抵抗の変化を検出する。最後に、ステップ１２９０において、抵抗の変化に基づいて検出結果を計算する。
【０１０８】
図１３Ａには、例示的な付加型プロセスにおけるセンサ構造状態１３００ａ〜ｃを示すセンサ構造図が示されている。プロセスの開始時に、システムは状態１３００ａにあり、この状態において、複数の分子（典型的には生体分子）１３２５が、ＧＭＲセンサの生体表面１３６５上に配置されている。第２の状態１３００ｂでは、複数の分子１３２５が選択されて対象の被検物質１３９５と結合する。状態１３００ｃでは、対象の被検物質１３９５は磁気ビーズ１３１５に結合するように構成される。幾つかの実施形態では、所与の検出対象の被検物質１３９５は、磁性粒子１３１５と結合する前に化学修飾を必要としてもよい。他の実施形態では、検出対象の被検物質１３９５は、化学修飾なしで磁性ナノ粒子１３１５に結合してもよい。幾つかの実施形態では、磁気ビーズ１３１５は、検出対象の被検物質１３９５と相互作用するようにコーティングまたは修飾されてもよい。磁気ビーズ１３１５が存在しない状態１３００ａから磁気ビーズ１３１５が生体表面１３６５に結合されている状態１３００ｃまでの測定抵抗値の変化により、検出対象の被検物質１３９５の量を測ることができる。
【０１０９】
図１３Ｂは、図１３Ａのセンサ構造スキームに関連するプロセスフロー１３０１ａを示している。このプロセスは、ステップ１３１０においてサンプルをカートリッジアセンブリに注入することから開始される。次いで、ステップ１３２０において、濾過、希釈等の必要な工程を含む処理をサンプルに施す。これらの前処理工程の順序は、サンプルの性質および検出対象の被検物質に依存する。ステップ１３３０において、処理されたサンプルが反応チャンバに送られる。システム内における移動は空気圧で制御してもよい。ステップ１３４０は、サンプルチャンバ内に存在する被検物質を試薬で修飾して、磁性粒子と相互作用させることを含む。ステップ１３５０において、修飾されたサンプルは、目標流量でＧＭＲセンサへと送られる。流量は、ＧＭＲセンサ表面の化学反応速度を反映するように選択してもよい。次に、ステップ１３６０において、ビーズをＧＭＲセンサに導入する。ビーズは、修飾された被検物質と相互作用可能となっている。幾つかの実施形態では、修飾された被検物質との相互作用を可能にするコーティングまたはその他の連結分子等でビーズも修飾されてもよい。ステップ１３７０において、ＧＭＲセンサ表面における磁気ビーズの濃度の変化が反映されたＧＭＲセンサからの読み取り値が取得される。これらの測定値により、ステップ１３８０において抵抗の変化を検出する。最後に、ステップ１３９０において、抵抗の変化に基づいて検出結果を計算する。
【０１１０】
図１３Ｃは、図１３Ａのセンサ構造スキームに関連する別のプロセスフロー１３０１ｂを示している。このプロセスは、ステップ１３０２においてサンプルをカートリッジアセンブリに注入することから開始される。次いで、ステップ１３０４において、濾過、希釈等の必要な工程を含む処理をサンプルに施す。これらの前処理工程の順序は、サンプルの性質および検出対象の被検物質に依存する。システム内における移動は空気圧で制御してもよい。ステップ１３０６において、修飾されたサンプルは、目標流量でＧＭＲセンサへと送られる。流量は、ＧＭＲセンサ表面の化学反応速度を反映するように選択してもよい。ステップ１３０８は、サンプル内に存在する被検物質を試薬で修飾して、磁性粒子と相互作用させることを含む。次に、ステップ１３１２において、ビーズをＧＭＲセンサに導入する。ビーズは、修飾された被検物質と相互作用可能となっている。幾つかの実施形態では、修飾された被検物質との相互作用を可能にするコーティングまたはその他の連結分子等でビーズも修飾されてもよい。ステップ１３１４において、ＧＭＲセンサ表面における磁気ビーズの濃度の変化が反映されたＧＭＲセンサからの読み取り値が取得される。これらの測定値により、ステップ１３１６において抵抗の変化を検出する。最後に、ステップ１３１８において、抵抗の変化に基づいて検出結果を計算する。
【０１１１】
図１４Ａには、例示的な付加型プロセスを通じたセンサ構造状態１４００ａ〜ｃを示すセンサ構造図が示されている。プロセスの開始時に、システムは状態１４００ａにあり、この状態において、複数の分子（典型的には生体分子）１４２５が、ＧＭＲセンサの生体表面１４６５上に配置されている。複数の分子１４２５は、検出対象の被検物質と相互作用する（化学的に反応する）ように選択される。この相互作用により、第２の状態１４００ｂに示されるように、分子１４２５を（被検物質の濃度に比例して）修飾して、修飾された分子１４１１が提供される。状態１３００ｃでは、修飾された分子１４１１は磁気ビーズ１４１５に結合するように構成される。幾つかの実施形態では、修飾された分子１４１１は、磁性粒子１４１５と結合する前に更なる化学修飾を必要としてもよい。他の実施形態では、修飾された分子１４１１は、化学修飾なしで磁性ナノ粒子１４１５に結合してもよい。幾つかの実施形態では、磁気ビーズ１４１５は、修飾された分子１４１１と相互作用するようにコーティングまたは修飾されてもよい。磁気ビーズ１４１５が存在しない状態１４００ａから磁気ビーズ１４１５が修飾された分子１４１１を介して生体表面１４６５に結合されている状態１４００ｃまでの測定抵抗値の変化により、検出対象の被検物質の量を測ることができる。プロセス全体において、検出対象の被検物質は、複数の分子１４２５を化学的に修飾するための試薬としての役割を果たしているだけであり、この機能を実行した後は、当該プロセスの一部として関わることがないことに留意されたい。
【０１１２】
図１４Ｂは、図１４Ａのセンサ構造スキームに関連するプロセスフロー１４０１を示している。このプロセスは、ステップ１４２０においてサンプルをカートリッジアセンブリに注入することから開始される。次いで、ステップ１４３０において、濾過、希釈等の必要な工程を含む処理をサンプルに施す。これらの前処理工程の順序は、サンプルの性質および検出対象の被検物質に依存する。システム内における移動は空気圧で制御してもよい。ステップ１４４０において、処理されたサンプルは指定流量でＧＭＲセンサに送られる。流量は、ＧＭＲセンサ表面の化学反応速度を反映するように選択してもよい。次に、ステップ１４５０において、ビーズをＧＭＲセンサに導入する。ビーズは、生体表面上の修飾された分子と相互作用可能となっている。幾つかの実施形態では、生体表面上の修飾された分子との相互作用を可能にするコーティングまたはその他の連結分子等により、ビーズが修飾されてもよい。ステップ１４６０において、ＧＭＲセンサ表面における磁気ビーズの濃度の変化が反映されたＧＭＲセンサからの読み取り値が取得される。これらの測定値により、ステップ１４７０において抵抗の変化を検出する。最後に、ステップ１４８０において、抵抗の変化に基づいて検出結果を計算する。
【０１１３】
図１５Ａには、例示的な付加型プロセスを通じたセンサ構造状態１５００ａ〜ｃを示すセンサ構造図が示されている。プロセスの開始時に、システムは状態１５００ａにあり、この状態において、複数の分子（典型的には生体分子）１５２５が、ＧＭＲセンサの生体表面１５６５上に配置されている。複数の分子１５２５は、検出対象の被検物質と相互作用する（化学的に反応する）ように選択される。この相互作用により、第２の状態１５００ｂに示されるように、分子１５２５を（被検物質の濃度に比例して）修飾して、修飾された分子１５１１が提供される。状態１５００ｃに示されるように、修飾された分子１５１１は磁気ビーズ１５１５との結合を阻むように構成され、磁気ビーズは、被検物質によって修飾されなかった分子１５２５にのみ結合する。幾つかの実施形態では、磁気ビーズ１５１５は、分子１５２５と相互作用するようにコーティングまたは修飾されてもよい。磁気ビーズ１５１５が存在しない状態１５００ａから磁気ビーズ１５１５が修飾された分子１５２５を介して生体表面１５６５に結合されている状態１５００ｃまでの測定抵抗値の変化により、検出対象の被検物質の量を測ることができる。プロセス全体において、検出対象の被検物質は、複数の分子１５２５を化学的に修飾するための試薬としての役割を果たしているだけであり、この機能を実行した後は、当該プロセスの一部として関わることがないことに留意されたい。
【０１１４】
図１５Ｂは、図１５Ａのセンサ構造スキームに関連するプロセスフロー１５０１を示している。このプロセスは、ステップ１５１０においてサンプルをカートリッジアセンブリに注入することから開始される。次いで、ステップ１５２０において、濾過、希釈等の必要な工程を含む処理をサンプルに施す。これらの前処理工程の順序は、サンプルの性質および検出対象の被検物質に依存する。システム内における移動は空気圧で制御してもよい。ステップ１５３０において、処理されたサンプルが指定流量でＧＭＲセンサに送られる。流量は、ＧＭＲセンサ表面の化学反応速度を反映するように選択してもよい。次に、ステップ１５４０において、ビーズをＧＭＲセンサに導入する。ビーズは、生体表面上の修飾されていない分子と相互作用可能となっている。幾つかの実施形態では、修飾されていない分子との相互作用を可能にするコーティングまたはその他の連結分子等でビーズも修飾してもよい。ステップ１５５０において、ＧＭＲセンサ表面における磁気ビーズの濃度の変化が反映されたＧＭＲセンサからの読み取り値が取得される。これらの測定値により、ステップ１５６０において抵抗の変化を検出する。最後に、ステップ１５７０において、抵抗の変化に基づいて検出結果を計算する。
【０１１５】
図１６Ａには、被検物質１６９５（状態１６００ｂ）の検出のためにサンドイッチ抗体を使用する例示的な付加プロセスにおけるセンサ構造状態１６００ａ〜ｄを示したセンサ構造図が示されている。プロセスの開始時に、システムは状態１６００ａにあり、この状態において、複数の抗体１６２５が、ＧＭＲセンサの生体表面１６６５上に配置されている。次に、状態１６００ｂにおいて、被検物質１６９５は生体表面１６４５上を通過し、被検物質１６９５が抗体１６２５へ結合する。次いで、状態１６００ｃにおいて、共有結合したビオチン部分（Ｂ）が設けられた二次抗体１６３５に結合することにより、被検物質１６９５が修飾される。次いで、ストレプトアビジン（Ｓ）で修飾された磁気ビーズ１６１５が添加されて、ビオチン−ストレプトアビジンの強力な結合が可能となり、状態１６００ｄとなる。いくつかの実施形態において、ストレプトアビジンは、磁気ビーズ１６１５上のコーティングとして提供される。
【０１１６】
図１６Ｂは、図１６Ａのセンサ構造スキームに関連するプロセスフロー１６０１を示している。このプロセスは、ステップ１６１０においてサンプルをカートリッジアセンブリに注入することから開始される。次いで、ステップ１６２０において、濾過、希釈等の必要な工程を含む処理をサンプルに施す。これらの前処理工程の順序は、サンプルの性質および検出対象の被検物質に依存する。システム内における移動は空気圧で制御してもよい。ステップ１６３０において、処理されたサンプルが指定流量でＧＭＲセンサに送られる。そのような流速は、ＧＭＲセンサ表面における生体表面に結合した抗体と被検物質との間の化学動力学を反映するように選択されてもよい。次に、ステップ１６４０において、ビオチン化抗体（Ａｂ）をＧＭＲセンサに導入する。これにより、２つの抗体間に挟まれた被検物質の「サンドイッチ」構造が作成される。ステップ１６５０において、ストレプトアビジンで被覆されたビーズがＧＭＲセンサに導入され、ビオチン結合抗体と相互作用する。ステップ１６６０において、ＧＭＲセンサ表面における磁気ビーズの濃度の変化が反映されたＧＭＲセンサからの読み取り値が取得される。これらの測定値により、ステップ１６７０において抵抗の変化を検出する。最後に、ステップ１６８０において、抵抗の変化に基づいて検出結果を計算する。
【０１１７】
図１６Ａおよび図１６Ｂのスキームは、心臓バイオマーカで実施され、概念実証の結果が図１７Ａ〜図１７Ｃに示されている。図１７Ａは、心臓バイオマーカＤダイマーを検出するように設計された検査における時間（秒）に対するＧＭＲ信号（ｐｐｍ）のプロットを示している。このデータを生成するのに、０．０５％アジ化ナトリウムを含むＰＢＳ緩衝液中の１ｍｇ／ｍＬのＤ−ダイマー抗体２ｎＬを使用して、Ｄ−ダイマー捕捉抗体を印刷して生体表面を用意した。また、潜在的な交差反応性を検査するために、０．０５％アジ化ナトリウムを含むＰＢＳ緩衝液中に１ｍｇ／ｍＬトロポニンＩ抗体の溶液２ｎＬを使用して、２つの複合捕捉抗体を印刷することにより、生体表面をトロポニンＩ捕捉抗体で官能化した。更に、他の２つの対照群を生体表面に印刷した。１つ目は、０．０５％アジ化ナトリウムを含むＰＢＳ緩衝液中の０．５％ＢＳＡ溶液２ｎＬを印刷することにより調製された陰性対照群であり、２つ目は、マウスＩｇＧとビオチンとの複合体１ｍｇ／ｍＬを含有する０．０５％アジ化ナトリウムを含むＰＢＳ緩衝液２ｎＬを印刷することにより調製された陽性対照群である。印刷されたセンサは心臓検査カートリッジに組み込まれ、図１６Ａおよび図１６Ｂを参照して前述した「サンドイッチ」構造アッセイを使用するように構成されている。
【０１１８】
サンプル検査中に、１２０マイクロリットルの血漿または全血をカートリッジのサンプルウェルに装填した。サンプルがサンプルウェルからフローチャネルに引き込まれる際に薄膜フィルタによって血球が除去される。４０マイクロリットルの血漿（または全血の血漿成分）を計量チャネルに流し、抗体／ビオチン結合体、ブロッカーおよびマウスＩｇＧを含有するチャネル内の沈殿粉末をサンプル溶液中に溶解する。センサ領域上を流れる間に、センサ表面に固定された被検物質、抗体／ビオチン複合体および抗体は、抗体−被検物質−ビオチン化抗体のサンドイッチ構造を形成する。流量は検査の種類に応じて調整される。トロポニンＩの場合、サンプルは１マイクロリットル／分の流量で２０分間センサへと流される。Ｄダイマーの場合、サンプルは４マイクロリットル／分の流量で５分間流される。サンプルの流れに続いて、ストレプトアビジンでコーティングされた磁気ビーズが導入される。磁気ビーズは、センサ表面上のビオチン化抗体が結合している場所に結合する。ＧＭＲセンサは、結合した磁気ビーズを測定する。これは、サンプルに含まれる被検物質の濃度に比例する。ビーズ溶液は、４〜１０マイクロリットル／分の流量でセンサへと５分間流される。ビーズが結合し始めてから３００秒以内に、信号のピーク値を読み取った。
【０１１９】
図１７Ａのプロットに示されているように、ＢＳＡだけを印刷した陰性対照はＤ−ダイマーに結合しなかったため、想定された通り、信号はベースライン近くに留まった。ビオチン化マウスＩｇＧを用いた陽性対照は、想定された通り、有効なビーズ結合を示した。６６６．６ｎｇ／ｍＬのヒトＤダイマーの実際のサンプルのプロットには、実際のサンプルでＤダイマーが正常に検出されたことを示す約７５０ｐｐｍのピーク検出信号が表われている。２つの結合トロポニンＩ捕捉抗体との交差反応性は実質的に見られなかった（明確にするため、これらのラインは陰性対照のラインに非常に近いため、表示していない）。
【０１２０】
図１７Ｂは、可変濃度、固定濃度のＤダイマーでサンプルを実行した場合のＤダイマーの検量線（ｐｐｍでのＧＭＲ信号対Ｄダイマー濃度）を示している。検量線により、分析対象の被検物質としてＤダイマーを含有する未知のサンプルの濃度を計算できる。図１７Ｃに示す同様のプロットは、心臓バイオマーカ、トロポニンＩについてのプロットであり、これらの結果を合わせて、被験者の血液または血漿サンプル中のＤ−ダイマーおよびトロポニンＩの検出の実行可能性が確立される。
［金属検出への適用］
【０１２１】
図１８は、上記の実施形態による、ＧＭＲセンサプラットフォームを使用した鉛検出スキームへの適用を例示している。二本鎖ＤＮＡがセンサの生体表面に印刷され、１本の鎖はビオチン化されている（Ｂ）。鉛が存在しない場合、ストレプトアビジンでタグ付けされた（またはコーティングされた）磁性ナノ粒子（ＭＮＰ）は、ＤＮＡ基質鎖の一部であるビオチン（Ｂ）に結合できる。鉛が存在する場合、Ｐｂ活性化ＤＮＡザイム（ＤＮＡｚｙｍｅ）はビオチン含有基質鎖を開裂する。開裂されると、ストレプトアビジンでタグ付けされたＭＮＰは、鎖のビオチン化部分がもはや存在しないため、ＤＮＡ鎖に結合できない。したがって、ＭＮＰは、サンプルに鉛が存在しない場合には、ＧＭＲ表面にのみ結合する。存在する鉛が多いほど、生体表面のＤＮＡに結合するＭＮＰが少なくなる。このようなスキームを、水、血液または他の目的の液体中の鉛の検出に使用できる。
【０１２２】
図１９は、上記の実施形態に係るＧＭＲセンサプラットフォームを使用した水銀検出スキームへの適用を例示している。Ｈｇ−ＢＳＡ基質が生体表面に固定される。水銀（Ｈｇ）イオン（ＩもしくはＩＩまたは両方）が存在しない場合、ビオチン化（Ｂ）Ｈｇ抗体は、生体表面に結合したＨｇ−ＢＳＡに結合することができる。Ｈｇイオンが存在する場合には、Ｈｇイオンはビオチン化Ｈｇ抗体のＨｇ−ＢＳＡへの結合部位をブロックし、Ｈｇ抗体がＨｇ−ＢＳＡに結合するのを防ぐ。上記のように、ストレプトアビジンでタグ付けされた（またはコーティングされた）磁性ナノ粒子はビオチンに結合できる。したがって、水銀イオンが溶液中に多く存在するほど、水銀のビオチン化Ｈｇ抗体への結合が阻害されるため、最終的にセンサの生体表面に結合する磁気ビーズが少なくなる。
【０１２３】
図２０は、上記の実施形態に係る、ＧＭＲセンサプラットフォームを使用したカドミウムまたはヒ素の検出スキームへの適用を示している。センサの生体表面には、検出タンパク質と結合可能な二本鎖ＤＮＡが印刷されている。検出対象の金属検体を含有し得るサンプルの存在下で、検出タンパク質ａｒｓＲ（ヒ酸塩ＩＩＩ検出用）またはＰｃａｄ（カドミウム検出用）が添加される。それぞれの重金属イオンが存在する場合には、検出タンパク質はＤＮＡ二本鎖に結合することができないため、サンプルに重金属イオンが存在しないことに比例してＤＮＡ−タンパク質の結合が起こる。これは、上記の水銀の検出と同様の競合的結合の事象である。次に、ビオチン化（Ｂ）レポータータンパク質を添加する。このタンパク質は検出タンパク質に結合できる。検出タンパク質がＤＮＡ二本鎖に結合している場合、ビオチン化レポータはＤＮＡタンパク質複合体に固定される。ストレプトアビジンでタグ付けされた磁性ナノ粒子は、生体表面に結合しているビオチン化レポータータンパク質に結合する。したがって、カドミウムまたはヒ素の濃度が低いほど、より多くのビーズが生体表面に結合する。
【０１２４】
以下は、本明細書で詳述された原理に従って達成され得る被検物質検知の用途の非限定的なリストである。
【０１２５】
（１）血液サンプルは、タンパク質またはＤＮＡ等の他の物質を含有する被検物質を含み、ＧＭＲデバイスを使用した免疫測定法により被検物質を測定可能である。検出可能な被検物質に関連する例示的な病態は、以下に示す表１に要約されている。
【表１】
0006982099.tif 000002
【０１２６】
（２）本書に記載されているＧＭＲシステムは、尿における被検物質の検出にも使用可能である。尿中の任意のタンパク質、ＤＮＡ、金属または他の物質を、本明細書に記載のＧＭＲデバイスによって測定および／または検出することができる。尿関連タンパク質バイオマーカには、妊娠高血圧腎症、ヒト絨毛性ゴナドトロピン（ｈＣＧ）、腎障害分子−１（ＫＩＭ−１）、好中球ゼラチナーゼ関連リポカリン（ＮＧＡＬ）、インターロイキン（ＩＬ）−１８および脂肪酸結合タンパク質（ＦＡＢＰ）、核マトリックスタンパク質２２（ＮＭＰ２２）、ＢＬＣＡ−４、ならびに、表皮成長因子受容体（ＥＧＦＲ）等が挙げられるが、これらに限定されない。薬物および／またはその主要な尿代謝産物には、アセトアミノフェン／パラセタモール（ＡＰＡＰ）、アンフェタミン（ＡＭＰ）、メタンフェタミン（ｍＡＭＰ）、バルビツール酸（ＢＡＲ）、ベンゾジアゼピン（ＢＺＯ）、コカイン（ＣＯＣ）、メタドン（ＭＴＤ）、オピエート（ＯＰＩ）、フェンシクリジン（ＰＣＰ）、ＴＨＣ、三環系抗鬱薬（ＴＣＡ）等が挙げられる。
【０１２７】
（３）本書に記載されているＧＭＲシステムは、唾液における被検物質の検出にも使用可能である。唾液または口腔内上皮組織中の任意のタンパク質、ＤＮＡ、金属または他の物質を、本明細書に記載のＧＭＲデバイスによって測定および／または検出することができる。バイオマーカの例としては、マトリックスメタロプロテイナーゼ（すなわち、ＭＭＰ１、ＭＭＰ３、ＭＭＰ９）、サイトカイン（すなわち、インターロイキン−６、インターロイキン−８、血管内皮成長因子Ａ（ＶＥＧＦ−Ａ）、腫瘍壊死因子（ＴＮＦ）、トランスフェリン、線維芽細胞成長因子、骨髄関連タンパク質１４（ＭＲＰ１４）、プロフィリン、ＣＤ分類５９（ＣＤ５９）、カタラーゼおよびＭａｃ−２結合タンパク質（Ｍ２ＢＰ）等が挙げられるが、これらに限定されない。薬物には、アンフェタミン（ＡＭＰ）、バルビツール酸塩（ＢＡＲ）、ベンゾジアゼピン（ＢＺＯ）、ブプレノルフィン（ＢＵＰ）、コカイン（ＣＯＣ）、コチニン（ＣＯＴ）、フェンタニル（ＦＹＬ）、Ｋ２／スパイス（Ｋ２）、ケタミン（ＫＥＴ）、メタンフェタミン（ＭＥＴ）、メタドン（ＭＴＤ）、オピエート（ＯＰＩ）、オキシコドン（ＯＸＹ）、フェンシクリジン（ＰＣＰ）、マリファナ（ＴＨＣ）およびトラマドール（ＴＭＬ）が挙げられる。
【０１２８】
（４）本書に記載されているＧＭＲシステムは、眼液における被検物質の検出にも使用可能である。眼液中の任意のタンパク質、ＤＮＡ、金属または他の物質を、本明細書に記載のＧＭＲデバイスによって測定および／または検出することができる。眼液タンパク質バイオマーカには、α−エノラーゼ、α−１酸性糖タンパク質１、Ｓ１００  Ａ８／カルグラニュリンＡ、Ｓ１００  Ａ９／カルグラニュリンＢ、Ｓ１００  Ａ４およびＳ１００  Ａ１１（カルギザリン）、プロラクチン誘導性タンパク質（ＰＩＰ）、リポカリン−１（ＬＣＮ−１）、ラクトフェリンおよびリゾチーム、ｂ−アミロイド１−４０、好中球デフェンシンＮＰ−１およびＮＰ−２等が挙げられ、これらはシステム内のサンドイッチ分析で測定可能である。
【０１２９】
（５）本明細書に開示される実施形態は、バイオマーカ等の対象の被検物質を検出するサンプルとしてリキッド・バイオプシー（液体生検）を利用してもよい。いくつかのそのような実施形態では、患者の血液中の癌を特定する方法が提供され得る。以下に説明する方法は、血液中に見られるＤＮＡの「まれな」突然変異を検出するのに使用できる。癌細胞からのＤＮＡが頻繁に血流に入り込むものの、血液由来のＤＮＡのほとんど（＞９９％）は健康な細胞由来のものである。本明細書で開示される方法は、これらの「まれな」突然変異の検出および結果の検証を提供する。本明細書に開示される方法は、ＧＭＲ検出プラットフォームを使用して一度の分析で捕捉される多段階プロセスを提供する。
【０１３０】
本明細書に開示される方法は、血液からＤＮＡを抽出することを含み、本明細書の実施形態に従って、血液からのＤＮＡの必要な抽出および精製をカートリッジで自動化される。幾つかの実施形態では、抽出プロセスの一部としてシリカ膜が使用されるが、本明細書の方法はこれに限定されない。本方法では、抽出および精製後、対象のバイオマーカが選択的に増幅される。幾つかの実施形態では、癌のＤＮＡのみを増幅する方法は、ロックされた核酸を使用してブロッカーとして作用させ、正常なＤＮＡが増幅されるのを阻むことを含む。その他の選択的増幅方法は、当該分野で公知である。本方法における次の工程では、対象の癌のＤＮＡバイオマーカが患者のサンプルに存在するかどうかを検出する。幾つかの実施形態において、これは、二本鎖ＤＮＡ（ｄｓＤＮＡ）を一本鎖ＤＮＡ（ｓｓＤＮＡ）に変換するエキソヌクレアーゼを使用して行われる。ｄｓＤＮＡをｓｓＤＮＡに変換する他の方法は、当技術分野で知られている。方法では、次いで、生体表面に印刷されたＤＮＡの相補的な部分を使用して、ｓｓＤＮＡを捕捉する。幾つかの実施形態では、ｓｓＤＮＡは末端に付着したビオチンを有し、このビオチンはストレプトアビジンでタグ付けされた磁気ビーズを捕捉する。幾つかの実施形態では、方法は、（患者からの）ｓｓＤＮＡが印刷されたプローブ（ＤＮＡの合成部分）に完全に相補的であるかどうかを検証することを含む。検証は、熱を利用して２つのＤＮＡ間の結合を変性させることで行える。不完全な結合では、完全な結合よりも低い温度で変性（または分離）する。これにより、信号の検証が可能になり、信号が真陽性か偽陽性かを判断できる。この検証工程により、より精度の高い患者の診断を達成できる。ＤＮＡを変性させるには、加熱以外にも他の方法が当技術分野で知られている。
【０１３１】
本明細書では、核酸を分析するための方法および組成物が提供される。幾つかの実施形態では、核酸断片を含有する混合物中における核酸断片の分析が行われる。核酸は、任意の種類の適切な生物学的標本またはサンプル（例、検査サンプル）から分離されてもよい。幾つかの実施形態では、サンプルは核酸を含む。サンプルまたは検査サンプルは、被験者（例えば、哺乳類、ヒト）から単離または取得された任意の検体であり得る。検体の非限定的な例には、血液、羊水、脳脊髄液、脊髄液、洗浄液（例えば、気管支肺胞、胃、腹膜、乳管、耳、関節鏡の洗浄液）、生検などが含まれるが、生検標本、尿、糞便、唾液、鼻粘液、前立腺液、洗浄液、精液、リンパ液、胆汁、涙、汗、母乳等の被験者からの液体もしくは組織、または、これらの組み合わせが挙げられる。幾つかの実施形態において、生体試料は、血液または血液製剤（例えば、血漿または血清）である。核酸は、１つまたは複数のサンプルまたはソースに由来する場合がある。
【０１３２】
いくつかの実施形態において、サンプルは、１つ以上の適切な細胞溶解試薬と接触させられる。溶解試薬は、多くの場合、細胞全体を溶解するように、および／または、汚染物質（例えば、タンパク質、炭水化物、脂肪酸）から核酸を分離するように構成されている。細胞溶解試薬の非限定的な例として、界面活性剤、低張液、高塩濃度溶液、アルカリ溶液、有機溶媒（例えば、フェノール、クロロホルム）、カオトロピック塩、酵素またはこれらの組み合わせが含まれる。本明細書に記載の方法において、任意の適切な溶解手順を使用してもよい。
【０１３３】
「核酸（ｎｕｃｌｅｉｃ  ａｃｉｄ）」という用語は、デオキシリボ核酸（ＤＮＡ、例えば相補的ＤＮＡ（ｃＤＮＡ）、ゲノムＤＮＡ（ｇＤＮＡ）等）および／またはリボ核酸（ＲＮＡ、例えばｍＲＮＡ、短い抑制性ＲＮＡ（ｓｉＲＮＡ））、ＤＮＡまたはＲＮＡ類似体（例えば、塩基類似体、糖類似体および／または非天然骨格等を含む）、ＲＮＡ／ＤＮＡハイブリッドおよびポリアミド核酸（ＰＮＡ）等、および、これらの組み合わせを指す。核酸は一本鎖でも二本鎖でもよい。幾つかの実施形態では、核酸はプライマである。幾つかの実施形態では、核酸は標的核酸である。標的核酸は、多くの場合、検出対象の核酸である。
【０１３４】
特定の実施形態では、核酸を含有するサンプルを処理することなく、本明細書に記載の方法を実施するべく、核酸を提供してもよい。幾つかの実施形態では、核酸を含むサンプルの処理後に本明細書に記載の方法を実施するための核酸が提供される。例えば、核酸は、本明細書に記載の方法の前、最中または後にサンプルから抽出、単離、精製、部分精製または増幅することができる。
【０１３５】
いくつかの実施形態において、核酸は、核酸増幅を含むプロセスによって増幅され、核酸の一方または両方のストランドは、核酸のストランドのコピーまたは相補的コピーが生成されるように酵素的に複製される。増幅プロセスによって生成される核酸のコピーは、しばしばアンプリコン（複製配列）と称される。核酸増幅プロセスでは、テンプレートもしくは標的核酸またはこれらのセグメントと、同じまたは実質的に同じヌクレオチド配列を有するアンプリコンが一次関数的にまたは指数関数的に生成されてもよい。核酸は好適な核酸増幅プロセスによって増幅され、このような増幅プロセスの非制限的な例としては、ポリメラーゼ連鎖反応（ＰＣＲ）、ネスト（ｎ）ＰＣＲ、定量（ｑ）ＰＣＲ、リアルタイムＰＣＲ、逆転写（ＲＴ）ＰＣＲ、等温増幅（例えば、ＬＡＭＰ（ｌｏｏｐ  ｍｅｄｉａｔｅｄ  ｉｓｏｔｈｅｒｍａｌ  ａｍｐｌｉｆｉｃａｔｉｏｎ）法）、定量的核酸配列ベース増幅（ＱＴ−ＮＡＳＢＡ）等、これらの変形およびこれらの組み合わせが含まれ得る。幾つかの実施形態では、増幅プロセスはポリメラーゼ連鎖反応を含む。幾つかの実施形態では、増幅プロセスは等温増幅プロセスを含む。
【０１３６】
幾つかの実施形態では、核酸増幅プロセスは、１つ以上のプライマ（例えば、特異的に核酸テンプレートまたは核酸標的にハイブリダイズ（ｈｙｂｒｉｄｉｚｅ）できる短いオリゴヌクレオチド）の使用を含む。ハイブリダイズしたプライマは、核酸増幅プロセス中にポリメラーゼによって伸長されることが多い。幾つかの実施形態において、核酸を含むサンプルは、一つまたは複数のプライマと接触する。幾つかの実施形態において、核酸は、一つまたは複数のプライマと接触する。プライマは、固体の基質に付着する、または、溶液中に遊離してもよい。
【０１３７】
幾つかの実施形態では、核酸またはプライマは、１つまたは複数の識別可能な識別子（ｉｄｅｎｔｉｆｉｅｒ）を含む。本明細書に記載の組成物または方法には、任意の適切な識別可能な識別子および／または検出可能な識別子を使用することができる。ある実施形態において、識別可能な識別子は、核酸に直接的または間接的に関連付けられ得る（例えば、結合される）。例えば、識別可能な識別子は、核酸に共有結合または非共有結合してもよい。幾つかの実施形態において、識別可能な識別子は、核酸に共有結合または非共有結合した結合対のうちの一つに付着している。幾つかの実施形態では、識別可能な識別子は、核酸と可逆的に関連付けられる。ある実施形態において、核酸と可逆的に関連する識別可能な識別子は、適切な方法を使用して核酸から除去することができる（例えば、塩濃度を上げる、変性、洗浄、適切な溶媒の添加および／または加熱を行う）。
【０１３８】
幾つかの実施形態では、識別可能な識別子は標識（ｌａｂａｌ）である。幾つかの実施形態では、核酸は検出可能な標識を含み、非限定的な例として、放射性標識（例えば、同位体）、金属標識、蛍光標識、発色団、化学発光標識、電気化学発光標識（例えば、Ｏｒｉｇｅｎ（商標））、リン光標識、消光剤（例、フルオロフォア消光剤）、蛍光共鳴エネルギー移動（ＦＲＥＴ）対（例えば、ドナーとアクセプタ）、色素、タンパク質（例、酵素（例えば、酵素（アルカリホスファターゼと西洋ワサビペルオキシダーゼ））、酵素基質、小分子、質量タグ、量子ドット等またはこれらの組み合わせが挙げられる。任意の好適なフルオロフォア（ｆｌｕｏｒｏｐｈｏｒｅ）を標識として使用してもよい。発光標識は様々な方法によって検出および／または定量することができ、例えば、光電セル、デジタルカメラ、フローサイトメトリ、ゲル電気泳動、フィルムへの露光、質量分析、細胞蛍光分析、蛍光顕微鏡、共焦点レーザ走査顕微鏡法、レーザ走査サイトメトリ等、および、これらの組み合わせによって行うことができる。
【０１３９】
幾つかの実施形態では、識別可能な識別子はバーコードである。幾つかの実施形態では、核酸は、核酸バーコード（例えば、インデックス付きヌクレオチド、配列タグまたは「バーコード」ヌクレオチド）を含む。特定の実施形態において、核酸バーコードは、サンプル、方法または分析において１つまたは複数の核酸（例えば、核酸のサブセット）の明確な識別を可能にする識別子として使用可能な、ヌクレオチドの識別可能な配列を含む。ある実施形態では、核酸バーコードは、例えば、特定のサンプル、サンプル源、特定の核酸属または核酸種、染色体または遺伝子に特異的および／または固有のものである。
【０１４０】
幾つかの実施形態において、核酸またはプライマは１つまたは複数の結合対を含む。幾つかの実施形態では、核酸またはプライマは、結合対を構成する１つまたは複数の要素を含む。幾つかの実施形態では、結合対は、互いに非共有的に且つ特異的に互いに結合している少なくとも２つの要素（例えば、分子）を含む。結合対を構成する要素は、多くの場合、相互に可逆的に結合する。例えば、一の結合対を構成する２つの要素の結合を適切な方法で分離できる。本明細書に記載の組成物または方法には、任意の適切な結合対またはその要素を利用することができる。結合対の非限定的な例には、抗体／抗原、抗体／抗体受容体、抗体／プロテインＡまたはプロテインＧ、ハプテン／抗ハプテン、スルフヒドリル／マレイミド、スルフヒドリル／ハロアセチル誘導体、アミン／イソトリシアネート、アミン／スクシンイミジルエステル、アミン／ハロゲン化スルホニル、ビオチン／アビジン、ビオチン／ストレプトアビジン、葉酸／葉酸結合タンパク質、受容体／リガンド、ビタミンＢ１２／内因子、その類似体、その誘導体、その結合部等、および、これらの組み合わせが挙げられる。結合対の要素の非限定的な例としては、抗体または抗体断片、抗体受容体、抗原、ハプテン、ペプチド、タンパク質、脂肪酸、グリセリル部分（例えば、脂質）、ホスホリル部分、グリコシル部分、ユビキチン部分、レクチン、アプタマー、受容体、リガンド、金属イオン、アビジン、ニュートラアビジン、ビオチン、Ｂ１２、内因子、その類似体、その誘導体、その結合部分等、および、これらの組み合わせが挙げられる。幾つかの実施形態では、核酸またはプライマは、ビオチンを含む。幾つかの実施形態では、核酸またはプライマは、ビオチンに共有結合している。
【０１４１】
幾つかの実施形態において、核酸またはプライマは、好適な固体基質に非共有結合または共有結合される。幾つかの態様において、捕捉オリゴヌクレオチドおよび／または結合対の要素は、固体基質に付着している。捕捉オリゴヌクレオチドは、多くの場合、標的核酸に特異的にハイブリダイズするように構成された核酸である。幾つかの実施形態では、捕捉核酸は、固体基質に付着したプライマである。固体基材の非限定的な例としては、マイクロアレイおよび粒子によって提供される表面が挙げられ、ビーズ（例えば、常磁性ビーズ、磁気ビーズ、マイクロビーズ、ナノビーズ）、微粒子およびナノ粒子等によって提供される表面が含まれる。固体基材には、例えば、チップ、カラム、光ファイバー、ワイプ、フィルタ（例えば、平面フィルタ）、１つまたは複数のキャピラリ、ガラス、修飾ガラスまたは機能化ガラス（たとえば、ｃｏｎｔｒｏｌｌｅｄ−ｐｏｒｅ  ｇｌａｓｓ（ＣＰＧ））、石英、雲母、ジアゾ化膜（紙またはナイロン）、ポリホルムアルデヒド、セルロース、酢酸セルロース、紙、セラミック、金属、半金属、半導体材料、量子ドット、コーティングされたビーズまたは粒子、その他のクロマトグラフィー材料、磁性粒子が挙げられる。また、プラスチック（アクリル、ポリスチレン、スチレンの共重合体、他の材料の共重合体、ポリブチレン、ポリウレタン、ＴＥＦＬＯＮ（登録商標）、ポリエチレン、ポリプロピレン、ポリアミド、ポリエステル、ポリフッ化ビニリデン（ＰＶＤＦ）等）、多糖類、ナイロンまたはニトロセルロース、樹脂、シリコン、シリカゲルおよび変性シリコンを含むシリカまたはシリカベースの材料、Ｓｅｐｈａｄｅｘ（商標）、Ｓｅｐｈａｒｏｓｅ（商標）、カーボン、金属（例えば、スチール、金、銀、アルミニウム、シリコンおよび銅）、無機ガラス、導電性ポリマー（ポリピロールおよびポリインドール等のポリマーを含む）も固体基材として使用できる。核酸タイル配列、ナノチューブ、ナノワイヤもしくはナノ粒子装飾表面等のマイクロ構造表面またはナノ構造表面や、メタクリレート、アクリルアミド、糖ポリマー、セルロース、ケイ酸塩、またはその他の繊維ポリマー、鎖状ポリマーのような多孔性表面または多孔性ゲルも固体基材として使用できる。幾つかの実施形態において、固体基材は、デキストラン、アクリルアミド、ゼラチンまたはアガロース等のポリマーを含む任意の数の材料で受動的または化学的に誘導体化されたコーティングを使用して被覆される。ビーズおよび／または粒子は、互いに結合していないまたは互いに結合している（例えば、焼結されている）。幾つかの実施形態では、固体基材は粒子の集合体を指す。幾つかの実施形態では、粒子は、粒子に常磁性特性を付与する化学物質を含有する。幾つかの実施形態において、第１の固体基材（例えば、複数の磁性粒子）は、第２の固体基材（例えば、表面）に非共有的および／または可逆的に付着される。幾つかの実施形態では、第２の基板または表面は電子的に磁化されてもよく、例えば、表面が磁化されると磁性粒子が第２の基板に可逆的に付着し、第２の基板が消磁されるまたは磁気極性が変化すると磁性粒子が第２の基板から解離する。
【０１４２】
幾つかの実施形態では、核酸は捕捉オリゴヌクレオチドである。一部の実施形態では、捕捉オリゴヌクレオチドは、固体基質に共有結合または非共有結合している核酸である。捕捉オリゴヌクレオチドは、典型的には、目的の核酸（例えば、標的核酸）またはその一部に特異的にハイブリダイズまたはアニーリング可能なヌクレオチド配列を含む。幾つかの実施形態では、捕捉核酸は、標的核酸またはその一部に実質的に相補的な核酸配列を含む。幾つかの実施形態では、捕捉オリゴヌクレオチドは、固体基質に付着したプライマである。捕捉オリゴヌクレオチドは、天然に存在するものでも合成のものでもよく、ＤＮＡベースまたはＲＮＡベースのものでもよい。捕捉オリゴヌクレオチドは、例えば、サンプル中の他の核酸または汚染物質から標的核酸を特異的に分離することを可能にする。
【０１４３】
幾つかの実施形態では、本明細書に記載の方法は、複数の核酸（例えば、サンプル中の核酸）を、結合対を構成する要素を含む少なくとも１つのプライマと接触させることを含む。幾つかの実施形態では、結合対の要素として、ビオチンを含む。幾つかの実施形態において、複数の核酸は第１のプライマおよび第２のプライマと接触され、第１または第２のプライマのうちの一方がビオチンを含む。幾つかの実施形態において、複数の核酸は、標的核酸（例えば、標的ＲＮＡまたはＤＮＡ分子）を含む。標的核酸は、検査対象の核酸であることが多い（例えば、遺伝子、転写物またはその一部）。幾つかの実施形態では、標的核酸はＲＮＡを含む。幾つかの実施形態では、標的核酸は核酸増幅プロセスにより増幅される。幾つかの実施形態では、核酸増幅プロセスは、核酸増幅を促進する適切な条件下（例えば、ＰＣＲまたは等温増幅を促進する条件）で、サンプル、サンプルの核酸および／または標的核酸を、第１プライマ、ビオチン化された第２プライマおよびポリメラーゼと接触させることを含む。幾つかの実施形態では、核酸増幅プロセスは、アンプリコンの産生をもたらす。幾つかの実施形態では、アンプリコンは、ＤＮＡアンプリコン、ＲＮＡアンプリコンまたはこれらの組み合わせを含む。幾つかの実施形態では、アンプリコンは、ビオチン化ＤＮＡアンプリコン、ＲＮＡアンプリコンまたはこれらの組み合わせを含む。幾つかの実施形態において、ＲＮＡおよびビオチン化ＤＮＡ（例えば、ＲＮＡ／ＤＮＡ二重鎖）を含むアンプリコンは、ヌクレアーゼ（例えば、ＲＮＡエキソヌクレアーゼ）と接触される。幾つかの実施形態において、ＤＮＡアンプリコンは、捕捉オリゴヌクレオチドを含む固体基板に非共有結合的に付着し、ＤＮＡアンプリコンまたはその一部は、捕捉オリゴヌクレオチドに特異的にハイブリダイズされる。幾つかの実施形態では、ビオチン化アンプリコンは、ストレプトアビジンまたはその変異体を含有する磁気ビーズに接触および／または付着する。
【０１４４】
上記したように、幾つかの実施形態において、対象サンプル内の被検物質の存在を検出方法を提供する。方法は、巨大磁気抵抗（ＧＭＲ）センサのポリマーコーティングされた表面に配置された生体分子を含むセンサを準備する工程を備える。前記生体分子は前記生体分子に共有結合する開裂可能部分と、前記生体分子の前記開裂可能部分に関連付けられる受容体と、を有し、開裂は前記対象サンプル中の前記被検物質の存在により触媒作用を受け、前記受容体は磁性ナノ粒子と結合可能である。前記方法は更に、前記対象サンプルを前記センサ上を通過させることにより、前記被検物質が存在する場合に、前記関連付けられる受容体により前記開裂可能部分を前記生体分子から開裂および除去する工程と、前記対象サンプルを前記センサ上を通過させた後に、磁性粒子を前記センサ上を通過させる工程と、前記磁性粒子を前記センサ上を通過させる前および後に抵抗値を読み取ることに基づいて、前記ＧＭＲセンサの抵抗変化を測定することにより、前記対象サンプル内の前記被検物質の存在を検出する工程と、を備える。
【０１４５】
幾つかの実施形態において、方法は更に、前記ＧＭＲセンサの前記抵抗変化に基づいて、前記対象サンプル内の前記被検物質の濃度を計算する工程を備える。
【０１４６】
上記の幾つかの実施形態のうちの一つまたは複数において、方法は、前記対象サンプルを前記センサ上を通過させる工程の前に、前記センサの緩衝液洗浄を行う工程を備える。
【０１４７】
上記の幾つかの実施形態のうちの一つまたは複数において、方法は、前記対象サンプルを前記センサ上を通過させる工程の後であって前記磁気粒子を前記センサ上を通過させる工程の前に、前記センサの緩衝液洗浄を行う工程を備える。
【０１４８】
上記の幾つかの実施形態のうちの一つまたは複数において、方法は、前記磁気粒子を前記センサ上を通過させる工程の後に、前記センサの緩衝液洗浄を行う工程を備える。
【０１４９】
上記の幾つかの実施形態のうちの一つまたは複数において、前記被検物質は、金属イオンである。
【０１５０】
上記の幾つかの実施形態のうちの一つまたは複数において、前記対象サンプルは、水である。
【０１５１】
上記の幾つかの実施形態のうちの一つまたは複数において、前記対象サンプルは、被験者の血液に由来する。
【０１５２】
上記の幾つかの実施形態のうちの一つまたは複数において、前記生体分子は、二本鎖ＤＮＡ（ｄｓＤＮＡ）である。
【０１５３】
上記の幾つかの実施形態のうちの一つまたは複数において、前記受容体は、前記ｄｓＤＮＡの前記二本鎖のうちの１つに共有結合している。
【０１５４】
上記の幾つかの実施形態のうちの一つまたは複数において、前記ｄｓＤＮＡはＤＮＡザイムを含み、前記ＤＮＡザイムは前記金属イオンによって活性化される。
【０１５５】
上記の幾つかの実施形態のうちの一つまたは複数において、前記ＧＭＲセンサの抵抗変化を測定することは、少なくとも１つの基準抵抗器を使用して前記ＧＭＲセンサの抵抗変化の位相敏感解を求めることを含む。
【０１５６】
上記の幾つかの実施形態のうちの一つまたは複数において、複数の前記生体分子が、前記センサの前記表面に約１×１０9〜約５×１０10個／ｍｍ2の密度で付着している。
【０１５７】
上記の幾つかの実施形態のうちの一つまたは複数において、検出の感度限界は、前記被検物質の約１ナノモルから約１０ナノモルの範囲である。
【０１５８】
上記の幾つかの実施形態のうちの一つまたは複数において、前記対象サンプルを前記センサ上を通過させる工程は、約１μＬ／分から約２０μＬ／分の流量で前記対象サンプルを前記センサ上を通過させることを含む。
【０１５９】
幾つかの実施形態において、対象サンプル内の被検物質の存在を検出方法を提供する。方法は、巨大磁気抵抗（ＧＭＲ）センサのポリマーコーティングされた表面に配置された生体分子を含むセンサを準備する工程を備える。前記生体分子は抗原結合部位において抗体に結合する抗原部分を有し、前記抗体は、磁性ナノ粒子と結合するように構成された前記抗原結合部位とは別の部分を有する。前記方法は更に、前記対象サンプルと前記抗体との混合物を前記センサ上を通過させる工程を備え、前記対象サンプルに前記被検物質が存在する場合、前記抗体の前記抗原結合部位は前記被検物質と結合し、それにより前記生体分子の前記抗原部分への前記抗体の結合を妨げる。前記方法は更に、前記混合物を前記センサ上を通過させた後に、磁性粒子を前記センサ上を通過させる工程と、磁性粒子を前記センサ上を通過させる前および後に抵抗値を読み取ることに基づいて、前記ＧＭＲセンサの抵抗変化を測定することにより、前記対象サンプル内の前記被検物質の存在を検出する工程と、を備える。
【０１６０】
幾つかの実施形態において、方法は更に、前記ＧＭＲセンサの前記抵抗変化に基づいて、前記対象サンプル内の前記被検物質の濃度を計算する工程を備える。
【０１６１】
上記の幾つかの実施形態のうちの一つまたは複数において、方法は、前記混合物を前記センサ上を通過させる工程の前に、前記センサの緩衝液洗浄を行う工程を備えてもよい。
【０１６２】
上記の幾つかの実施形態のうちの一つまたは複数において、方法は、前記混合物を前記センサ上を通過させる工程の後であって前記磁気粒子を前記センサ上を通過させる工程の前に、前記センサの緩衝液洗浄を行う工程を備えてもよい。
【０１６３】
上記の幾つかの実施形態のうちの一つまたは複数において、方法は、前記磁気粒子を前記センサ上を通過させる工程の後に、前記センサの緩衝液洗浄を行う工程を備えてもよい。
【０１６４】
上記の幾つかの実施形態のうちの一つまたは複数において、前記被検物質は、金属イオンである。
【０１６５】
上記の幾つかの実施形態のうちの一つまたは複数において、前記対象サンプルは、水である。
【０１６６】
上記の幾つかの実施形態のうちの一つまたは複数において、前記対象サンプルは、被験者の血液に由来する。
【０１６７】
上記の幾つかの実施形態のうちの一つまたは複数において、前記生体分子は、タンパク質である。
【０１６８】
上記の幾つかの実施形態のうちの一つまたは複数において、前記タンパク質は、ウシ血清アルブミンである。
【０１６９】
上記の幾つかの実施形態のうちの一つまたは複数において、前記ＧＭＲセンサの抵抗変化を測定することは、少なくとも１つの基準抵抗器を使用して前記ＧＭＲセンサの抵抗変化の位相敏感解を求めることを含む、
【０１７０】
上記の幾つかの実施形態のうちの一つまたは複数において、複数の前記生体分子が、前記センサの前記表面に約１×１０9〜約５×１０10個／ｍｍ2の密度で付着している。
【０１７１】
上記の幾つかの実施形態のうちの一つまたは複数において、検出の感度限界は、前記金属イオンの約１ナノモルから約１０ナノモルの範囲である。
【０１７２】
上記の幾つかの実施形態のうちの一つまたは複数において、前記混合物を前記センサ上を通過させる工程は、約１μＬ／分から約２０μＬ／分の流量で前記混合物質を前記センサ上を通過させることを含む。
【０１７３】
幾つかの実施形態において、対象サンプル内の被検物質の存在を検出方法を提供する。方法は、巨大磁気抵抗（ＧＭＲ）センサのポリマーコーティングされた表面に配置された生体分子を含むセンサを準備する工程を備える。前記生体分子は検出タンパク質と結合するように構成された結合領域を備え、前記検出タンパク質は前記被検物質とも結合可能である。前記検出タンパク質が前記被検物質に結合すると、前記生体分子の前記結合領域へ前記検出タンパク質が結合するのが妨げられる。前記方法は、前記検出タンパク質を前記センサ上を通過させる工程と、前記方法は更に、前記対象サンプルを前記センサ上を通過させる工程と、前記レポータータンパク質を前記センサ上を通過させた後に、磁性粒子を前記センサ上を通過させる工程と、を更に備える。前記レポータータンパク質は、前記検出タンパク質に結合可能であり、且つ、磁気ナノ粒子と結合するように構成されている。前記方法は更に、前記レポータータンパク質を前記センサ上を通過させた後に、磁性粒子を前記センサ上を通過させる工程と、前記磁性粒子を前記センサ上を通過させる前および後に抵抗値を読み取ることに基づいて、前記ＧＭＲセンサの抵抗変化を測定することにより、前記金属イオンの存在を検出する工程と、を備える方法。
【０１７４】
幾つかの実施形態において、方法は更に、前記抵抗変化に基づいて、前記対象サンプル内の前記被検物質の濃度を計算する工程を備えてもよい。
【０１７５】
上記の幾つかの実施形態のうちの一つまたは複数において、方法は、緩衝液洗浄を一回または複数回行う工程を更に備えてもよい。
【０１７６】
上記の幾つかの実施形態のうちの一つまたは複数において、前記検出タンパク質と前記対象サンプルとを前記センサ上を通過させる前に混合する。
【０１７７】
上記の幾つかの実施形態のうちの一つまたは複数において、前記検出タンパク質が前記センサ上を通過した後に、前記対象サンプルを前記センサ上を通過する。
【０１７８】
上記の幾つかの実施形態のうちの一つまたは複数において、前記被検物質は、金属イオンである。
【０１７９】
上記の幾つかの実施形態のうちの一つまたは複数において、前記対象サンプルは、水である。
【０１８０】
上記の幾つかの実施形態のうちの一つまたは複数において、前記対象サンプルは、被験者の血液に由来する。
【０１８１】
上記の幾つかの実施形態のうちの一つまたは複数において、前記生体分子は、二本鎖ＤＮＡ（ｄｓＤＮＡ）である。
【０１８２】
上記の幾つかの実施形態のうちの一つまたは複数において、前記検出タンパク質は、タグを有するヒ素結合調節タンパク質である。
【０１８３】
上記の幾つかの実施形態のうちの一つまたは複数において、前記検出タンパク質は、タグを有するカドミウム結合調節タンパク質である。
【０１８４】
上記の幾つかの実施形態のうちの一つまたは複数において、前記タグは、グルタチオンＳ−トランスフェラーゼである。
【０１８５】
上記の幾つかの実施形態のうちの一つまたは複数において、前記タグは、ポリヒスチジンである。
【０１８６】
上記の幾つかの実施形態のうちの一つまたは複数において、前記レポータータンパク質は、ビオチン化抗体である。
【０１８７】
上記の幾つかの実施形態のうちの一つまたは複数において、前記磁性粒子は、ストレプトアビジン結合ナノ粒子を含む。
【０１８８】
上記の幾つかの実施形態のうちの一つまたは複数において、前記ＧＭＲセンサの抵抗変化を測定することは、少なくとも１つの基準抵抗器を使用して前記ＧＭＲセンサの抵抗変化の位相敏感解を求めることを含む。
【０１８９】
上記の幾つかの実施形態のうちの一つまたは複数において、複数の前記生体分子が、前記センサの前記表面に約１×１０9〜約５×１０10個／ｍｍ2の密度で付着している。
【０１９０】
上記の幾つかの実施形態のうちの一つまたは複数において、検出の感度限界は、前記金属イオンの約１ナノモルから約１０ナノモルの範囲である。
【０１９１】
上記の幾つかの実施形態のうちの一つまたは複数において、前記対象サンプルを前記センサ上を通過させる工程は、約１μＬ／分から約２０μＬ／分の流量で前記対象サンプルを前記センサ上を通過させることを含む。
【０１９２】
幾つかの実施形態において、対象サンプル内の被検物質の存在を検出方法を提供する。方法は、巨大磁気抵抗（ＧＭＲ）センサのポリマーコーティングされた表面に配置された生体分子を含むセンサを準備する工程を備える。前記生体分子は、関連付けられる磁気粒子を含む。前記方法は、前記対象サンプルを前記センサ上を通過させて、前記被検物質が存在する場合、前記生体分子から前記関連付けられる磁性粒子を除去する工程と、前記対象サンプルを前記センサ上を通過させる前および後に抵抗値を読み取ることに基づいて、前記ＧＭＲセンサの抵抗変化を測定することにより、前記対象サンプル内の前記被検物質の存在を検出する工程と、を備え、前記ＧＭＲセンサの抵抗変化を測定することは、少なくとも１つの基準抵抗器を使用して前記ＧＭＲセンサの抵抗変化の位相敏感解を求めることを含む。
【０１９３】
幾つかの実施形態において、対象サンプル内の被検物質の存在を検出方法を提供する。方法は、巨大磁気抵抗（ＧＭＲ）センサのポリマーコーティングされた表面に配置された第１の生体分子を含むセンサを準備する工程を備える。前記第１の生体分子は、磁性粒子の結合部位を有する第２の生体分子のコンディショナル結合部位を有する。前記方法は更に、前記方法は更に、前記対象サンプルを前記センサ上を通過させる工程と、前記第２の生体分子を前記センサ上を通過させる工程と、前記対象サンプルを前記センサ上を通過させた後に、磁性粒子を前記センサ上を通過させる工程と、前記磁性粒子を前記センサ上を通過させる前および後に抵抗値を読み取ることに基づいて、前記ＧＭＲセンサの抵抗変化を測定することにより、前記対象サンプル内の前記被検物質の存在を検出する工程と、を備え、前記ＧＭＲセンサの抵抗変化を測定することは、少なくとも１つの基準抵抗器を使用して前記ＧＭＲセンサの抵抗変化の位相敏感解を求めることを含む。
【０１９４】
上記の幾つかの実施形態のうちの一つまたは複数において、前記被検物質の存在により、前記第２の生体分子の結合が妨げられる。
【０１９５】
上記の幾つかの実施形態のうちの一つまたは複数において、前記被検物質の存在により、前記第２の生体分子と前記第１の生体分子との結合が可能となる。
【０１９６】
幾つかの実施形態において、対象サンプル内の被検物質の存在を検出方法を提供する。方法は、巨大磁気抵抗（ＧＭＲ）センサのポリマーコーティングされた表面に配置された第１の生体分子を含むセンサを準備する工程を備える。前記生体分子は、前記被検物質が存在する場合に磁性粒子が結合する結合部位を有する。前記方法は更に、前記対象サンプルを前記センサ上を通過させる工程と、前記対象サンプルを前記センサ上を通過させた後に、磁性粒子を前記センサ上を通過させる工程と、前記磁性粒子を前記センサ上を通過させる前および後に抵抗値を読み取ることに基づいて、前記ＧＭＲセンサの抵抗変化を測定することにより、前記対象サンプル内の前記被検物質の存在を検出する工程と、を備え、前記ＧＭＲセンサの抵抗変化を測定することは、少なくとも１つの基準抵抗器を使用して前記ＧＭＲセンサの抵抗変化の位相敏感解を求めることを含む。
【０１９７】
上記の幾つかの実施形態のうちの一つまたは複数において、方法は、前記ＧＭＲセンサの前記抵抗変化に基づいて、前記対象サンプル内の前記被検物質の濃度を計算する工程を更に備えてもよい。
【０１９８】
上記の幾つかの実施形態のうちの一つまたは複数において、前記生体分子は、ＤＮＡを含む。
【０１９９】
上記の幾つかの実施形態のうちの一つまたは複数において、前記生体分子は、タンパク質を含む。
【０２００】
幾つかの実施形態において、上記に開示した方法を実行するように構成されたシステムを提供する。当該システムは、サンプル処理サブシステムと、ａ  ｓｅｎｓｏｒ  ｓｕｂｓｙｓｔｅｍ  ｃｏｍｐｒｉｓｉｎｇポリマーコーティングされた表面に生体分子を有するＧＭＲセンサを含むマイクロ流体ネットワークを備えるセンササブシステムと、信号をプロセッサへと伝播させるべく、複数の接点パッドに接続された複数の配線と、プロセッサと、前記サンプル処理サブシステムおよび前記センササブシステムにおいて、サンプル、試薬および溶媒を移動させるための空気圧制御サブシステムと、を備える。
【０２０１】
幾つかの実施形態において、対象サンプル内の金属イオンの存在を検出方法を提供する。方法は、巨大磁気抵抗（ＧＭＲ）センサのポリマーコーティングされた表面に配置された生体分子を含むセンサを準備する工程を備える。前記生体分子は、ｃｌｅａｖａｇｅ  ｂｅｉｎｇ  ｃａｔａｌｙｚｅｄ  ｂｙ  ｔｈｅ  ｐｒｅｓｅｎｃｅ  ｏｆ  ｔｈｅ  ｍｅｔａｌ  ｉｏｎ  ｉｎ  ｔｈｅ  ｑｕｅｒｙ  ｓａｍｐｌｅ，前記生体分子の前記開裂可能部分に関連付けられる受容体と、を有し、開裂は前記対象サンプル中の前記被検物質の存在により触媒作用を受け、前記受容体は磁性ナノ粒子と結合可能である。前記方法は更に、前記対象サンプルを前記センサ上を通過させることにより、前記金属イオンが存在する場合に、前記関連付けられる受容体により前記開裂可能部分を前記生体分子から開裂および除去する工程と、前記対象サンプルを前記センサ上を通過させた後に、磁性粒子を前記センサ上を通過させる工程と、磁性粒子を通過させる前および後に前記ＧＭＲセンサの抵抗値を読み取ることに基づいて、前記ＧＭＲセンサの抵抗変化を測定することにより、前記対象サンプル内の前記金属イオンの存在を検出する工程と、を備える。
【０２０２】
ある実施形態において、上記の方法は更に、前記ＧＭＲセンサの前記抵抗変化に基づいて、前記対象サンプル内の前記金属イオンの濃度を計算する工程を備えてもよい。
【０２０３】
上記の幾つかの実施形態のうちの一つまたは複数において、方法は、前記対象サンプルを前記センサ上を通過させる工程の前に、前記センサの緩衝液洗浄を行う工程を更に備えてもよい。
【０２０４】
上記の幾つかの実施形態のうちの一つまたは複数において、方法は、前記対象サンプルを前記センサ上を通過させる工程の後であって前記磁気粒子を前記センサ上を通過させる工程の前に、前記センサの緩衝液洗浄を行う工程を更に備えてもよい。
【０２０５】
上記の幾つかの実施形態のうちの一つまたは複数において、方法は、前記磁気粒子を前記センサ上を通過させる工程の後に、前記センサの緩衝液洗浄を行う工程を備えてもよい。
【０２０６】
上記の幾つかの実施形態のうちの一つまたは複数において、前記金属イオンは鉛である。
【０２０７】
上記の幾つかの実施形態のうちの一つまたは複数において、前記対象サンプルは、水である。
【０２０８】
上記の幾つかの実施形態のうちの一つまたは複数において、前記対象サンプルは、被験者の血液に由来する。
【０２０９】
上記の幾つかの実施形態のうちの一つまたは複数において、前記生体分子は、二本鎖ＤＮＡ（ｄｓＤＮＡ）である。
【０２１０】
上記の幾つかの実施形態のうちの一つまたは複数において、前記受容体は、前記ｄｓＤＮＡの前記二本鎖のうちの１つに共有結合している。
【０２１１】
上記の幾つかの実施形態のうちの一つまたは複数において、前記ｄｓＤＮＡはＤＮＡザイムを含み、前記ＤＮＡザイムは前記金属イオンによって活性化される。
【０２１２】
上記の幾つかの実施形態のうちの一つまたは複数において、前記ＧＭＲセンサの抵抗変化を測定することは、少なくとも１つの基準抵抗器を使用して前記ＧＭＲセンサの抵抗変化の位相敏感解を求めることを含む。
【０２１３】
上記の幾つかの実施形態のうちの一つまたは複数において、複数の前記生体分子が、前記センサの前記表面に約１×１０9〜約５×１０10個／ｍｍ2の密度で付着している。
【０２１４】
上記の幾つかの実施形態のうちの一つまたは複数において、検出の感度限界は、前記金属イオンの約１０ナノモルから約１マイクロモルの範囲である。
【０２１５】
上記の幾つかの実施形態のうちの一つまたは複数において、前記対象サンプルを前記センサ上を通過させる工程は、約０．５μＬ／分から約５μＬ／分の流量で前記対象サンプルを前記センサ上を通過させることを含む。新鮮なサンプルを絶えず供給しながら、前記サンプルがセンサ上を流れる。これにより、サンプル溶液に存在する金属イオンにｄｓＤＮＡが最大限に晒されることになる。例えば、鉛イオンの場合、センサ上にサンプルを３０分間流す。
【０２１６】
幾つかの実施形態において、対象サンプル内の鉛イオンの存在を検出方法を提供する。方法は、巨大磁気抵抗（ＧＭＲ）センサのポリマーコーティングされた表面に配置された二本鎖ＤＮＡ（ｄｓＤＮＡ）を含むセンサを準備する工程を備える。前記ｄｓＤＮＡは、当該ｄｓＤＮＡの二本鎖のうちの一方に開裂部分と、ｃｌｅａｖａｇｅ  ｂｅｉｎｇ  ｃａｔａｌｙｚｅｄ  ｂｙ  ｔｈｅ  ｐｒｅｓｅｎｃｅ  ｏｆ  ｌｅａｄ  ｉｏｎ  ｉｎ  ｔｈｅ  ｑｕｅｒｙ  ｓａｍｐｌｅ，前記開裂可能部分に関連付けられる受容体と、を有し、開裂は、前記対象サンプル内の鉛イオンの存在によって触媒され、前記受容体は磁性ナノ粒子と結合可能である。前記方法は更に、前記対象サンプルを前記センサ上を通過させることにより、前記鉛イオンが存在する場合に、前記関連付けられる受容体により前記開裂可能部分を前記ｄｓＤＮＡから開裂および除去する工程と、前記対象サンプルを前記センサ上を通過させた後に、磁性粒子を前記センサ上を通過させる工程と、磁性粒子を通過させる前および後に前記ＧＭＲセンサの抵抗値を読み取ることに基づいて、前記ＧＭＲセンサの抵抗変化を測定することにより、前記対象サンプル内の前記鉛イオンの存在を検出する工程と、を備える。
【０２１７】
このような実施形態において、方法は更に、前記ＧＭＲセンサの前記抵抗変化に基づいて、前記対象サンプル内の前記鉛イオンの濃度を計算する工程を備えてもよい。
【０２１８】
上記の幾つかの実施形態のうちの一つまたは複数において、方法は、前記対象サンプルを前記センサ上を通過させる工程の前に、前記センサの緩衝液洗浄を行う工程を更に備えてもよい。
【０２１９】
上記の幾つかの実施形態のうちの一つまたは複数において、方法は、前記対象サンプルを前記センサ上を通過させる工程の後であって前記磁気粒子を前記センサ上を通過させる工程の前に、前記センサの緩衝液洗浄を行う工程を更に備えてもよい。
【０２２０】
上記の幾つかの実施形態のうちの一つまたは複数において、方法は、前記磁気粒子を前記センサ上を通過させる工程の後に、前記センサの緩衝液洗浄を行う工程を更に備えてもよい。
【０２２１】
上記の幾つかの実施形態のうちの一つまたは複数において、前記対象サンプルは、水である。
【０２２２】
上記の幾つかの実施形態のうちの一つまたは複数において、前記対象サンプルは、被験者の血液に由来する。
【０２２３】
上記の幾つかの実施形態のうちの一つまたは複数において、前記受容体は共有結合している。
【０２２４】
上記の幾つかの実施形態のうちの一つまたは複数において、前記ｄｓＤＮＡはＤＮＡザイムを含み、前記ＤＮＡザイムは前記鉛イオンによって活性化される。
【０２２５】
上記の幾つかの実施形態のうちの一つまたは複数において、前記ＧＭＲセンサの抵抗変化を測定することは、少なくとも１つの基準抵抗器を使用して前記ＧＭＲセンサの抵抗変化の位相敏感解を求めることを含む。
【０２２６】
上記の幾つかの実施形態のうちの一つまたは複数において、複数の前記ｄｓＤＮＡが、前記センサの前記表面に約１×１０9〜約５×１０10個／ｍｍ2の密度で付着している。
【０２２７】
上記の幾つかの実施形態のうちの一つまたは複数において、検出の感度限界は、前記鉛イオンの約１ナノモルから約１０ナノモルの範囲である。
【０２２８】
上記の幾つかの実施形態のうちの一つまたは複数において、前記対象サンプルを前記センサ上を通過させる工程は、約０．５μＬ／分から約５μＬ／分の流量で前記対象サンプルを前記センサ上を通過させることを含む。
【０２２９】
幾つかの実施形態において、センサが提供される。センサは、巨大磁気抵抗（ＧＭＲ）センサのポリマーコーティングされた表面に配置された生体分子を備える。前記生体分子は、前記生体分子に共有結合した開裂可能部分と、開裂可能部分に関連付けられる受容体と、を備える。前記受容体は、磁性ナノ粒子と結合可能であり、開裂は金属イオンの存在によって触媒され、前記開裂可能部分が開裂すると、前記受容体を伴う前記開裂可能部分は前記生体分子とはもはや共有結合しない。
【０２３０】
このような実施形態において、前記生体分子は、二本鎖ＤＮＡ（ｄｓＤＮＡ）である。
【０２３１】
上記の幾つかの実施形態のうちの一つまたは複数において、前記受容体は、前記ｄｓＤＮＡの前記二本鎖のうちの１つに共有結合している。
【０２３２】
上記の幾つかの実施形態のうちの一つまたは複数において、前記ｄｓＤＮＡはＤＮＡザイムを含み、前記ＤＮＡザイムは前記金属イオンによって活性化される。
【０２３３】
上記の幾つかの実施形態のうちの一つまたは複数において、複数の前記生体分子が、前記センサの前記表面に約１×１０9〜約５×１０10個／ｍｍ2の密度で付着している。
【０２３４】
上記の幾つかの実施形態のうちの一つまたは複数において、前記ＧＭＲセンサーの表面は、架橋ＰＥＧ−ＰＨＥＭＡポリマーを含む。
【０２３５】
上記の幾つかの実施形態のうちの一つまたは複数において、前記ポリマーは界面活性剤でコーティングされている。
【０２３６】
上記の幾つかの実施形態のうちの一つまたは複数において、前記界面活性剤はセチルトリメチルアンモニウムブロマイドである。
【０２３７】
上記の幾つかの実施形態のうちの一つまたは複数において、センサは更に、信号を前記センサからプロセッサへと伝播させるべく、複数の接点パッドに接続された複数の配線を備えてもよい。
【０２３８】
幾つかの実施形態において、センサが提供される。前記センサは、巨大磁気抵抗（ＧＭＲ）センサのポリマーコーティングされた表面に配置された二本鎖ＤＮＡ（ｄｓＤＮＡ）を備える。前記ｄｓＤＮＡは、開裂可能部分と、前記開裂可能部分と関連付けられる受容体と、を備え、開裂は、鉛イオンの存在によって触媒され、前記受容体は、磁気ナノ粒子と結合可能であり、前記開裂可能部分が開裂すると、前記受容体を伴う前記開裂可能部分は前記ｄｓＤＮＡとはもはや共有結合しない。
【０２３９】
このような実施形態において、前記受容体は、前記ｄｓＤＮＡの前記二本鎖のうちの１つに共有結合している。
【０２４０】
上記の幾つかの実施形態のうちの一つまたは複数において、前記ｄｓＤＮＡはＤＮＡザイムを含み、前記ＤＮＡザイムは前記鉛イオンによって活性化される。
【０２４１】
上記の幾つかの実施形態のうちの一つまたは複数において、複数の前記ｄｓＤＮＡが、前記センサの前記表面に約１×１０9〜約５×１０10個／ｍｍ2の密度で付着している。
【０２４２】
上記の幾つかの実施形態のうちの一つまたは複数において、前記ＧＭＲセンサーの表面は、架橋ＰＥＧ−ＰＨＥＭＡポリマーを含む。
【０２４３】
上記の幾つかの実施形態のうちの一つまたは複数において、前記ポリマーは界面活性剤でコーティングされている。
【０２４４】
上記の幾つかの実施形態のうちの一つまたは複数において、前記界面活性剤はセチルトリメチルアンモニウムブロマイドである。
【０２４５】
上記の幾つかの実施形態のうちの一つまたは複数において、前記センサは更に、信号を前記センサからプロセッサへと伝播させるべく、複数の接点パッドに接続された複数の配線を備えてもよい。
【０２４６】
幾つかの実施形態において、対象サンプル中の金属イオンを検出するのに使用されるカートリッジを提供する。カートリッジは、（ａ）巨大磁気抵抗（ＧＭＲ）センサのポリマーコーティングされた表面に配置された生体分子を含むセンサを備える。前記生体分子は、前記生体分子に共有結合する開裂可能部分と、前記開裂可能部分に関連付けられる受容体と、を有し、開裂は、前記対象サンプル内の金属イオンの存在によって触媒され、前記受容体は磁性ナノ粒子と結合可能である。前記開裂可能部分が開裂すると、前記受容体を伴う前記開裂可能部分は前記生体分子とはもはや共有結合しない。前記カートリッジは、（ｂ）対象サンプル、磁気ナノ粒子および必要に応じて使用される洗浄緩衝液を前記カートリッジへと導入するための一つまたは複数のポートと、（ｃ）前記対象サンプル、前記磁性ナノ粒子および前記必要に応じて使用される洗浄緩衝液を前記一つまたは複数のポートから前記センサへと移動するためのマイクロ流体システムと、を更に備える。
【０２４７】
このような実施形態において、前記カートリッジは、廃棄物収集エリアを更に備えてもよい。
【０２４８】
上記の幾つかの実施形態のうちの一つまたは複数において、前記生体分子は、二本鎖ＤＮＡ（ｄｓＤＮＡ）である。
【０２４９】
上記の幾つかの実施形態のうちの一つまたは複数において、前記受容体は、前記ｄｓＤＮＡの前記二本鎖のうちの１つに共有結合している。
【０２５０】
上記の幾つかの実施形態のうちの一つまたは複数において、前記ｄｓＤＮＡはＤＮＡザイムを含み、前記ＤＮＡザイムは前記金属イオンによって活性化される。
【０２５１】
上記の幾つかの実施形態のうちの一つまたは複数において、複数の前記生体分子が、前記センサの前記表面に約１×１０9〜約５×１０10個／ｍｍ2の密度で付着している。
【０２５２】
上記の幾つかの実施形態のうちの一つまたは複数において、前記ＧＭＲセンサーの表面は、架橋ＰＥＧ−ＰＨＥＭＡポリマーを含む。
【０２５３】
上記の幾つかの実施形態のうちの一つまたは複数において、前記ポリマーは界面活性剤でコーティングされている。
【０２５４】
上記の幾つかの実施形態のうちの一つまたは複数において、前記界面活性剤はセチルトリメチルアンモニウムブロマイドである。
【０２５５】
上記の幾つかの実施形態のうちの一つまたは複数において、前記カートリッジは更に、信号を前記センサからプロセッサへと伝播させるべく、複数の接点パッドに接続された複数の配線を備えてもよい。
【０２５６】
上記の幾つかの実施形態のうちの一つまたは複数において、前記カートリッジは、前記対象サンプルをろ過するための一つまたは複数のフィルタを備えてもよい。
【０２５７】
上記の幾つかの実施形態のうちの一つまたは複数において、前記金属イオンは、鉛イオンである。
【０２５８】
上記の幾つかの実施形態のうちの一つまたは複数において、前記マイクロ流体システムは、空気圧によって制御される。
【０２５９】
上記の幾つかの実施形態のうちの一つまたは複数において、前記カートリッジは、前記マイクロ流体スシステムにおける流量を制御するための一つまたは複数のハードウェアチップを更に備える。
【０２６０】
幾つかの実施形態において、対象サンプル中の鉛イオンを検出するのに使用されるカートリッジを提供する。カートリッジは、（ａ）巨大磁気抵抗（ＧＭＲ）センサのポリマーコーティングされた表面に配置された二本鎖ＤＮＡ（ｄｓＤＮＡ）を含むセンサを備える。前記ｄｓＤＮＡは、当該ｄｓＤＮＡの二本鎖のうちの一方に開裂部分と、開裂可能部分に関連付けられる受容体と、を備える。前記受容体は、磁性ナノ粒子と結合可能であり、開裂は前記対象サンプル中の鉛イオンの存在によって触媒される。前記開裂可能部分が開裂すると、前記受容体を伴う前記開裂可能部分は前記ｄｓＤＮＡとはもはや共有結合しない。前記カートリッジは、（ｂ）対象サンプル、磁気ナノ粒子および必要に応じて使用される洗浄緩衝液を前記カートリッジへと導入するための一つまたは複数のポートと、（ｃ）前記対象サンプル、前記磁性ナノ粒子および前記必要に応じて使用される洗浄緩衝液を前記一つまたは複数のポートから前記センサへと移動するためのマイクロ流体システムと、を更に備える。
【０２６１】
このような実施形態において、前記カートリッジは、廃棄物収集エリアを更に備えてもよい。
【０２６２】
上記の幾つかの実施形態のうちの一つまたは複数において、前記ｄｓＤＮＡはＤＮＡザイムを含み、前記ＤＮＡザイムは前記金属イオンによって活性化される。
【０２６３】
上記の幾つかの実施形態のうちの一つまたは複数において、複数の前記ｄｓＤＮＡが、前記センサの前記表面に約１×１０9〜約５×１０10個／ｍｍ2の密度で付着している。
【０２６４】
上記の幾つかの実施形態のうちの一つまたは複数において、前記ＧＭＲセンサーの表面は、架橋ＰＥＧ−ＰＨＥＭＡポリマーを含む。
【０２６５】
上記の幾つかの実施形態のうちの一つまたは複数において、前記ポリマーは界面活性剤でコーティングされている。
【０２６６】
上記の幾つかの実施形態のうちの一つまたは複数において、前記界面活性剤はセチルトリメチルアンモニウムブロマイドである。
【０２６７】
上記の幾つかの実施形態のうちの一つまたは複数において、前記カートリッジは更に、信号を前記センサからプロセッサへと伝播させるべく、複数の接点パッドに接続された複数の配線を備えてもよい。
【０２６８】
上記の幾つかの実施形態のうちの一つまたは複数において、前記カートリッジは、前記対象サンプルをろ過するための一つまたは複数のフィルタを備えてもよい。
【０２６９】
上記の幾つかの実施形態のうちの一つまたは複数において、前記マイクロ流体システムは、空気圧によって制御される。
【０２７０】
上記の幾つかの実施形態のうちの一つまたは複数において、前記カートリッジは、前記マイクロ流体スシステムにおける流量を制御するための一つまたは複数のハードウェアチップを更に備える。
【０２７１】
幾つかの実施形態において、対象サンプル中の鉛イオンを検出するためのセンサを製造する方法を提供する。方法は、（ａ）巨大磁気抵抗（ＧＭＲ）センサの表面に二本鎖ＤＮＡ（ｄｓＤＮＡ）を印刷する工程を備える。前記ｄｓＤＮＡは、当該ｄｓＤＮＡの二本鎖のうちの一方に開裂部分と、開裂可能部分に関連付けられる受容体と、を備える。前記受容体は、磁性ナノ粒子と結合可能であり、開裂は前記対象サンプル；中の鉛イオンの存在によって触媒される。前記開裂可能部分が開裂すると、前記受容体を伴う前記開裂可能部分は前記ｄｓＤＮＡとはもはや共有結合しない。前記ＧＭＲセンサは、前記ｄｓＤＮＡが印刷されたポリマーコーティングを備える。前記方法は更に、（ｂ）前記印刷する工程の後に、前記ポリマーコーティングに一つまたは複数のブロッキング剤を添加することにより、ポリマーコーティングの表面を修飾（ｍｏｄｉｆｙ）する工程と、前記１つまたは複数のブロッキング剤を添加した後に、前記ポリマーコーティングに界面活性剤を添加する工程と、を備える。
【０２７２】
このような実施形態において、前記ｄｓＤＮＡはＤＮＡザイムを含む。
【０２７３】
上記の幾つかの実施形態のうちの一つまたは複数において、前記ポリマーコーティングは、架橋ＰＥＧ−ＰＨＥＭＡポリマーを含む。
【０２７４】
上記の幾つかの実施形態のうちの一つまたは複数において、方法は、緩衝液洗浄剤を使用した一つまたは複数の洗浄工程を更に備えてもよい。
【０２７５】
上記の幾つかの実施形態のうちの一つまたは複数において、緩衝液洗浄剤は、ＨＥＰＥＳ緩衝液である。
【０２７６】
上記の幾つかの実施形態のうちの一つまたは複数において、ＨＥＰＥＳ緩衝液の濃度は２５ｍＭである。
【０２７７】
上記の幾つかの実施形態のうちの一つまたは複数において、前記界面活性剤は、アセチルトリメチルアンモニウムブロマイド（ＣＴＡＢ）である。
【０２７８】
上記の幾つかの実施形態のうちの一つまたは複数において、前記ＣＴＡＢの濃度は、２５ｍＭのＨＥＰＥＳで１重量％である。
【０２７９】
幾つかの実施形態において、対象サンプル内の金属イオンの存在を検出方法を提供する。方法は、巨大磁気抵抗（ＧＭＲ）センサのポリマーコーティングされた表面に配置された生体分子を含むセンサを準備する工程を備える。前記生体分子は抗原結合部位において抗体に結合する抗原部分を有し、前記抗体は、磁性ナノ粒子と結合するように構成された前記抗原結合部位とは別の部分を有する。前記方法は更に、前記対象サンプルと前記抗体との混合物を前記センサ上を通過させる工程を備え、前記対象サンプルに前記金属イオンが存在する場合、前記抗体の前記抗原結合部位は前記被検物質と結合し、それにより前記生体分子の前記抗原部分への前記抗体の結合を妨げ、前記方法は更に、前記混合物を前記センサ上を通過させた後に、磁性粒子を前記センサ上を通過させる工程と、磁性粒子を通過させる前および後に前記ＧＭＲセンサの抵抗値を読み取ることに基づいて、前記ＧＭＲセンサの抵抗変化を測定することにより、前記対象サンプル内の前記金属イオンの存在を検出する工程と、を備える。
【０２８０】
このような実施形態において、方法は更に、前記ＧＭＲセンサの前記抵抗変化に基づいて、前記対象サンプル内の前記金属イオンの濃度を計算する工程を備えてもよい。
【０２８１】
上記の幾つかの実施形態のうちの一つまたは複数において、方法は、前記混合物を前記センサ上を通過させる工程の前に、前記センサの緩衝液洗浄を行う工程を更に備えてもよい。
【０２８２】
上記の幾つかの実施形態のうちの一つまたは複数において、方法は、前記混合物を前記センサ上を通過させる工程の後であって前記磁気粒子を前記センサ上を通過させる工程の前に、前記センサの緩衝液洗浄を行う工程を備えてもよい。
【０２８３】
上記の幾つかの実施形態のうちの一つまたは複数において、方法は、前記磁気粒子を前記センサ上を通過させる工程の後に、前記センサの緩衝液洗浄を行う工程を備えてもよい。
【０２８４】
上記の幾つかの実施形態のうちの一つまたは複数において、前記金属イオンは水銀である。
【０２８５】
上記の幾つかの実施形態のうちの一つまたは複数において、前記対象サンプルは、水である。
【０２８６】
上記の幾つかの実施形態のうちの一つまたは複数において、前記対象サンプルは、被験者の血液に由来する。
【０２８７】
上記の幾つかの実施形態のうちの一つまたは複数において、前記生体分子は、タンパク質である。
【０２８８】
上記の幾つかの実施形態のうちの一つまたは複数において、前記タンパク質は、変性ウシ血清アルブミンである。幾つかの実施形態において、前記変性ウシ血清アルブミンは、ＨｇＢＳＡであり、製品名は次の通りである。Ｈｇ2+［ＢＳＡ］（Ｃａｔ．Ｎｏ：ＤＡＧＡ−００７Ｂ）クリエイティブダイアグノスティックス社、所在地、ラムジーロードシャーリー、ニューヨーク１１９６７、米国。幾つかの実施形態において、ＨｇＢＳＡと組み合わせられる抗体はＨｇＡｂであり、製品名は次の通りである。ＲＨＡ抗Ｈｇ2+モノクローナル抗体、クローンＨｇ２（Ｃａｔ．Ｎｏ：ＨＭＡＢＰＹ００７）、クリエイティブダイアグノスティックス社製。
【０２８９】
上記の幾つかの実施形態のうちの一つまたは複数において、前記ＧＭＲセンサの抵抗変化を測定することは、少なくとも１つの基準抵抗器を使用して前記ＧＭＲセンサの抵抗変化の位相敏感解を求めることを含む。
【０２９０】
上記の幾つかの実施形態のうちの一つまたは複数において、検出の感度限界は、前記金属イオンの約１ナノモルから約１０ナノモルの範囲である。
【０２９１】
上記の幾つかの実施形態のうちの一つまたは複数において、前記サンプルは、ループ状にセンサ上を流れる。上記の幾つかの実施形態のうちの一つまたは複数において、新鮮なサンプルを絶えず供給しながら、前記サンプルがセンサ上を流れる。上記の幾つかの実施形態のうちの一つまたは複数において、Ｂ−ＨｇＡｂ（検出抗体）は、約０．１μｇ／ｍＬの作業濃度で、対象サンプルを含む水銀イオンに添加される。溶液中の水銀イオン（ＩＩ）は、ＨｇＡｂの結合部位に対して、ＨｇＢＳＡ基質と競合する。高濃度のＨｇを含有する溶液では、ＨｇＢＳＡに結合できるＨｇＡｂはごく僅かである。培養は、ＧＭＲセンサに１μｌ／分〜５μｌ／分の流量で流しながら行う。Ｈｇに結合していないＨｇＡｂが結合するのに十分な時間を確保するため、センサ上に新鮮なサンプルの供給が継続的に行われてもよい。上記の幾つかの実施形態のうちの一つまたは複数において、前記対象サンプルの反応は、約３０分間であってもよい。
【０２９２】
幾つかの実施形態において、対象サンプル内の水銀イオンの存在を検出方法を提供する。方法は、巨大磁気抵抗（ＧＭＲ）センサのポリマーコーティングされた表面に配置されたタンパク質を含むセンサを準備する工程を備える。前記タンパク質は、抗原結合部位において抗体に結合可能な抗原部分を含み、前記抗体は、磁性ナノ粒子と結合するように構成された前記抗原結合部位とは別の部分を有する。前記方法は更に、前記対象サンプルと前記抗体との混合物を前記センサ上を通過させる工程を備え、前記対象サンプルに前記水銀イオンが存在する場合、前記抗体の前記抗原結合部位は前記被検物質と結合し、それにより前記タンパク質の前記抗原部分への前記抗体の結合を妨げ、前記方法は更に、前記混合物を前記センサ上を通過させた後に、磁性粒子を前記センサ上を通過させる工程と、磁性粒子を前記センサ上を通過させる前および後に抵抗値を読み取ることに基づいて、前記ＧＭＲセンサの抵抗変化を測定することにより、前記対象サンプル内の前記水銀イオンの存在を検出する工程と、を備える。幾つかのこのような実施形態において、前記方法は、Ｈｇ2+イオンを検出するのに使用される。
【０２９３】
このような実施形態において、方法は更に、前記ＧＭＲセンサの前記抵抗変化に基づいて、前記対象サンプル内の前記水銀イオンの濃度を計算する工程を備えてもよい。
【０２９４】
上記の幾つかの実施形態のうちの一つまたは複数において、方法は、前記混合物を前記センサ上を通過させる工程の前に、前記センサの緩衝液洗浄を行う工程を更に備えてもよい。
【０２９５】
上記の幾つかの実施形態のうちの一つまたは複数において、前記方法は、前記混合物を前記センサ上を通過させる工程の後であって前記磁気粒子を前記センサ上を通過させる工程の前に、前記センサの緩衝液洗浄を行う工程を備えてもよい。
【０２９６】
上記の幾つかの実施形態のうちの一つまたは複数において、前記方法は、前記磁気粒子を前記センサ上を通過させる工程の後に、前記センサの緩衝液洗浄を行う工程を備えてもよい。
【０２９７】
上記の幾つかの実施形態のうちの一つまたは複数において、前記対象サンプルは、水である。
【０２９８】
上記の幾つかの実施形態のうちの一つまたは複数において、前記対象サンプルは、被験者の血液に由来する。
【０２９９】
上記の幾つかの実施形態のうちの一つまたは複数において、前記タンパク質は、変性ウシ血清アルブミンである。幾つかの実施形態において、前記変性ウシ血清アルブミンは、ＨｇＢＳＡであり、製品名は次の通りである。Ｈｇ2+［ＢＳＡ］（Ｃａｔ．Ｎｏ：ＤＡＧＡ−００７Ｂ）クリエイティブダイアグノスティックス社、所在地、ラムジーロードシャーリー、ニューヨーク１１９６７、米国。幾つかの実施形態において、ＨｇＢＳＡと組み合わせられる抗体はＨｇＡｂであり、製品名は次の通りである。ＲＨＡ抗Ｈｇ2+モノクローナル抗体、クローンＨｇ２（Ｃａｔ．Ｎｏ：ＨＭＡＢＰＹ００７）、クリエイティブダイアグノスティックス社製。
【０３００】
上記の幾つかの実施形態のうちの一つまたは複数において、前記ＧＭＲセンサの抵抗変化を測定することは、少なくとも１つの基準抵抗器を使用して前記ＧＭＲセンサの抵抗変化の位相敏感解を求めることを含む。
【０３０１】
上記の幾つかの実施形態のうちの一つまたは複数において、前記サンプルは、ループ状にセンサ上を流れる。上記の幾つかの実施形態のうちの一つまたは複数において、新鮮なサンプルを絶えず供給しながら、前記サンプルがセンサ上を流れる。上記の幾つかの実施形態のうちの一つまたは複数において、Ｂ−ＨｇＡｂ（検出抗体）は、約０．１μｇ／ｍＬの作業濃度で、対象サンプルを含む水銀イオンに添加される。溶液中の水銀イオン（ＩＩ）は、ＨｇＡｂの結合部位に対して、ＨｇＢＳＡ基質と競合する。高濃度のＨｇを含有する溶液では、ＨｇＢＳＡに結合できるＨｇＡｂはごく僅かである。培養は、ＧＭＲセンサに１μｌ／分〜５μｌ／分の流量で流しながら行う。Ｈｇに結合していないＨｇＡｂが結合するのに十分な時間を確保するため、センサ上に新鮮なサンプルの供給が継続的に行われてもよい。上記の幾つかの実施形態のうちの一つまたは複数において、前記対象サンプルの反応は、約３０分間であってもよい。
【０３０２】
上記の幾つかの実施形態のうちの一つまたは複数において、検出の感度限界は、前記水銀イオンの約１ナノモルから約１０ナノモルの範囲である。
【０３０３】
幾つかの実施形態において、センサが提供される。センサは、巨大磁気抵抗（ＧＭＲ）センサのポリマーコーティングされた表面に配置されたタンパク質を備える。前記タンパク質は抗原部分を有する。このような実施形態において、前記タンパク質は、変性ウシ血清アルブミンである。幾つかの実施形態において、前記変性ウシ血清アルブミンは、ＨｇＢＳＡであり、製品名は次の通りである。Ｈｇ2+［ＢＳＡ］（Ｃａｔ．Ｎｏ：ＤＡＧＡ−００７Ｂ）クリエイティブダイアグノスティックス社、所在地、ラムジーロードシャーリー、ニューヨーク１１９６７、米国。幾つかの実施形態において、ＨｇＢＳＡと組み合わせられる抗体はＨｇＡｂであり、製品名は次の通りである。ＲＨＡ抗Ｈｇ2+モノクローナル抗体、クローンＨｇ２（Ｃａｔ．Ｎｏ：ＨＭＡＢＰＹ００７）、クリエイティブダイアグノスティックス社製。
【０３０４】
上記の幾つかの実施形態のうちの一つまたは複数において、界面活性剤を前記ＧＭＲセンサの前記ポリマーコーティングされた表面上に配置してもよい。このような実施形態において、前記界面活性剤はカチオン性である。このような実施形態において、前記界面活性剤はセチルトリメチルアンモニウムブロマイドである。
【０３０５】
上記の幾つかの実施形態のうちの一つまたは複数において、前記タンパク質は、印刷によりＧＭＲセンサ上で空間的に整列されている。
【０３０６】
幾つかの実施形態において、センサが提供される。センサは、巨大磁気抵抗（ＧＭＲ）センサのポリマーコーティングされた表面に配置された変性ウシ血清アルブミン（ＢＳＡ）を備える。前記変性ウシ血清アルブミンは、抗原結合部位において抗体に結合する抗原部分を有する。幾つかの実施形態において、前記変性ウシ血清アルブミンは、ＨｇＢＳＡであり、製品名は次の通りである。Ｈｇ2+［ＢＳＡ］（Ｃａｔ．Ｎｏ：ＤＡＧＡ−００７Ｂ）クリエイティブダイアグノスティックス社、所在地、ラムジーロードシャーリー、ニューヨーク１１９６７、米国。幾つかの実施形態において、ＨｇＢＳＡと組み合わせられる抗体はＨｇＡｂであり、製品名は次の通りである。ＲＨＡ抗Ｈｇ2+モノクローナル抗体、クローンＨｇ２（Ｃａｔ．Ｎｏ：ＨＭＡＢＰＹ００７）、クリエイティブダイアグノスティックス社製。
【０３０７】
上記の幾つかの実施形態のうちの一つまたは複数において、前記センサは更に、前記ＧＭＲセンサの前記ポリマーコーティングされた表面上に配置された界面活性剤を備えてもよい。このような実施形態において、前記界面活性剤はカチオン性である。このような実施形態において、前記界面活性剤はセチルトリメチルアンモニウムブロマイドである。
【０３０８】
上記の幾つかの実施形態のうちの一つまたは複数において、前記変性ウシ血清アルブミンは、印刷によりＧＭＲセンサ上で空間的に整列されている。
【０３０９】
幾つかの実施形態において、対象サンプル中の金属イオンを検出するのに使用されるカートリッジを提供する。カートリッジは、（ａ）巨大磁気抵抗（ＧＭＲ）センサのポリマーコーティングされた表面に配置されたタンパク質を含むセンサを備える。前記タンパク質は抗原部分を有する。前記カートリッジは更に、（ｂ）対象サンプルをどう有するためのポートと、（ｃ）磁気ナノ粒子の貯蔵源と、（ｄ）抗体の貯蔵源と、を備える。前記抗体は、前記抗原部分に結合することができる抗原結合部位と、前記磁性ナノ粒子に結合するように構成された前記抗原結合部位とは別の部分とを有する。前記カートリッジは、（ｅ）前記対象サンプル、前記磁性ナノ粒子および前記抗体を移動させるための空気圧制御マイクロ流体システムを更に備える。
【０３１０】
このような実施形態において、前記カートリッジは、廃棄物収集エリアを更に備える。
【０３１１】
上記の幾つかの実施形態のうちの一つまたは複数において、前記タンパク質は、変性ウシ血清アルブミンである。幾つかの実施形態において、前記変性ウシ血清アルブミンは、ＨｇＢＳＡであり、製品名は次の通りである。Ｈｇ2+［ＢＳＡ］（Ｃａｔ．Ｎｏ：ＤＡＧＡ−００７Ｂ）クリエイティブダイアグノスティックス社、所在地、ラムジーロードシャーリー、ニューヨーク１１９６７、米国。幾つかの実施形態において、ＨｇＢＳＡと組み合わせられる抗体はＨｇＡｂであり、製品名は次の通りである。ＲＨＡ抗Ｈｇ2+モノクローナル抗体、クローンＨｇ２（Ｃａｔ．Ｎｏ：ＨＭＡＢＰＹ００７）、クリエイティブダイアグノスティックス社製。
【０３１２】
上記の幾つかの実施形態のうちの一つまたは複数において、界面活性剤が、ポリマーコーティングされたＧＭＲセンサ上に配置されている。このような実施形態において、前記界面活性剤はセチルトリメチルアンモニウムブロマイドである。
【０３１３】
上記の幾つかの実施形態のうちの一つまたは複数において、前記センサは、前記センサからプロセッサに電子信号を伝えるための複数の接点ピンと電子通信するように構成されている。
【０３１４】
上記の幾つかの実施形態のうちの一つまたは複数において、前記カートリッジは、前記対象サンプルをろ過するための一つまたは複数のフィルタを備えてもよい。
【０３１５】
上記の幾つかの実施形態のうちの一つまたは複数において、前記カートリッジは、前記マイクロ流体スシステムにおける−制御するための一つまたは複数のハードウェアチップを更に備える。
【０３１６】
幾つかの実施形態において、対象サンプル中の水銀イオンを検出するのに使用されるカートリッジを提供する。カートリッジは、（ａ）巨大磁気抵抗（ＧＭＲ）センサのポリマーコーティングされた表面に配置された変性ウシ血清アルブミン（ＢＳＡ）を有するセンサを備える。前記変性ＢＳＡは、抗原部分を有する。前記カートリッジは更に、（ｂ）対象サンプルをどう有するためのポートと、（ｃ）磁気ナノ粒子の貯蔵源と、（ｄ）抗体の貯蔵源と、を備える。前記抗体は、前記抗原部分に結合することができる抗原結合部位と、前記磁性ナノ粒子に結合するように構成された前記抗原結合部位とは別の部分とを有する。前記カートリッジは、（ｅ）前記対象サンプル、前記磁性ナノ粒子および前記抗体を移動させるための空気圧制御マイクロ流体システムを更に備える。幾つかの実施形態において、前記変性ウシ血清アルブミンは、ＨｇＢＳＡであり、製品名は次の通りである。Ｈｇ2+［ＢＳＡ］（Ｃａｔ．Ｎｏ：ＤＡＧＡ−００７Ｂ）クリエイティブダイアグノスティックス社、所在地、ラムジーロードシャーリー、ニューヨーク１１９６７、米国。幾つかの実施形態において、ＨｇＢＳＡと組み合わせられる抗体はＨｇＡｂであり、製品名は次の通りである。ＲＨＡ抗Ｈｇ2+モノクローナル抗体、クローンＨｇ２（Ｃａｔ．Ｎｏ：ＨＭＡＢＰＹ００７）、クリエイティブダイアグノスティックス社製。
【０３１７】
このような実施形態において、前記カートリッジは、廃棄物収集エリアを更に備えてもよい。
【０３１８】
上記の幾つかの実施形態のうちの一つまたは複数において、界面活性剤が、ポリマーコーティングされたＧＭＲセンサ上に配置されてもよい。このような実施形態において、前記界面活性剤は、セチルトリメチルアンモニウムブロミドであってもよい。
【０３１９】
上記の幾つかの実施形態のうちの一つまたは複数において、前記センサは、前記センサからプロセッサに電子信号を伝えるための複数の接点ピンと電子通信するように構成されている。
【０３２０】
上記の幾つかの実施形態のうちの一つまたは複数において、前記カートリッジは、前記対象サンプルをろ過するための一つまたは複数のフィルタを備えてもよい。
【０３２１】
上記の幾つかの実施形態のうちの一つまたは複数において、前記カートリッジは、前記空気圧制御されるマイクロ流体スシステムを制御するための一つまたは複数のハードウェアチップを更に備える。
【０３２２】
幾つかの実施形態において、対象サンプル中の水銀イオンを検出するためのセンサを製造する方法を提供する。方法は、ポリマーコーティングされたＧＭＲセンサ上に、抗原部分を含むタンパク質を印刷する工程を備える。幾つかの実施形態において、前記タンパク質は、変性ウシ血清アルブミンである。幾つかの実施形態において、前記変性ウシ血清アルブミンは、ＨｇＢＳＡであり、製品名は次の通りである。Ｈｇ2+［ＢＳＡ］（Ｃａｔ．Ｎｏ：ＤＡＧＡ−００７Ｂ）クリエイティブダイアグノスティックス社、所在地、ラムジーロードシャーリー、ニューヨーク１１９６７、米国。幾つかの実施形態において、ＨｇＢＳＡと組み合わせられる抗体はＨｇＡｂであり、製品名は次の通りである。ＲＨＡ抗Ｈｇ2+モノクローナル抗体、クローンＨｇ２（Ｃａｔ．Ｎｏ：ＨＭＡＢＰＹ００７）、クリエイティブダイアグノスティックス社製。
【０３２３】
上記の幾つかの実施形態のうちの一つまたは複数において、前記ポリマーコーティングは、架橋ＰＥＧ−ＰＨＥＭＡポリマーである。
【０３２４】
幾つかの実施形態において、対象サンプル内の金属イオンの存在を検出方法を提供する。方法は、巨大磁気抵抗（ＧＭＲ）センサのポリマーコーティングされた表面に配置された生体分子を含むセンサを準備する工程を備える。前記生体分子は検出タンパク質と結合するように構成された結合領域を備え、前記検出タンパク質は前記金属イオンとも結合可能である。前記検出タンパク質が前記金属イオンに結合すると、前記生体分子の前記結合領域へ前記検出タンパク質が結合するのが妨げられる。前記方法は、前記検出タンパク質を前記センサ上を通過させる工程と、前記対象サンプルを前記センサ上を通過させる工程と、前記レポータータンパク質を前記センサ上を通過させた後に、磁性粒子を前記センサ上を通過させる工程と、を更に備える。前記レポータータンパク質は、前記検出タンパク質に結合可能であり、且つ、磁気ナノ粒子と結合するように構成されている。前記方法は更に、前記レポータータンパク質を前記センサ上を通過させた後に、磁性粒子を前記センサ上を通過させる工程と、前記磁性粒子を前記センサ上を通過させる前および後に抵抗値を読み取ることに基づいて、前記ＧＭＲセンサの抵抗変化を測定することにより、前記金属イオンの存在を検出する工程と、を備える。
【０３２５】
このような実施形態において、方法は更に、前記ＧＭＲセンサの前記抵抗変化に基づいて、前記対象サンプル内の前記金属イオンの濃度を計算する工程を備えてもよい。
【０３２６】
上記の幾つかの実施形態のうちの一つまたは複数において、前記方法は、緩衝液洗浄を一回または複数回行う工程を更に備えてもよい。
【０３２７】
上記の幾つかの実施形態のうちの一つまたは複数において、前記検出タンパク質と前記対象サンプルとを前記センサ上を通過させる前に混合する。
【０３２８】
上記の幾つかの実施形態のうちの一つまたは複数において、前記検出タンパク質が前記センサ上を通過した後に、前記対象サンプルが前記センサ上を通過する。
【０３２９】
上記の幾つかの実施形態のうちの一つまたは複数において、前記金属イオンはヒ素である。
【０３３０】
上記の幾つかの実施形態のうちの一つまたは複数において、前記金属イオンはカドミニウムである。
【０３３１】
上記の幾つかの実施形態のうちの一つまたは複数において、前記対象サンプルは、水である。
【０３３２】
上記の幾つかの実施形態のうちの一つまたは複数において、前記対象サンプルは、被験者の血液に由来する。
【０３３３】
上記の幾つかの実施形態のうちの一つまたは複数において、前記検出タンパク質は、タグを有するヒ素結合調節タンパク質である。
【０３３４】
上記の幾つかの実施形態のうちの一つまたは複数において、前記検出タンパク質は、タグを有するカドミウム結合調節タンパク質である。
【０３３５】
上記の幾つかの実施形態のうちの一つまたは複数において、前記タグは、グルタチオンＳ−トランスフェラーゼである。
【０３３６】
上記の幾つかの実施形態のうちの一つまたは複数において、前記タグは、ポリヒスチジンである。
【０３３７】
上記の幾つかの実施形態のうちの一つまたは複数において、前記生体分子は、二本鎖ＤＮＡ（ｄｓＤＮＡ）である。
【０３３８】
上記の幾つかの実施形態のうちの一つまたは複数において、前記ｄｓＤＮＡのフォワードストランド（順方向鎖）の配列は、５’−ＣＴＴ  ＡＣＡ  ＣＡＴ  ＴＣＧ  ＴＴＡ  ＡＧＴ  ＣＡＴ  ＡＴＡ  ＴＧＴ  ＴＴＴＡＴＧＡ  ＣＴＴ  ＡＴＣ  ＣＧＣ  ＴＴＣ  ＧＡＡ  ＧＡ／３ＡｍＭＣ６Ｔ／−３’（ＳＥＱ  ＩＤ  ＮＯ．１）である。
【０３３９】
上記の幾つかの実施形態のうちの一つまたは複数において、前記ｄｓＤＮＡのリバースストランド（逆方向鎖）の配列は、５’−ＴＣＴ  ＴＣＧ  ＡＡＧ  ＣＧＧ  ＡＴＡ  ＡＧＴ  ＣＡＡ  ＡＡＡ  ＣＡＴ  ＡＴＡ  ＴＧ  ＡＣＴＴ  ＡＡＣ  ＧＡＡ  ＴＧＴ  ＧＴＡ  ＡＧ−３’（ＳＥＱ  ＩＤ  ＮＯ．２）である。
【０３４０】
上記の幾つかの実施形態のうちの一つまたは複数において、前記ｄｓＤＮＡのフォワードストランド（順方向鎖）の配列は、５’−ＴＧＡ  ＧＴＣ  ＧＡＡ  ＡＡＴ  ＧＧＴ  ＴＡＴ  ＡＡＴ  ＡＣＡ  ＣＴＣ  ＡＡＡ  ＴＡＡ  ＡＴＡ  ＴＴＴ  ＧＡＡ  ＴＧＡ  ＡＧＡ  ＴＧ／３ＡｍＭＣ６Ｔ／−３’（ＳＥＱ  ＩＤ  ＮＯ．３）である。
【０３４１】
上記の幾つかの実施形態のうちの一つまたは複数において、前記ｄｓＤＮＡのリバースストランド（逆方向鎖）の配列は、５’−ＣＡＴ  ＣＴＴ  ＣＡＴ  ＴＣＡ  ＡＡＴ  ＡＴＴ  ＴＡＴ  ＴＴＧ  ＡＧＴ  ＧＴＡ  ＴＴＡ  ＴＡＡ  ＣＣＡ  ＴＴＴ  ＴＣＧ  ＡＣＴ  ＣＡ  −３’（ＳＥＱ  ＩＤ  ＮＯ．４）である。
【０３４２】
上記の幾つかの実施形態のうちの一つまたは複数において、前記レポータータンパク質は、ビオチン化抗体である。
【０３４３】
上記の幾つかの実施形態のうちの一つまたは複数において、前記磁性粒子は、ストレプトアビジン結合ナノ粒子を含む。
【０３４４】
上記の幾つかの実施形態のうちの一つまたは複数において、前記ＧＭＲセンサの抵抗変化を測定することは、少なくとも１つの基準抵抗器を使用して前記ＧＭＲセンサの抵抗変化の位相敏感解を求めることを含む。
【０３４５】
上記の幾つかの実施形態のうちの一つまたは複数において、複数の前記生体分子が、前記センサの前記表面に約１×１０9〜約５×１０10個／ｍｍ2の密度で前記バイオセンサに付着している。
【０３４６】
上記の幾つかの実施形態のうちの一つまたは複数において、Ｐｃａｄ−Ｏｃａｄ−Ｆ−Ａｍｉｎｅストランドが、１０μＭ〜２５μＭの濃度で前記表面に印刷されてもよい。
【０３４７】
上記の幾つかの実施形態のうちの一つまたは複数において、検出の感度限界は、前記金属イオンの約１ナノモルから約１０ナノモルの範囲である。
【０３４８】
上記の幾つかの実施形態のうちの一つまたは複数において、前記対象サンプルを前記センサ上を通過させる工程は、約１μＬ／分および約５μＬ／分の流量で前記対象サンプルを前記センサ上を通過させることを含む。このような実施形態において、反応時間は約３０分であってもよい。ある実施形態において、印刷されたＰｃａｄ−Ｏｃａｄ−Ｆを介したビオチン化Ｐｃａｄ−Ｏｃａｄ−Ｒの流れを検査することにより、この反応時間で十分であると判断された。ストレプトアビジン標識された磁性ナノ粒子が導入された時に信号が得られ、２つのＰｃａｄ−Ｏｃａｄストランドのハイブリダイゼーションが起こっていることが確認された。ある実施形態において、利用可能なＦストランドの最高濃度に少なくとも等しい濃度において、Ｒストランドのハイブリダイゼーションが行われる。
【０３４９】
ある実施形態において、金属イオンを検出するためのセンサが提供される。前記センサは、巨大磁気抵抗（ＧＭＲ）センサのポリマーコーティングされた表面に配置された生体分子を備える。前記生体分子は検出タンパク質と結合するように構成された結合領域を備え、前記検出タンパク質は前記金属イオンとも結合可能である。前記検出タンパク質が前記金属イオンに結合すると、前記生体分子の前記結合領域へ前記検出タンパク質が結合するのが妨げられる。
【０３５０】
このような実施形態において、前記生体分子は、二本鎖ＤＮＡ（ｄｓＤＮＡ）である。
【０３５１】
上記の幾つかの実施形態のうちの一つまたは複数において、前記ｄｓＤＮＡのフォワードストランドは、配列５’−ＣＴＴ  ＡＣＡ  ＣＡＴ  ＴＣＧ  ＴＴＡ  ＡＧＴ  ＣＡＴ  ＡＴＡ  ＴＧＴ  ＴＴＴＡＴＧＡ  ＣＴＴ  ＡＴＣ  ＣＧＣ  ＴＴＣ  ＧＡＡ  ＧＡ／３ＡｍＭＣ６Ｔ／−３’（ＳＥＱ  ＩＤ  ＮＯ．１）を有する。
【０３５２】
上記の幾つかの実施形態のうちの一つまたは複数において、前記ｄｓＤＮＡのリバースストランドは、配列５’−ＴＣＴ  ＴＣＧ  ＡＡＧ  ＣＧＧ  ＡＴＡ  ＡＧＴ  ＣＡＡ  ＡＡＡ  ＣＡＴ  ＡＴＡ  ＴＧ  ＡＣＴＴ  ＡＡＣ  ＧＡＡ  ＴＧＴ  ＧＴＡ  ＡＧ  −３’（ＳＥＱ  ＩＤ  ＮＯ．２）を有する。
【０３５３】
上記の幾つかの実施形態のうちの一つまたは複数において、前記ｄｓＤＮＡのフォワードストランドは、配列５’−ＴＧＡ  ＧＴＣ  ＧＡＡ  ＡＡＴ  ＧＧＴ  ＴＡＴ  ＡＡＴ  ＡＣＡ  ＣＴＣ  ＡＡＡ  ＴＡＡ  ＡＴＡ  ＴＴＴ  ＧＡＡ  ＴＧＡ  ＡＧＡ  ＴＧ／３ＡｍＭＣ６Ｔ／−３’（ＳＥＱ  ＩＤ  ＮＯ．３）を有する。
【０３５４】
上記の幾つかの実施形態のうちの一つまたは複数において、前記ｄｓＤＮＡのリバースストランドは、配列５’−ＣＡＴ  ＣＴＴ  ＣＡＴ  ＴＣＡ  ＡＡＴ  ＡＴＴ  ＴＡＴ  ＴＴＧ  ＡＧＴ  ＧＴＡ  ＴＴＡ  ＴＡＡ  ＣＣＡ  ＴＴＴ  ＴＣＧ  ＡＣＴ  ＣＡ  −３’（ＳＥＱ  ＩＤ  ＮＯ．４）を有する。
【０３５５】
上記の幾つかの実施形態のうちの一つまたは複数において、複数の前記生体分子が、前記センサの前記表面に約１×１０9〜約５×１０10個／ｍｍ2の密度で前記バイオセンサに付着している。
【０３５６】
上記の幾つかの実施形態のうちの一つまたは複数において、前記ＧＭＲセンサーの表面は、架橋ＰＥＧ−ＰＨＥＭＡを含むポリマーを備える。
【０３５７】
上記の幾つかの実施形態のうちの一つまたは複数において、前記ポリマーコーティングされた表面における前記ポリマーは、界面活性剤でオーバーコートされている。前記界面活性剤はセチルトリメチルアンモニウムブロマイドである。
【０３５８】
一のまたは複数の実施形態において、前記センサは更に、信号を前記センサからプロセッサへと伝播させるべく、複数の接点パッドに接続された複数の配線を備えてもよい。
【０３５９】
上記の幾つかの実施形態のうちの一つまたは複数において、前記金属イオンは、ヒ素またはカドミウムを含む。
【０３６０】
幾つかの実施形態において、対象サンプル中の金属イオンを検出するのに使用されるカートリッジを提供する。カートリッジはセンサを備える。センサは、巨大磁気抵抗（ＧＭＲ）センサのポリマーコーティングされた表面に配置された生体分子を備える。前記生体分子は検出タンパク質と結合するように構成された結合領域を備え、前記検出タンパク質は前記金属イオンとも結合可能である。前記検出タンパク質が前記金属イオンに結合すると、前記生体分子の前記結合領域へ前記検出タンパク質が結合するのが妨げられる。前記カートリッジは、（ｂ）対象サンプル、磁気ナノ粒子および必要に応じて使用される洗浄緩衝液を前記カートリッジへと導入するための一つまたは複数のポートと、（ｃ）前記対象サンプル、前記磁性ナノ粒子および前記必要に応じて使用される洗浄緩衝液を前記一つまたは複数のポートから前記センサへと移動するためのマイクロ流体システムと、を更に備える。
【０３６１】
このような実施形態において、前記カートリッジは、廃棄物収集エリアを更に備えてもよい。
【０３６２】
上記の幾つかの実施形態のうちの一つまたは複数において、前記生体分子は、二本鎖ＤＮＡ（ｄｓＤＮＡ）である。
【０３６３】
上記の幾つかの実施形態のうちの一つまたは複数において、前記ｄｓＤＮＡのフォワードストランドは、配列５’−ＣＴＴ  ＡＣＡ  ＣＡＴ  ＴＣＧ  ＴＴＡ  ＡＧＴ  ＣＡＴ  ＡＴＡ  ＴＧＴ  ＴＴＴＡＴＧＡ  ＣＴＴ  ＡＴＣ  ＣＧＣ  ＴＴＣ  ＧＡＡ  ＧＡ／３ＡｍＭＣ６Ｔ／−３’（ＳＥＱ  ＩＤ  ＮＯ．１）を有する。
【０３６４】
上記の幾つかの実施形態のうちの一つまたは複数において、前記ｄｓＤＮＡのリバースストランドは、配列５’−ＴＣＴ  ＴＣＧ  ＡＡＧ  ＣＧＧ  ＡＴＡ  ＡＧＴ  ＣＡＡ  ＡＡＡ  ＣＡＴ  ＡＴＡ  ＴＧ  ＡＣＴＴ  ＡＡＣ  ＧＡＡ  ＴＧＴ  ＧＴＡ  ＡＧ  −３’（ＳＥＱ  ＩＤ  ＮＯ．２）を有する。
【０３６５】
上記の幾つかの実施形態のうちの一つまたは複数において、前記ｄｓＤＮＡのフォワードストランドは、配列５’−ＴＧＡ  ＧＴＣ  ＧＡＡ  ＡＡＴ  ＧＧＴ  ＴＡＴ  ＡＡＴ  ＡＣＡ  ＣＴＣ  ＡＡＡ  ＴＡＡ  ＡＴＡ  ＴＴＴ  ＧＡＡ  ＴＧＡ  ＡＧＡ  ＴＧ／３ＡｍＭＣ６Ｔ／−３’（ＳＥＱ  ＩＤ  ＮＯ．３）を有する。
【０３６６】
上記の幾つかの実施形態のうちの一つまたは複数において、前記ｄｓＤＮＡのリバースストランドは、配列５’−ＣＡＴ  ＣＴＴ  ＣＡＴ  ＴＣＡ  ＡＡＴ  ＡＴＴ  ＴＡＴ  ＴＴＧ  ＡＧＴ  ＧＴＡ  ＴＴＡ  ＴＡＡ  ＣＣＡ  ＴＴＴ  ＴＣＧ  ＡＣＴ  ＣＡ  −３’（ＳＥＱ  ＩＤ  ＮＯ．４）を有する。
【０３６７】
上記の幾つかの実施形態のうちの一つまたは複数において、複数の前記生体分子が、前記センサの前記表面に約１×１０9〜約５×１０10個／ｍｍ2の密度で前記バイオセンサに付着している。
【０３６８】
上記の幾つかの実施形態のうちの一つまたは複数において、前記ＧＭＲセンサーの表面は、架橋ＰＥＧ−ＰＨＥＭＡポリマーを含む。
【０３６９】
上記の幾つかの実施形態のうちの一つまたは複数において、前記ポリマーは界面活性剤でコーティングされている。このような実施形態において、前記界面活性剤は、セチルトリメチルアンモニウムブロミドであってもよい。
【０３７０】
上記の幾つかの実施形態のうちの一つまたは複数において、カートリッジ内の前記センサは更に、信号を前記センサからプロセッサへと伝播させるべく、複数の接点パッドに接続された複数の配線を備えてもよい。
【０３７１】
上記の幾つかの実施形態のうちの一つまたは複数において、前記カートリッジは、前記対象サンプルをろ過するための一つまたは複数のフィルタを備えてもよい。
【０３７２】
上記の幾つかの実施形態のうちの一つまたは複数において、前記金属イオンは、ヒ素またはカドミウムを含む。
【０３７３】
上記の幾つかの実施形態のうちの一つまたは複数において、前記マイクロ流体システムは、空気圧によって制御される。
【０３７４】
上記の幾つかの実施形態のうちの一つまたは複数において、前記カートリッジは、前記マイクロ流体スシステムにおける流量を制御するための一つまたは複数のハードウェアチップを更に備える。
【０３７５】
ある実施形態において、対象サンプル内のヒ素イオンまたはカドミウムイオンを検出するセンサの製造方法を提供する。方法は、（ａ）巨大磁気抵抗（ＧＭＲ）センサの表面に二本鎖ＤＮＡ（ｄｓＤＮＡ）を印刷する工程を備える。前記ｄｓＤＮＡは検出タンパク質と結合するように構成された結合領域を備え、前記検出タンパク質は前記ヒ素イオンまたはカドミウムイオンとも結合可能である。前記検出タンパク質が前記金属イオンに結合すると、前記生体分子の前記結合領域へ前記検出タンパク質が結合するのが妨げられる。前記ＧＭＲセンサは、前記ｄｓＤＮＡが印刷されたポリマーコーティングを備える。前記方法は更に、（ｂ）前記印刷する工程の後に、前記ポリマーコーティングに一つまたは複数のブロッキング剤を：添加することにより、ポリマーコーティングの表面を修飾（ｍｏｄｉｆｙ）する工程と、前記１つまたは複数のブロッキング剤を添加した後に、必要に応じて前記ポリマーコーティングに界面活性剤を添加する工程と、を備える。
【０３７６】
上記の幾つかの実施形態のうちの一つまたは複数において、前記ｄｓＤＮＡのフォワードストランドは、配列５’−ＣＴＴ  ＡＣＡ  ＣＡＴ  ＴＣＧ  ＴＴＡ  ＡＧＴ  ＣＡＴ  ＡＴＡ  ＴＧＴ  ＴＴＴＡＴＧＡ  ＣＴＴ  ＡＴＣ  ＣＧＣ  ＴＴＣ  ＧＡＡ  ＧＡ／３ＡｍＭＣ６Ｔ／−３’（ＳＥＱ  ＩＤ  ＮＯ．１）を有する。
【０３７７】
上記の幾つかの実施形態のうちの一つまたは複数において、前記ｄｓＤＮＡのリバースストランドは、配列５’−ＴＣＴ  ＴＣＧ  ＡＡＧ  ＣＧＧ  ＡＴＡ  ＡＧＴ  ＣＡＡ  ＡＡＡ  ＣＡＴ  ＡＴＡ  ＴＧ  ＡＣＴＴ  ＡＡＣ  ＧＡＡ  ＴＧＴ  ＧＴＡ  ＡＧ−３’（ＳＥＱ  ＩＤ  ＮＯ．２）を有する。
【０３７８】
上記の幾つかの実施形態のうちの一つまたは複数において、前記ｄｓＤＮＡのフォワードストランドは、配列５’−ＴＧＡ  ＧＴＣ  ＧＡＡ  ＡＡＴ  ＧＧＴ  ＴＡＴ  ＡＡＴ  ＡＣＡ  ＣＴＣ  ＡＡＡ  ＴＡＡ  ＡＴＡ  ＴＴＴ  ＧＡＡ  ＴＧＡ  ＡＧＡ  ＴＧ／３ＡｍＭＣ６Ｔ／  −  ３’（ＳＥＱ  ＩＤ  ＮＯ．３）を有する。
【０３７９】
上記の幾つかの実施形態のうちの一つまたは複数において、前記ｄｓＤＮＡのリバースストランドは、配列５’−ＣＡＴ  ＣＴＴ  ＣＡＴ  ＴＣＡ  ＡＡＴ  ＡＴＴ  ＴＡＴ  ＴＴＧ  ＡＧＴ  ＧＴＡ  ＴＴＡ  ＴＡＡ  ＣＣＡ  ＴＴＴ  ＴＣＧ  ＡＣＴ  ＣＡ  −３’（ＳＥＱ  ＩＤ  ＮＯ．４）を有する。
【０３８０】
上記の幾つかの実施形態のうちの一つまたは複数において、複数の前記生体分子が、前記センサの前記表面に約１×１０9〜約５×１０10個／ｍｍ2の密度で前記バイオセンサに付着している。
【０３８１】
上記の幾つかの実施形態のうちの一つまたは複数において、Ｐｃａｄ−Ｏｃａｄ−Ｆ−Ａｍｉｎｅストランドが、１０μＭ〜２５μＭの濃度で前記表面に印刷されている。
【０３８２】
上記の幾つかの実施形態のうちの一つまたは複数において、前記ポリマーコーティングは、架橋ＰＥＧ−ＰＨＥＭＡポリマーを含む。
【０３８３】
本明細書に開示される全ての実施形態について、被検物質を検出する方法を実行するために任意の態様で組み合わせることができ、このような方法は、様々なシステム構成要素を説明する本明細書に開示する実施形態の任意の組み合わせを使用して実行可能であることが理解されるであろう。
【０３８４】
上記の例示的な実施形態において本開示の原理が明確にされたが、本開示の実施に使用される構造、配置、比率、要素、材料および構成要素に対して様々な変形を加えることが可能であることは当業者であれば理解できる。
【０３８５】
従って、そのような変形例であっても本開示の特徴は完全におよび有効に達成されるだろう。上記の好ましい具体的な実施形態は、本開示の機能的および構造的な原理を例示することを目的として説明および図示したものであり、そのような原理の範囲内において変更され得る。従って、本開示は、添付の特許請求の範囲の精神および範囲に含まれる全ての変形例について包含する。
本発明は、例えば、以下の項目を提供する。
（項目１）
対象サンプル内の被検物質の存在を検出する方法であって、
巨大磁気抵抗（ＧＭＲ）センサのポリマーコーティングされた表面に配置された生体分子を含むセンサを準備する工程を備え、
前記生体分子は、
前記生体分子に共有結合する開裂可能部分と、
前記生体分子の前記開裂可能部分に関連付けられる受容体と、を有し、
開裂は前記対象サンプル中の前記被検物質の存在により触媒作用を受け、前記受容体は磁性ナノ粒子と結合可能であり、
前記方法は更に、
前記対象サンプルを前記センサ上を通過させることにより、前記被検物質が存在する場合に、前記関連付けられる受容体により前記開裂可能部分を前記生体分子から開裂および除去する工程と、
前記対象サンプルを前記センサ上を通過させた後に、磁性粒子を前記センサ上を通過させる工程と、
前記磁性粒子を前記センサ上を通過させる前および後に抵抗値を読み取ることに基づいて、前記ＧＭＲセンサの抵抗変化を測定することにより、前記対象サンプル内の前記被検物質の存在を検出する工程と、を備える方法。
（項目２）
前記ＧＭＲセンサの前記抵抗変化に基づいて、前記対象サンプル内の前記被検物質の濃度を計算する工程を更に備える、項目１に記載の方法。
（項目３）
前記対象サンプルを前記センサ上を通過させる工程の前に、前記センサの緩衝液洗浄を行う工程を更に備える、項目１または項目２に記載の方法。
（項目４）
前記対象サンプルを前記センサ上を通過させる工程の後であって前記磁気粒子を前記センサ上を通過させる工程の前に、前記センサの緩衝液洗浄を行う工程を更に備える、項目１から３の何れか一項に記載の方法。
（項目５）
前記磁気粒子を前記センサ上を通過させる工程の後に、前記センサの緩衝液洗浄を行う工程を更に備える、項目１から４の何れか一項に記載の方法。
（項目６）
前記被検物質は、金属イオンである、項目１から５の何れか一項に記載の方法。
（項目７）
前記対象サンプルは、水である、項目１から６の何れか一項に記載の方法。
（項目８）
前記対象サンプルは、被験者の血液に由来する、項目１から６の何れか一項に記載の方法。
（項目９）
前記生体分子は、二本鎖ＤＮＡ（ｄｓＤＮＡ）である、項目１から７の何れか一項に記載の方法。
（項目１０）
前記受容体は、前記ｄｓＤＮＡの前記二本鎖のうちの１つに共有結合している、項目９に記載の方法。
（項目１１）
前記ｄｓＤＮＡはＤＮＡザイムを含み、前記ＤＮＡザイムは前記金属イオンによって活性化される、項目９または項目１０に記載の方法。
（項目１２）
前記ＧＭＲセンサの抵抗変化を測定することは、少なくとも１つの基準抵抗器を使用して前記ＧＭＲセンサの抵抗変化の位相敏感解を求めることを含む、項目１から１１の何れか一項に記載の方法。
（項目１３）
複数の前記生体分子が、前記センサの前記表面に約１×１０9〜約５×１０10個／ｍｍ2の密度で付着している、項目１から１２の何れか一項に記載の方法。
（項目１４）
検出の感度限界は、前記被検物質の約１ナノモルから約１０ナノモルの範囲である、項目１から１３の何れか一項に記載の方法。
（項目１５）
前記対象サンプルを前記センサ上を通過させる工程は、約１μＬ／分から約２０μＬ／分の流量で前記対象サンプルを前記センサ上を通過させることを含む、項目１から１４の何れか一項に記載の方法。
（項目１６）
対象サンプル内の被検物質の存在を検出する方法であって、
巨大磁気抵抗（ＧＭＲ）センサのポリマーコーティングされた表面に配置された生体分子を含むセンサを準備する工程を備え、
前記生体分子は、
抗体の抗原結合部位に結合する抗原部分を有し、前記抗体は、磁性ナノ粒子と結合するように構成された前記抗原結合部位とは別の部分を有し、
前記方法は更に、前記対象サンプルと前記抗体との混合物を前記センサ上を通過させる工程を備え、
前記対象サンプルに前記被検物質が存在する場合、前記抗体の前記抗原結合部位は前記被検物質と結合することにより前記生体分子の前記抗原部分への前記抗体の結合を妨げ、
前記方法は更に、前記混合物を前記センサ上を通過させた後に、磁性粒子を前記センサ上を通過させる工程と、
前記磁性粒子を前記センサ上を通過させる前および後に抵抗値を読み取ることに基づいて、前記ＧＭＲセンサの抵抗変化を測定することにより、前記対象サンプル内の前記被検物質の存在を検出する工程と、を備える方法。
（項目１７）
前記ＧＭＲセンサの前記抵抗変化に基づいて、前記対象サンプル内の前記被検物質の濃度を計算する工程を更に備える、項目１６に記載の方法。
（項目１８）
前記混合物を前記センサ上を通過させる工程の前に、前記センサの緩衝液洗浄を行う工程を更に備える、項目１６または１７に記載の方法。
（項目１９）
前記混合物を前記センサ上を通過させる工程の後であって前記磁気粒子を前記センサ上を通過させる工程の前に、前記センサの緩衝液洗浄を行う工程を更に備える、項目１６から１８の何れか一項に記載の方法。
（項目２０）
前記磁気粒子を前記センサ上を通過させる工程の後に、前記センサの緩衝液洗浄を行う工程を更に備える、項目１６から１９の何れか一項に記載の方法。
（項目２１）
前記被検物質は、金属イオンである、項目１６から２０の何れか一項に記載の方法。
（項目２２）
前記対象サンプルは、水である、項目１６から２１の何れか一項に記載の方法。
（項目２３）
前記対象サンプルは、被験者の血液に由来する、項目１６から２１の何れか一項に記載の方法。
（項目２４）
前記生体分子は、タンパク質である、項目１６から２３の何れか一項に記載の方法。
（項目２５）
前記タンパク質は、ウシ血清アルブミンである、項目２４に記載の方法。
（項目２６）
前記ＧＭＲセンサの抵抗変化を測定することは、少なくとも１つの基準抵抗器を使用して前記ＧＭＲセンサの抵抗変化の位相敏感解を求めることを含む、項目１６から２５の何れか一項に記載の方法。
（項目２７）
複数の前記生体分子が、前記センサの前記表面に約１×１０9〜約５×１０10個／ｍｍ2の密度で付着している、項目１６から２６の何れか一項に記載の方法。
（項目２８）
検出の感度限界は、前記金属イオンの約１ナノモルから約１０ナノモルの範囲である、項目１６から２７の何れか一項に記載の方法。
（項目２９）
前記混合物を前記センサ上を通過させる工程は、約１μＬ／分から約２０μＬ／分の流量で前記混合物を前記センサ上を通過させることを含む、項目１６から２８の何れか一項に記載の方法。
（項目３０）
対象サンプル内の被検物質の存在を検出する方法であって、
巨大磁気抵抗（ＧＭＲ）センサのポリマーコーティングされた表面に配置された生体分子を含むセンサを準備する工程を備え、
前記生体分子は、
検出タンパク質と結合するように構成された結合領域を備え、前記検出タンパク質は前記被検物質とも結合可能であり、
前記検出タンパク質が前記被検物質に結合すると、前記生体分子の前記結合領域へ前記検出タンパク質が結合するのが妨げられ、
前記方法は更に、
前記検出タンパク質を前記センサ上を通過させる工程と、
前記対象サンプルを前記センサ上を通過させる工程と、
前記対象サンプルを前記センサ上を通過させた後、レポータータンパク質を前記センサ上を通過させる工程と、を備え、
前記レポータータンパク質は前記検出タンパク質を結合可能であり、且つ、磁性ナノ粒子に結合するように構成されており、
前記方法は更に、
前記レポータータンパク質を前記センサ上を通過させた後に、磁性粒子を前記センサ上を通過させる工程と、
前記磁性粒子を前記センサ上を通過させる前および後に抵抗値を読み取ることに基づいて、前記ＧＭＲセンサの抵抗変化を測定することにより、前記金属イオンの存在を検出する工程と、を備える方法。
（項目３１）
前記抵抗変化に基づいて、前記対象サンプル内の前記被検物質の濃度を計算する工程を更に備える、項目３０に記載の方法。
（項目３２）
緩衝液洗浄を一回または複数回行う工程を更に備える、項目３０または３１に記載の方法。
（項目３３）
前記検出タンパク質と前記対象サンプルとを前記センサ上を通過させる前に混合する項目３０から３２の何れか一項に記載の方法。
（項目３４）
前記検出タンパク質が前記センサ上を通過した後に、前記対象サンプルが前記センサ上を通過する、項目３０から３３の何れか一項に記載の方法。
（項目３５）
前記被検物質は、金属イオンである、項目３０から３４の何れか一項に記載の方法。
（項目３６）
前記対象サンプルは、水である、項目３０から３５の何れか一項に記載の方法。
（項目３７）
前記対象サンプルは、被験者の血液に由来する、項目３０から３５の何れか一項に記載の方法。
（項目３８）
前記生体分子は、二本鎖ＤＮＡ（ｄｓＤＮＡ）である、項目３０から３７の何れか一項に記載の方法。
（項目３９）
前記検出タンパク質は、タグを有するヒ素結合調節タンパク質である、項目３０から３８の何れか一項に記載の方法。
（項目４０）
前記検出タンパク質は、タグを有するカドミウム結合調節タンパク質である、項目３０から３８の何れか一項に記載の方法。
（項目４１）
前記タグは、グルタチオンＳ−トランスフェラーゼである、項目３９または項目４０に記載の方法。
（項目４２）
前記タグは、ポリヒスチジンである、項目３９または項目４０に記載の方法。
（項目４３）
前記レポータータンパク質は、ビオチン化抗体である、項目３０から４２の何れか一項に記載の方法。
（項目４４）
前記磁性粒子は、ストレプトアビジン結合ナノ粒子を含む、項目３０から４３の何れ
か一項に記載の方法。
（項目４５）
前記ＧＭＲセンサの抵抗変化を測定することは、少なくとも１つの基準抵抗器を使用して前記ＧＭＲセンサの抵抗変化の位相敏感解を求めることを含む、項目３０から４４の何れか一項に記載の方法。
（項目４６）
複数の前記生体分子が、前記センサの前記表面に約１×１０9〜約５×１０10個／ｍｍ2の密度で付着している、項目３０から４５の何れか一項に記載の方法。
（項目４７）
検出の感度限界は、前記金属イオンの約１ナノモルから約１０ナノモルの範囲である、項目３０から４６の何れか一項に記載の方法。
（項目４８）
前記対象サンプルを前記センサ上を通過させる工程は、約１μＬ／分から約２０μＬ／分の流量で前記対象サンプルを前記センサ上を通過させることを含む、項目３０から４７の何れか一項に記載の方法。
（項目４９）
対象サンプル内の被検物質の存在を検出する方法であって、
巨大磁気抵抗（ＧＭＲ）センサのポリマーコーティングされた表面に配置された生体分子を含むセンサを準備する工程を備え、
前記生体分子は、関連付けられる磁気粒子を含み、
前記方法は更に、
前記対象サンプルを前記センサ上を通過させて、前記被検物質が存在する場合、前記生体分子から前記関連付けられる磁性粒子を除去する工程と、
前記対象サンプルを前記センサ上を通過させる前および後に抵抗値を読み取ることに基づいて、前記ＧＭＲセンサの抵抗変化を測定することにより、前記対象サンプル内の前記被検物質の存在を検出する工程と、を備え、
前記ＧＭＲセンサの抵抗変化を測定することは、少なくとも１つの基準抵抗器を使用して前記ＧＭＲセンサの抵抗変化の位相敏感解を求めることを含む、方法。
（項目５０）
対象サンプル内の被検物質の存在を検出する方法であって、
巨大磁気抵抗（ＧＭＲ）センサのポリマーコーティングされた表面に配置された第１の生体分子を含むセンサを準備する工程を備え、
前記第１の生体分子は、磁性粒子との結合部位を有する第２の生体分子のコンディショナル結合部位（ｃｏｎｄｉｔｉｏｎａｌ  ｂｉｎｄｉｎｇ  ｓｉｔｅ）を有し、
前記対象サンプルを前記センサ上を通過させる工程と、
前記第２の生体分子を前記センサ上を通過させる工程と、
前記対象サンプルを前記センサ上を通過させた後に、磁性粒子を前記センサ上を通過させる工程と、
前記磁性粒子を前記センサ上を通過させる前および後に抵抗値を読み取ることに基づいて、前記ＧＭＲセンサの抵抗変化を測定することにより、前記対象サンプル内の前記被検物質の存在を検出する工程と、を更に備え、
前記ＧＭＲセンサの抵抗変化を測定することは、少なくとも１つの基準抵抗器を使用して前記ＧＭＲセンサの抵抗変化の位相敏感解を求めることを含む、方法。
（項目５１）
前記被検物質の存在により、前記第２の生体分子の結合が妨げられる、項目５０に記載の方法。
（項目５２）
前記被検物質の存在により、前記第２の生体分子と前記第１の生体分子との結合が可能となる、項目５０に記載の方法。
（項目５３）
対象サンプル内の被検物質の存在を検出する方法であって、
巨大磁気抵抗（ＧＭＲ）センサのポリマーコーティングされた表面に配置された第１の生体分子を含むセンサを準備する工程を備え、
前記生体分子は、前記被検物質が存在する場合に磁性粒子が結合する結合部位を有し、
前記方法は更に、
前記対象サンプルを前記センサ上を通過させる工程と、
前記対象サンプルを前記センサ上を通過させた後に、磁性粒子を前記センサ上を通過させる工程と、
前記磁性粒子を前記センサ上を通過させる前および後に抵抗値を読み取ることに基づいて、前記ＧＭＲセンサの抵抗変化を測定することにより、前記対象サンプル内の前記被検物質の存在を検出する工程と、を備え、
前記ＧＭＲセンサの抵抗変化を測定することは、少なくとも１つの基準抵抗器を使用して前記ＧＭＲセンサの抵抗変化の位相敏感解を求めることを含む、方法。
（項目５４）
前記ＧＭＲセンサの前記抵抗変化に基づいて、前記対象サンプル内の前記被検物質の濃度を計算する工程を更に備える、項目４９から５３の何れか一項記載の方法。
（項目５５）
前記生体分子は、ＤＮＡを含む、項目４９から５４の何れか一項記載の方法。
（項目５６）
前記生体分子は、タンパク質を含む、項目４９から５４の何れか一項記載の方法。
（項目５７）
項目１から５６の何れか一項に記載の方法を実行するように構成されたシステムであって、
サンプル処理サブシステムと、
ポリマーコーティングされた表面に生体分子を有するＧＭＲセンサを含むマイクロ流体ネットワークを備えるセンササブシステムと、
信号をプロセッサへと伝播させるべく、複数の接点パッドに接続された複数の配線と、
プロセッサと、
前記サンプル処理サブシステムおよび前記センササブシステムにおいて、サンプル、試薬および溶媒を移動させるための空気圧制御サブシステムと、を備えるシステム。
【図１】
0006982099.tif 000003
【図２Ａ】
0006982099.tif 000004
【図２Ｂ】
0006982099.tif 000005
【図２Ｃ】
0006982099.tif 000006
【図２Ｄ】
0006982099.tif 000007
【図３】
0006982099.tif 000008
【図４】
0006982099.tif 000009
【図５Ａ】
0006982099.tif 000010
【図５Ｂ】
0006982099.tif 000011
【図６Ａ】
0006982099.tif 000012
【図６Ｂ】
0006982099.tif 000013
【図６Ｃ】
0006982099.tif 000014
【図６Ｄ】
0006982099.tif 000015
【図６Ｅ】
0006982099.tif 000016
【図６Ｆ】
0006982099.tif 000017
【図６Ｇ】
0006982099.tif 000018
【図７】
0006982099.tif 000019
【図８Ａ】
0006982099.tif 000020
【図８Ｂ】
0006982099.tif 000021
【図８Ｃ】
0006982099.tif 000022
【図９】
0006982099.tif 000023
【図１０Ａ】
0006982099.tif 000024
【図１０Ｂ】
0006982099.tif 000025
【図１１Ａ】
0006982099.tif 000026
【図１１Ｂ】
0006982099.tif 000027
【図１２Ａ】
0006982099.tif 000028
【図１２Ｂ】
0006982099.tif 000029
【図１３Ａ】
0006982099.tif 000030
【図１３Ｂ】
0006982099.tif 000031
【図１３Ｃ】
0006982099.tif 000032
【図１４Ａ】
0006982099.tif 000033
【図１４Ｂ】
0006982099.tif 000034
【図１５Ａ】
0006982099.tif 000035
【図１５Ｂ】
0006982099.tif 000036
【図１６Ａ】
0006982099.tif 000037
【図１６Ｂ】
0006982099.tif 000038
【図１７Ａ】
0006982099.tif 000039
【図１７Ｂ】
0006982099.tif 000040
【図１７Ｃ】
0006982099.tif 000041
【図１８】
0006982099.tif 000042
【図１９】
0006982099.tif 000043
【図２０】
0006982099.tif 000044
【配列表】
0006982099000001.app